(57)【要約】  この出願の実施形態は、協調伝送制御方法、装置、およびシステムを開示する。この出願では、一次アクセスポイントと二次アクセスポイントとが、セル間の設定パラメータ共有を通して、かつ干渉テストの二重決定条件に基づいて協調伝送を実行するかどうかを決定し、さらに、特定のセル設定パラメータに基づいて干渉防止ビームフォーミング方法を決定し、さらに、干渉テストの二重決定条件を参照して協調伝送を実行するかどうかを決定して、アクセスポイントが事前に干渉状態を学習することができ、これにより、実際の協調伝送中に引き起こされる干渉による不要な再伝送を防止し、通信効率を向上させるようにする。
2021511730.tif 000002
【特許請求の範囲】
【請求項１】
協調伝送制御方法であって、
二次アクセスポイントＡＰによって、一次ＡＰによって送信される協調伝送要求を受信することであって、前記協調伝送要求は折衝パラメータ情報を搬送する、受信することと、
前記二次ＡＰが、前記折衝パラメータ情報に基づき、前記一次ＡＰとの協調伝送を実行しようとするときに、前記二次ＡＰによって、前記一次ＡＰに干渉テスト情報を送信することと、協調伝送を実行するかどうかを示し、前記干渉テスト情報に基づいて前記一次ＡＰから送信される決定情報を受信することと、を含む方法。
【請求項２】
前記二次ＡＰが、前記折衝パラメータ情報に基づいて、前記一次ＡＰとの協調伝送を実行しようとしないときに、前記二次ＡＰによって、事前設定された時間内に前記一次ＡＰにフィードバックを提供することスキップすること、または前記二次ＡＰが協調伝送を実行できないことを示す第１の応答情報を前記一次ＡＰに送信することと、をさらに含む、請求項１に記載の方法。
【請求項３】
前記二次ＡＰが前記一次ＡＰと協調伝送を実行しようとするときに、前記二次ＡＰによって、前記二次ＡＰが協調伝送を実行することを期待することを示す第２の応答情報を前記一次ＡＰに送信することと、をさらに含み、
前記第２の応答情報は前記干渉テスト情報と共に、または前記干渉テスト情報とは別に送信される、請求項１に記載の方法。
【請求項４】
前記協調伝送要求は、第１の指示情報を搬送し、前記第１の指示情報は、前記干渉テスト情報が前記第２の応答情報と共に送信されるかどうかを示すために使用される、請求項３に記載の方法。
【請求項５】
前記決定情報は、協調確認フレーム内で搬送されるか、スケジュールされるステーションＳＴＡに送信される上りリンク伝送トリガフレーム内で搬送される、請求項１に記載の方法。
【請求項６】
前記折衝パラメータ情報は、前記一次ＡＰのアンテナの量および前記一次ＡＰに対応するセル内の空間フローの量のうちの少なくとも１つを含む、請求項１〜５のいずれか１項に記載の方法。
【請求項７】
前記二次ＡＰによって、干渉テスト情報を前記一次ＡＰに送信することは、
前記空間フローの量が前記一次ＡＰの前記アンテナの量以下であり、前記二次ＡＰのアンテナの量が前記一次ＡＰの前記アンテナの量よりも多い場合、前記二次ＡＰによって、第１のプレコーディング行列Ｑ２を使用して前記一次ＡＰに干渉テスト情報を送信することであって、Ｑ２は、前記一次ＡＰによって実行されるデータ受信への干渉を防止するために使用され、事前設定された第１の標準に従って前記二次ＡＰによって決定されるプレコーディング行列である、送信すること、または
前記空間フローの量が前記一次ＡＰの前記アンテナの量より少なく、前記二次ＡＰのアンテナの量が前記一次ＡＰのアンテナの量以下である場合、前記二次ＡＰによって、前記一次ＡＰがデータを受信するために使用される受信等化行列Ｗ１を示す第２の指示情報を前記一次ＡＰに送信し、第２のプレコーディング行列Ｑ２′を使用して前記干渉テスト情報を送信することであって、Ｑ２′は、前記一次ＡＰによって実行されるデータ受信への干渉を防止するために使用され、前記二次ＡＰがデータを送信するために使用され、事前設定された第２の標準に従って前記二次ＡＰによって決定されるプレコーディング行列であり、Ｗ１は、前記一次ＡＰがデータを受信するために使用される受信等化行列である、送信することを含む、請求項６に記載の方法。
【請求項８】
前記第１の標準は、Ｈ２１Ｑ２＝０であり、Ｈ２１は、前記一次ＡＰと前記二次ＡＰとの間のチャネル推定情報であり、
前記第２の標準は、Ｗ１Ｈ２１Ｑ２′＝０であり、Ｈ２１は、前記一次ＡＰと前記二次ＡＰとの間のチャネル推定情報である、請求項７に記載の方法。
【請求項９】
協調伝送制御方法であって、
一次アクセスポイントＡＰによって、少なくとも１つの二次アクセスポイントＡＰに協調伝送要求を送信することであって、前記協調伝送要求が折衝パラメータ情報を搬送する、送信することと、
前記二次ＡＰが、前記折衝パラメータ情報に基づき、前記一次ＡＰと協調伝送を実行しようとするときに、前記一次ＡＰによって、前記二次ＡＰによって送信される干渉テスト情報を受信することと、
前記一次ＡＰによって、前記干渉テスト情報に基づいた受信干渉テストを実行して、干渉が所定の閾値以上であるかどうかを決定することと、
前記一次ＡＰによって、前記決定の結果に基づいて、前記二次ＡＰが協調伝送を実行するかどうかを示す決定情報を前記二次ＡＰに送信することと、を含む方法。
【請求項１０】
前記二次ＡＰが、前記折衝パラメータ情報に基づいて、前記一次ＡＰとの協調伝送を実行することをスキップすることを決定するときに、前記一次ＡＰによって、事前設定された時間内に前記二次ＡＰからのフィードバックを受信しないこと、または前記二次ＡＰによって送信される第１の応答情報を受信することであって、前記第１の応答情報は、前記二次ＡＰが協調伝送を実行することができないことを示すために使用される、受信することと、をさらに含む請求項９に記載の方法。
【請求項１１】
前記二次ＡＰが、前記一次ＡＰと協調伝送を実行しようとするときに、前記一次ＡＰによって、前記二次ＡＰによって送信される第２の応答情報を受信することであって、前記第２の応答情報は、前記二次ＡＰが協調伝送を実行することを期待することを示すために使用される、受信することをさらに含み、
前記第２の応答情報は前記干渉テスト情報と共に、または前記干渉テスト情報とは別に送信される、請求項９に記載の方法。
【請求項１２】
前記協調伝送要求は、第１の指示情報を搬送し、前記第１の指示情報は、前記干渉テスト情報が前記第２の応答情報と共に送信されるかどうかを示すために使用される、請求項１１に記載の方法。
【請求項１３】
前記決定情報は、協調確認フレーム内で搬送されるか、スケジュールされるステーションＳＴＡに送信される上りリンク伝送トリガフレーム内で搬送される、請求項９に記載の方法。
【請求項１４】
協調伝送制御方法であって、
二次アクセスポイントＡＰによって、一次ＡＰによって送信される協調伝送要求を受信することであって、前記協調伝送要求は折衝パラメータ情報を搬送する、受信することと、
前記二次ＡＰが、前記折衝パラメータ情報に基づいて、前記一次ＡＰと協調伝送を実行しようとするときに、前記二次ＡＰによって、前記二次ＡＰが協調伝送を実行することを期待することを示す第１の応答情報を前記一次ＡＰに送信することと、
前記二次ＡＰによって、前記一次ＡＰから送信される干渉テスト情報を受信することと、
前記二次ＡＰによって、前記干渉テスト情報の干渉テスト結果に基づいて、協調伝送を実行するかどうかを決定することと、を含む方法。
【請求項１５】
前記二次ＡＰが、前記折衝パラメータ情報に基づいて、前記一次ＡＰとの協調伝送を実行しないと決定するときに、前記二次ＡＰによって、事前設定された時間内に前記一次ＡＰにフィードバックを提供することをスキップすること、または前記二次ＡＰが協調伝送を実行できないことを示す第２の応答情報を前記一次ＡＰに送信すること、をさらに含む、請求項１４に記載の方法。
【請求項１６】
前記二次ＡＰによって、前記干渉テスト情報の干渉テスト結果に基づいて、協調伝送を実行するかどうかを決定することは、
干渉が所定の閾値以下である場合、前記二次ＡＰによって、スケジュールされる第２のステーションＳＴＡにトリガフレームを送信し、上りリンクデータ伝送を実行するために前記第２のＳＴＡをスケジュールすること、もしくは干渉が前記所定の閾値より大きい場合、前記二次ＡＰによって、前記トリガフレームを送信することをスキップすること、または
干渉が所定の閾値より小さい場合、前記二次ＡＰによって、スケジュールされる第２のＳＴＡにトリガフレームを送信し、上りリンクデータ伝送を実行するために前記第２のＳＴＡをスケジュールすること、もしくは干渉が前記所定の閾値以上である場合、前記二次ＡＰによって、前記トリガフレームを送信することをスキップすること、を含む、請求項１４に記載の方法。
【請求項１７】
前記干渉テスト情報は、前記一次ＡＰによって、スケジュールされる第１のＳＴＡに送信される下りリンクデータパケット内の対応するトレーニングフィールドに関する情報を含み、
前記干渉テスト情報は、前記一次ＡＰが前記第１のＳＴＡに下りリンクデータパケットを送信する前に、一次ＡＰによって送信される別個のデータパケット内の対応するフィールドに関する情報を含む、請求項１６に記載の方法。
【請求項１８】
前記干渉テスト情報が、前記一次ＡＰによって前記第１のＳＴＡに送信される前記下りリンクデータパケット内の前記対応するトレーニングフィールドに関する前記情報を含むときに、トリガフレームの伝送は、前記下りリンクデータパケットの伝送プロセスにおいて開始し、前記スケジュールされる第２のＳＴＡの上りリンクデータ伝送は、前記下りリンクデータパケット内のデータフィールドの伝送が終了する前に終了するか、もしくは前記下りリンクデータパケット内のデータフィールドの伝送と同時に終了する、または
前記干渉テスト情報が、前記一次ＡＰによって前記第１のＳＴＡに送信される前記別個のデータパケット内の前記対応するフィールドに関する前記情報を含むときに、前記一次ＡＰによって前記第１のＳＴＡに送信される前記下りリンクデータパケット内のデータフィールドの送信が終了する前に、前記トリガフレームの伝送が開始し、前記スケジュールされる第２のＳＴＡの上りリンクデータ伝送は、前記下りリンクデータパケット内の前記データフィールドの伝送が終了する前に終了するか、もしくは前記下りリンクデータパケット内の前記データフィールドの伝送と同時に終了する、請求項１７記載の方法。
【請求項１９】
前記折衝パラメータ情報は、前記一次ＡＰのアンテナの量および前記一次ＡＰに対応するセル内の空間フローの量のうちの少なくとも１つを含む、請求項１４〜１８のいずれか一項に記載の方法。
【請求項２０】
前記二次ＡＰによって、前記一次ＡＰによって送信される干渉テスト情報を受信することは、
前記二次ＡＰによって、前記一次ＡＰが前記二次ＡＰによって実行されるデータ受信への干渉を引き起こすことを防止するために使用される選択される受信等化行列を使用して、前記一次ＡＰによって送信される前記干渉テスト情報を受信すること、を含み、
前記空間フローの量が前記一次ＡＰの前記アンテナの量以下であり、前記二次ＡＰのアンテナの量が前記一次ＡＰの前記アンテナの量より多い場合、前記二次ＡＰは第１の標準に従って第１の受信等化行列Ｗ２を選択すること、または
前記空間フローの量が前記一次ＡＰの前記アンテナの量より少なく、前記二次ＡＰのアンテナの量が前記一次ＡＰの前記アンテナの量以下である場合、前記二次ＡＰは、第２の標準に従って、第２の受信等化行列Ｗ２′および前記一次ＡＰがデータを送信するために使用されるプレコーディング行列Ｑ１を選択し、前記二次ＡＰによって、前記一次ＡＰによって送信される干渉テスト情報を受信する前に、当該方法は、前記二次ＡＰによって、前記一次ＡＰがデータを送信するために使用されるプレコーディング行列Ｑ１を示すために前記一次ＡＰに第１の指示情報を送信することをさらに含む、請求項１９に記載の方法。
【請求項２１】
協調伝送制御方法であって、
一次アクセスポイントＡＰによって、二次ＡＰに協調伝送要求を送信することであって、前記協調伝送要求は折衝パラメータ情報を搬送する、送信することと、
前記二次ＡＰが、前記折衝パラメータ情報に基づいて、前記一次ＡＰと協調伝送を実行しようとするときに、前記一次ＡＰによって、前記二次ＡＰによって送信される、前記二次ＡＰが協調伝送を実行することを期待することを示す第１の応答情報を受信することと、
前記一次ＡＰによって、前記二次ＡＰに干渉テスト情報の送信することと、を含み、
前記干渉テスト情報は、前記二次ＡＰが協調伝送を実行するかどうかを決定するための干渉テストを実行するために使用される、方法。
【請求項２２】
前記二次ＡＰが、前記折衝パラメータ情報に基づいて、前記一次ＡＰとの協調伝送を実行することをスキップすることを決定するときに、前記一次ＡＰによって、事前設定された時間内に前記二次ＡＰからフィードバックを受信しないこと、または前記二次ＡＰによって送信される第２の応答情報を受信することであって、前記第２の応答情報は、前記二次ＡＰが協調伝送を実行することができないことを示すために使用される、請求項２１に記載の方法。
【請求項２３】
当該方法が、前記一次ＡＰによって、前記二次ＡＰによって送信される第１の指示情報を受信することであって、前記第１の指示情報は、前記一次ＡＰがデータを送信するため使用されるプレコーディング行列Ｑ１を示すために使用される、受信することと、をさらに含み、
前記干渉テスト情報がＱ１を使用して送信される、請求項２１に記載の方法。
【請求項２４】
前記干渉テスト情報は、前記一次ＡＰによってスケジュールされるステーションＳＴＡに送信される下りリンクデータパケット内の対応するトレーニングフィールドに関する情報を含む、または
前記干渉テスト情報は、前記一次ＡＰがスケジュールされるステーションＳＴＡに下りリンクデータパケットを送信する前に、前記一次ＡＰによって送信される別個のデータパケット内の対応するフィールドに関する情報である、請求項２１〜２３のいずれか一項に記載の方法。
【請求項２５】
協調伝送制御装置であって、当該装置は、二次アクセスポイントＡＰ側に適用され、
一次ＡＰによって送信される協調伝送要求を受信するように構成されている受信ユニットであって、前記協調伝送要求が折衝パラメータ情報を搬送する、受信ユニットと、
前記二次ＡＰが、前記折衝パラメータ情報に基づいて、前記一次ＡＰとの協調伝送を実行しようとするときに、前記一次ＡＰに干渉テスト情報を送信するように構成されている送信ユニットと、を含み、
前記受信ユニットは、前記干渉テスト情報に基づいて、前記一次ＡＰによって送信される、協調伝送を実行するかどうかを示す決定情報を受信するようにさらに構成されている、装置。
【請求項２６】
前記折衝パラメータ情報は、前記一次ＡＰのアンテナの量および前記一次ＡＰに対応するセル内の空間フローの量のうちの少なくとも１つを含む、請求項２５に記載の装置。
【請求項２７】
前記送信ユニットは、
前記空間フローの量が一次ＡＰの前記アンテナの量以下であり、前記二次ＡＰのアンテナの量が一次ＡＰの前記アンテナの量より多い場合、第１のプレコーディング行列Ｑ２を使用して前記一次ＡＰに前記干渉テスト情報を送信することであって、Ｑ２は、前記一次ＡＰによって実行されるデータ受信への干渉を防止するために使用され、事前設定された第１の標準に従って前記二次ＡＰによって決定されるプレコーディング行列である、送信すること、または
前記空間フローの量が前記一次ＡＰの前記アンテナの量より少なく、前記二次ＡＰのアンテナの量が前記一次ＡＰのアンテナの量以下である場合、前記一次ＡＰがデータを受信するために使用される受信等化行列Ｗ１を示す第２の指示情報を前記一次ＡＰに送信し、第２のプレコーディング行列Ｑ２′を使用して前記干渉テスト情報を送信することであって、Ｑ２′は、前記一次ＡＰによって実行されるデータ受信への干渉を防止するために使用され、前記二次ＡＰがデータを送信するために使用され、事前設定された第２の標準に従って前記二次ＡＰによって決定されるプレコーディング行列であり、Ｗ１は、前記一次ＡＰがデータを受信するために使用される受信等化行列である、受信することをするようにさらに構成されている、請求項２６に記載の装置。
【請求項２８】
協調伝送制御装置であって、当該装置は、一次アクセスポイントＡＰ側に適用され、
少なくとも１つの二次アクセスポイントＡＰに協調伝送要求を送信するように構成されている送信ユニットであって、前記協調伝送要求が折衝パラメータ情報を搬送する、送信ユニットと、
前記二次ＡＰが、前記折衝パラメータ情報に基づき、前記一次ＡＰと協調伝送を実行しようとするときに、前記二次ＡＰによって送信される干渉テスト情報を受信するように構成されている受信ユニットと、
前記干渉テスト情報に基づいた受信干渉テストを実行して、干渉が所定の閾値以上であるかどうかを決定するように構成されている処理ユニットと、を含み、
前記送信ユニットは、前記処理ユニットの決定結果に基づいて、前記二次ＡＰが協調伝送を実行するかどうかを示す決定情報を前記二次ＡＰに送信するようにさらに構成されている、装置。
【請求項２９】
協調伝送制御装置であって、当該装置は、二次アクセスポイントＡＰ側に適用され、
一次ＡＰによって送信される協調伝送要求を受信するように構成されている受信ユニットであって、前記協調伝送要求は折衝パラメータ情報を搬送する、受信ユニットと、
前記二次ＡＰが、前記折衝パラメータ情報に基づいて、前記一次ＡＰと協調伝送を実行しようとするときに、前記二次ＡＰによって、前記二次ＡＰが協調伝送を実行することを期待することを示す第１の応答情報を前記一次ＡＰに送信するように構成されている送信ユニットであって、
前記受信ユニットは、前記一次ＡＰによって送信される干渉テスト情報を受信するようにさらに構成されている、送信ユニットと、
前記干渉テスト情報の干渉テスト結果に基づいて、協調伝送を実行するかどうかを決定するように構成されている処理ユニットと、を含む装置。
【請求項３０】
前記処理ユニットは、干渉が所定の閾値以下である場合、前記送信ユニットを使用して、スケジュールされるステーションＳＴＡにトリガフレームを送信し、上りリンクデータ伝送を実行するために前記ＳＴＡをスケジュールすること、もしくは干渉が前記所定の閾値より大きい場合、前記送信ユニットを使用して、前記トリガフレームを送信することをスキップすること、または、干渉が所定の閾値より小さい場合、前記送信ユニットを使用して、スケジュールされる第２のＳＴＡにトリガフレームを送信し、上りリンクデータ伝送を実行するために前記第２のＳＴＡをスケジュールすること、もしくは干渉が前記所定の閾値以上である場合、前記送信ユニットを使用して、前記トリガフレームを送信することをスキップするようにさらに構成されており、
前記送信ユニットは、前記処理ユニットの制御に従って前記トリガフレームを送信またはスキップするようにさらに構成されている、請求項２９に記載の装置。
【請求項３１】
前記折衝パラメータ情報は、前記一次ＡＰのアンテナの量および前記一次ＡＰに対応するセル内の空間フローの量のうちの少なくとも１つを含む、請求項２９または３０に記載の装置。
【請求項３２】
前記受信ユニットは、前記一次ＡＰが前記二次ＡＰによって実行されるデータ受信への干渉を引き起こすことを防止するために使用される選択される受信等化行列を使用して、前記一次ＡＰによって送信される前記干渉テスト情報を受信するようにさらに構成されており、
前記処理ユニットは、
前記空間フローの量が前記一次ＡＰの前記アンテナの量以下であり、前記二次ＡＰの前記アンテナの量が前記一次ＡＰの前記アンテナの量より多い場合、第１の標準に従って第１の受信等化行列Ｗ２を選択する、または
前記空間フローの量が前記一次ＡＰの前記アンテナの量より少なく、前記二次ＡＰの前記アンテナの量が前記一次ＡＰの前記アンテナの量以下である場合、事前設定された第２の標準に従って、第２の受信等化行列Ｗ２′および前記二次ＡＰによって実行されるデータ受信への干渉を引き起こすことを防止するために使用されるプレコーディング行列Ｑ１を決定し、
前記送信ユニットは、前記処理ユニットがＱ１を決定した後に、Ｑ１を示す第１の指示情報を前記一次ＡＰに送信するようにさらに構成される、請求項３１に記載の方法。
【請求項３３】
協調伝送制御装置であって、当該装置は、一次アクセスポイントＡＰ側に適用され、
二次ＡＰに協調伝送要求を送信するように構成されている送信ユニットであって、前記協調伝送要求は折衝パラメータ情報を搬送する、送信ユニットと、
前記二次ＡＰが、前記折衝パラメータ情報に基づいて、前記一次ＡＰと協調伝送を実行しようとするときに、前記二次ＡＰによって送信される、前記二次ＡＰが協調伝送を実行することを期待することを示す第１の応答情報を受信するように構成されている受信ユニットと、を含み、
前記送信ユニットは、前記二次ＡＰに干渉テスト情報を送信するようにさらに構成されており、
前記干渉テスト情報は、前記二次ＡＰが協調伝送を実行するかどうかを決定するための干渉テストを実行するために使用される、装置。
【請求項３４】
前記受信ユニットは、前記二次ＡＰによって送信される第１の指示情報を受信するようにさらに構成されており、前記第１の指示情報は、前記一次ＡＰがデータを送信するため使用されるプレコーディング行列Ｑ１を示すために使用され、
前記送信ユニットは、Ｑ１を使用して干渉テスト情報を送信するようにさらに構成されている、請求項３３に記載の装置。
【請求項３５】
コンピュータプログラムを記憶するコンピュータ可読記憶媒体であって、前記プログラムがプロセッサによって実行されるときに、請求項１〜２４のいずれか一項に記載の方法が実施される、コンピュータ可読記憶媒体。
【請求項３６】
プロセッサを含み、コンピュータプログラムを実行するときに、前記プロセッサは、請求項１〜２４のいずれか一項に記載の方法を実施する、協調伝送制御装置。
【発明の詳細な説明】
【技術分野】
【０００１】
この出願は、２０１８年１月１９日に中国国家知的所有権管理庁に出願され、「COORDINATED  TRANSMISSION  CONTROL  METHOD,  APPARATUS,  AND  SYSTEM」と題する、中国特許出願第２０１８１００５４５２２．８号に対する優先権を主張し、その全体が参照により本明細書に組み込まれる。
【０００２】
この出願は、通信技術の分野に関し、特に、通信システムにおける協調伝送制御技術に関する。
【背景技術】
【０００３】
無線ネットワークの開発と、無線ローカル・エリア・ネットワーク（Wireless  Local  Area  Network、略してＷＬＡＮ）技術の絶え間ない普及により、無線ＬＡＮ機器はますます集中している。無線アクセスポイント（Access  Point、略してＡＰ）は、展開が容易であるため、ますます集中するＡＰは、より多くのセル間干渉を引き起こす。ユーザのサービス品質を向上させるために、ＡＰ間の協調伝送を通して、ユーザ間またはセル間干渉をどのように防止するかが検討されるべき課題である。
【発明の概要】
【０００４】
この出願は、複数のＡＰ間の協調伝送を実施し、干渉を防止するための協調伝送制御方法、装置、およびシステムを提供する。
【０００５】
第１の態様によれば、協調伝送制御方法および装置が提供される。
【０００６】
可能な設計では、この方法は、二次アクセスポイントＡＰに適用されるか、または二次ＡＰに対応するステーションＳＴＡに適用されてもよい。本方法は、二次アクセスポイントＡＰによって、一次ＡＰによって送信される協調伝送要求を受信することであって、協調伝送要求は折衝パラメータ情報を搬送する、受信することと、二次ＡＰが、折衝パラメータ情報に基づき、一次ＡＰとの協調伝送を実行しようとするときに、二次ＡＰによって、一次ＡＰに干渉テスト情報を送信することと、協調伝送を実行するかどうかを示し、干渉テスト情報に基づいて一次ＡＰから送信される決定情報を受信することと、を含む。この設計では、一次ＡＰは、上りリンク伝送を実行するためにセル内のステーションＳＴＡをスケジュールしてもよく、二次ＡＰは下りリンク伝送を実行するためにセル内のステーションＳＴＡをスケジュールしてもよいが、制限は設けないと理解され得る。
【０００７】
この設計では、協調伝送を実行するかどうかは、セル間の設定パラメータ共有を通して、かつ干渉テストの二重決定条件に基づいて、決定され、アクセスポイントが事前に干渉状態を学習することができ、これにより、実際の協調伝送中に引き起こされる干渉による不要な再伝送を防止し、通信効率を向上させるようにする。
【０００８】
可能な設計では、二次ＡＰが、折衝パラメータ情報に基づいて、一次ＡＰとの協調伝送を実行しようとしないときに、二次ＡＰは、事前設定された時間内に一次ＡＰにフィードバックを提供しないか、または、二次ＡＰが協調伝送を実行できないことを示す第１の応答情報を一次ＡＰに送信する。
【０００９】
可能な設計では、二次ＡＰが一次ＡＰと協調伝送を実行しようとするときに、二次ＡＰは、二次ＡＰが協調伝送を実行することを期待することを示す第２の応答情報を一次ＡＰに送信する。第２の応答情報は干渉テスト情報と共に、または干渉テスト情報とは別に送信されることが理解され得る。
【００１０】
可能な設計では、協調伝送要求は、第１の指示情報を搬送し、第１の指示情報は、干渉テスト情報が第２の応答情報と共に送信されるかどうかを示すために使用される。
【００１１】
可能な設計では、決定情報は、協調確認フレーム内で搬送されるか、スケジュールされるステーションＳＴＡに送信される上りリンク伝送トリガフレーム内で搬送される。
【００１２】
可能な設計では、折衝パラメータ情報は、一次ＡＰのアンテナの量および一次ＡＰに対応するセル内の空間フローの量のうちの少なくとも１つを含む。
【００１３】
可能な設計では、二次ＡＰによって、干渉テスト情報を一次ＡＰに送信することは、空間フローの量が一次ＡＰのアンテナの量以下であり、二次ＡＰのアンテナの量が一次ＡＰのアンテナの量よりも多い場合、二次ＡＰによって、第１のプレコーディング行列Ｑ２を使用して一次ＡＰに干渉テスト情報を送信することであって、Ｑ２は、一次ＡＰによって実行されるデータ受信への干渉を防止するために使用され、事前設定された第１の標準に従って二次ＡＰによって決定されるプレコーディング行列である、送信すること、または空間フローの量が一次ＡＰのアンテナの量より少なく、二次ＡＰのアンテナの量が一次ＡＰのアンテナの量以下である場合、二次ＡＰによって、一次ＡＰがデータを受信するために使用される受信等化行列Ｗ１を示す第２の指示情報を一次ＡＰに送信し、第２のプレコーディング行列Ｑ２′を使用して干渉テスト情報を送信することであって、Ｑ２′は、一次ＡＰによって実行されるデータ受信への干渉を防止するために使用され、二次ＡＰがデータを送信するために使用され、事前設定された第２の標準に従って二次ＡＰによって決定されるプレコーディング行列であり、Ｗ１は、一次ＡＰがデータを受信するために使用される受信等化行列である、送信することを含む。この設計によれば、二次ＡＰは、特定のセル設定パラメータに基づいて干渉防止ビームフォーミング方法を決定することができ、それによって、干渉を効果的に回避することができる。
【００１４】
可能な設計では、第１の標準は、Ｈ２１Ｑ２＝０であり、Ｈ２１は一次ＡＰと二次ＡＰとの間のチャネル推定情報であり、第２の標準は、はＷ１Ｈ２１Ｑ２′＝０であり、Ｈ２１は一次ＡＰと二次ＡＰとの間のチャネル推定情報である。
【００１５】
これに対応して、協調伝送制御装置が提供される。装置は、第１の態様において、対応する方法を実施してもよい。例えば、機能形態に基づいて、装置は、アクセスポイントＡＰまたはステーションＳＴＡであってもよい。例えば、装置は、アクセスデバイスもしくはステーションデバイスであってもよく、またはこれらのデバイス内のチップもしくは機能モジュールであってもよい。前述の方法は、ソフトウェアまたはハードウェアによって、または対応するソフトウェアを実行するハードウェアによって実施されてもよい。
【００１６】
可能な設計では、装置は、プロセッサおよびメモリを含んでもよい。プロセッサは、第１の態様の方法において対応する機能を実行する際に装置をサポートするように構成されている。メモリは、プロセッサに結合されるように構成され、装置に必要なプログラム（命令）およびデータを記憶する。追加的に、装置は、別のネットワーク要素と通信する際に装置をサポートするように構成されている通信インターフェースをさらに含んでもよい。通信インターフェースはトランシーバであってもよい。
【００１７】
可能な設計では、装置はトランシーバユニットを含んでもよい。トランシーバユニットは、一次ＡＰによって送信される協調伝送要求を受信し、一次ＡＰに干渉テスト情報を送信し、協調伝送を実行するかどうかを示し、かつ干渉テスト情報に基づいて一次ＡＰによって送信される決定情報を受信するように構成されている。任意に、装置は、処理ユニットをさらに含んでもよく、処理ユニットは、折衝パラメータ情報に基づいて、装置が一次ＡＰと協調伝送を実行しようとしていると決定するように構成されている。
【００１８】
第２の態様によれば、協調伝送制御方法および装置が提供される。
【００１９】
可能な設計では、この方法は、一次アクセスポイントＡＰに適用されるか、または一次ＡＰに対応するステーションＳＴＡに適用されてもよい。本方法は、一次アクセスポイントＡＰによって、協調伝送要求を少なくとも１つの二次アクセスポイントＡＰに送信することであって、協調伝送要求が折衝パラメータ情報を搬送する、送信することと、二次ＡＰが、折衝パラメータ情報に基づいて、一次ＡＰとの協調伝送を実行しようとするときに、一次ＡＰによって、二次ＡＰによって送信される干渉テスト情報を受信することと、一次ＡＰによって、干渉テスト情報に基づいて、受信干渉テストを実行し、干渉が所定の閾値以上であるかを決定するステップと、一次ＡＰによって、決定の結果に基づいて、二次ＡＰが協調伝送を実行することができるどうかを示す決定情報を二次ＡＰに送信することと、を含む。この設計では、一次ＡＰはセル内のステーションＳＴＡを上りリンク伝送を実行するようにスケジュールしてもよく、二次ＡＰはセル内のステーションＳＴＡを下りリンク伝送を実行するようにスケジュールしてもよいが、制限は設けないと理解され得る。
【００２０】
この設計では、協調伝送を実行するかどうかが、セル間の設定パラメータを通して、かつ干渉テストの二重決定条件に基づいて決定され、アクセスポイントが事前に干渉状態を学習できるようにできるようにし、これにより、実際の協調伝送時に生じる干渉による不要な再送信を防止し、通信効率を向上させる。
【００２１】
可能な設計では、二次ＡＰが、折衝パラメータ情報に基づいて、一次ＡＰとの協調伝送を実行することをスキップすることを決定した場合、一次ＡＰは、事前に設定された時間内に二次ＡＰからのフィードバックを受け取らないか、二次ＡＰから送信された第１の応答情報を受け取る。この場合、二次ＡＰは、二次ＡＰが協調伝送を実行できないことを示すために、第１の応答情報を使用する。
【００２２】
可能な設計では、二次ＡＰが一次ＡＰと協調伝送を行おうとするとき、一次ＡＰは二次ＡＰから送られた第２の応答情報を受信し、二次ＡＰが協調伝送を行おうとすることを示すために第２の応答情報を使用する。任意で、第２の応答情報は、干渉テスト情報と共に、または干渉テスト情報とは別に送信される。
【００２３】
可能な設計では、協調伝送要求は、第１の表示情報を搬送し、第１の表示情報は、干渉テスト情報が第２の応答情報と共に送られるか否かを示すために使用される。
【００２４】
可能な設計では、決定情報は、協調確認フレーム内で搬送されるか、予定ステーションＳＴＡに送られる上りリンク伝送トリガフレーム内で搬送される。
【００２５】
可能な設計では、折衝パラメータ情報は、一次ＡＰのアンテナの量と、一次ＡＰに対応するセル内の空間フローの量の少なくとも１つを含む。
【００２６】
可能な設計において、一次ＡＰによって、二次ＡＰによって送信される干渉テスト情報を受信することは、空間フローの量が一次ＡＰのアンテナの量以下であり、二次ＡＰのアンテナの量が一次ＡＰのアンテナの量より多い場合、一次ＡＰによって、第１のプレコーディング行列Ｑ２を使用することによって、二次ＡＰによって送信される干渉テスト情報を受信することであって、Ｑ２は、一次ＡＰによって実行されるデータ受信への干渉を防止するために使用され、かつ事前設定された第１の標準に従って二次ＡＰによって決定されるプレコーディング行列である、受信すること、または空間フローの量が一次ＡＰのアンテナの量より少なく、二次ＡＰのアンテナの量が一次ＡＰのアンテナの量以下である場合、さらに、一次ＡＰによって、二次ＡＰによって送信される第２の指示情報を受信することであって、第２の指示情報は、一次ＡＰがデータを受信するために使用される受信等化行列Ｗ１を示すために使用される、受信することと、第２のプレコーディング行列Ｑ２′を使用して、二次ＡＰによって送信される干渉テスト情報を受信することであって、Ｑ２′は、一次ＡＰによって実行されるデータ受信への干渉を防止するために使用され、二次ＡＰがデータを送信するために使用され、かつ事前設定された第２の標準に従って二次ＡＰによって決定されるプレコーディング行列であり、Ｗ１は、一次ＡＰがデータを受信するために使用される受信等化行列である、受信することと、を含む。この設計によれば、二次ＡＰは、特定のセル設定パラメータに基づいて干渉防止ビームフォーミング方法を決定してもよく、これによって、干渉を効果的に回避する。
【００２７】
可能な設計では、第１の標準は、Ｈ２１Ｑ２＝０であり、Ｈ２１は一次ＡＰと二次ＡＰとの間のチャネル推定情報であり、第２の標準は、Ｗ１Ｈ２１Ｑ２′＝０であり、Ｈ２１は一次ＡＰと二次ＡＰとの間のチャネル推定情報である。
【００２８】
これに対応して、協調伝送制御装置が提供される。装置は、第２の態様において、対応する方法を実施してもよい。例えば、機能形態に基づいて、装置はアクセスポイントＡＰまたはステーションＳＴＡであってもよい。例えば、装置は、アクセスデバイスもしくはステーションデバイスであってもよく、またはこれらのデバイスのチップもしくは機能モジュールであってもよい。前述の方法は、ソフトウェアまたはハードウェアによって、または対応するソフトウェアを実行するハードウェアによって実施されてもよい。
【００２９】
可能な設計では、装置は、プロセッサおよびメモリを含んでもよい。プロセッサは、第２の態様の方法において対応する機能を実行する際に装置をサポートするように構成されているメモリは、プロセッサに結合されるように構成されており、装置に必要なプログラム（命令）およびデータを記憶する。追加的に、装置は、別のネットワーク要素と通信する際に装置をサポートするように構成されている通信インターフェースをさらに含んでもよい。通信インターフェースはトランシーバであってもよい。
【００３０】
可能な設計では、装置はトランシーバユニットを含んでもよい。トランシーバユニットは、少なくとも１つの二次ＡＰに協調伝送要求を送信し、二次ＡＰによって送信される干渉テスト情報を受信し、二次ＡＰが協調伝送を実行できるかどうかを示す決定情報を二次ＡＰに送信するように構成されている。任意に、装置は、処理ユニットをさらに含んでもよく、処理ユニットは、干渉テスト情報に基づいて受信干渉テストを実行して、干渉が所定の閾値より大きいか、または所定の閾値以上であるかどうかを決定するように構成されている。
【００３１】
第３の態様によれば、協調伝送制御方法および装置が提供される。
【００３２】
可能な設計では、この方法は、二次アクセスポイントＡＰに適用されるか、または二次ＡＰに対応するステーションＳＴＡに適用されてもよい。
【００３３】
本方法は、二次アクセスポイントＡＰによって、一次ＡＰによって送信される協調伝送要求を受信することであって、協調伝送要求が折衝パラメータ情報を搬送する、受信することと、二次ＡＰが、折衝パラメータ情報に基づいて、ＡＰ１と協調伝送を実行しようとするときに、二次ＡＰによって、二次ＡＰが協調伝送を実行することを期待することを示す第１の応答情報を一次ＡＰに送信することと、二次ＡＰによって、一次ＡＰによって送信される干渉テスト情報を受信することと、二次ＡＰによって干渉テスト情報の干渉テスト結果に基づいて、協調伝送を実行するかどうかを決定することと、を含む。この設計において、一次ＡＰは、下りリンク伝送を実行するためにセル内のステーションＳＴＡを下りリンク伝送をスケジュールしてもよく、二次ＡＰは、上りリンク伝送を実行するためにセル内のステーションＳＴＡをスケジュールしてもよいが、制限は設けないと理解され得る。
【００３４】
この設計では、セル間の設定パラメータ共有を通して、かつ干渉テストの二重決定条件に基づいて、協調伝送を実行するかどうかが決定されて、アクセスポイントが事前に干渉状態を学習でき、これにより、実際の協調伝送中に引き起こされる干渉による不要な再伝送を防止し、通信効率を向上させるようにする。
【００３５】
可能な設計では、二次ＡＰが、折衝パラメータ情報に基づいて、一次ＡＰと協調伝送を実行することをスキップすることを決定するときに、二次ＡＰは、事前設定された時間内に一次ＡＰにフィードバックを提供しないか、または二次ＡＰが協調伝送を実行できないことを示す第２の応答情報を一次ＡＰに送信する。
【００３６】
可能な設計において、二次ＡＰによって、干渉テスト情報の干渉テスト結果に基づいて、協調伝送を実行するかどうかを決定することは、干渉が所定の閾値以下である場合、二次ＡＰによって、スケジュールされる第２のステーションＳＴＡにトリガフレームを送信し、上りリンクデータ伝送を実行するために第２のＳＴＡをスケジュールすること、もしくは干渉が所定の閾値より大きい場合、二次ＡＰによって、トリガフレームを送信することをスキップすること、または干渉が所定の閾値より小さい場合、二次ＡＰによって、スケジュールされる第２のＳＴＡにトリガフレームを送信し、上りリンクデータ伝送を実行するために第２のＳＴＡをスケジュールすること、もしくは干渉が所定の閾値以上である場合、二次ＡＰによって、トリガフレームを送信することをスキップすることを含む。
【００３７】
可能な設計では、干渉テスト情報は、一次ＡＰによってスケジュールされる第１のＳＴＡに送信される下りリンクデータパケット内の対応するトレーニングフィールドに関する情報を含むか、または干渉テスト情報は、一次ＡＰが第１のＳＴＡに下りリンクデータパケットを送信する前に一次ＡＰによって送信される別個のデータパケット内の対応するフィールドに関する情報である。
【００３８】
可能な設計では、干渉テスト情報が、一次ＡＰによって第１のＳＴＡへ送信される下りリンクデータパケット内の対応するトレーニングフィールドに関する情報を含むときに、トリガフレームの伝送は、下りリンクデータパケットデータの送信プロセスで開始し、スケジュールされる第２のＳＴＡの上りリンクデータ伝送は、下りリンクデータパケット内のデータフィールドの伝送が終了する前に終了するか、もしくは下りリンクデータパケット内のデータフィールドの伝送と同時に終了するか、または干渉テスト情報が、一次ＡＰによって第１のＳＴＡへ送信される別個のデータパケット内の対応するフィールドに関する情報を含むときに、トリガフレームの伝送は、一次ＡＰによって第１のＳＴＡへ送信される下りリンクデータパケット内のデータフィールドの伝送が終了する前に開始し、スケジュールされる第２のＳＴＡの上りリンクデータ伝送は、下りリンクデータパケット内のデータフィールドの伝送が終了する前に終了するか、もしくは下りリンクデータパケット内のデータフィールドの伝送と同時に終了する。
【００３９】
可能な設計では、折衝パラメータ情報は、一次ＡＰのアンテナの量と、一次ＡＰに対応するセル内の空間フローの量のうちの少なくとも１つを含む。
【００４０】
可能な設計において、二次ＡＰによって、一次ＡＰによって送信される干渉テスト情報を受信することは、二次ＡＰによって実行されるデータ受信への干渉を一次ＡＰが引き起すことを防止するために使用される選択された受信等化行列を使用することによって、一次ＡＰによって送信される干渉テスト情報を受信することを含み、空間フローの量が一次ＡＰのアンテナの量以下であり、二次ＡＰのアンテナの量が一次ＡＰのアンテナの量より多い場合、二次ＡＰは、第１の標準に従って第１の受信等化行列Ｗ２を選択する、または空間フローの量が一次ＡＰのアンテナの量未満であり、二次ＡＰのアンテナの量が一次ＡＰのアンテナの量以下である場合、二次ＡＰは、第２の標準に従って第２の受信等化行列Ｗ２′および一次ＡＰがデータを送信するために使用されるプレコーディング行列Ｑ１を選択する。二次ＡＰによって、一次ＡＰによって送信される干渉テスト情報を受信する前に、本方法は、二次ＡＰによって、一次ＡＰがデータを送信するために使用されるプレコーディング行列Ｑ１を示す第１の指示情報を一次ＡＰに送信することをさらに含む。この設計によれば、二次ＡＰは、特定のセル設定パラメータに基づいて干渉防止ビームフォーミング方法を決定することができ、これにより、干渉を効果的に回避することができる。
【００４１】
可能な設計では、第１の標準は、Ｗ２Ｈ２１＝０であり、Ｈ２１は、一次ＡＰと二次ＡＰとの間のチャネル推定情報であり、第２の標準は、Ｗ２′Ｈ２１Ｑ１＝０であり、Ｈ２１は、一次ＡＰと二次ＡＰとの間のチャネル推定情報である。
【００４２】
これに対応して、協調伝送制御装置が提供される。装置は、第３の態様において、対応する方法を実施してもよい。例えば、機能形態に基づいて、装置はアクセスポイントＡＰまたはステーションＳＴＡであってもよい。例えば、装置は、アクセスデバイスもしくはステーションデバイスであってもよく、またはこれらの装置のチップもしくは機能モジュールであってもよい。前述の方法は、ソフトウェアまたはハードウェアによって、または対応するソフトウェアを実行するハードウェアによって実施されてもよい。
【００４３】
可能な設計では、装置は、プロセッサおよびメモリを含んでもよい。プロセッサは、第３の態様の方法において対応する機能を実行する際に装置をサポートするように構成されている。メモリは、プロセッサに結合されるように構成され、装置に必要なプログラム（命令）およびデータを記憶する。追加的に、装置は、別のネットワーク要素と通信する際に装置をサポートするように構成されている通信インターフェースをさらに含んでもよい。通信インターフェースはトランシーバであってもよい。
【００４４】
可能な設計では、装置はトランシーバユニットを含んでもよい。トランシーバユニットは、一次ＡＰによって送信される協調伝送要求を受信し、一次ＡＰに第１の応答情報を送信し、一次ＡＰによって送信される干渉テスト情報を受信するように構成されている。任意に、装置は、処理ユニットをさらに含んでもよく、処理ユニットは、干渉テスト情報の干渉テスト結果に基づいて、協調伝送を実行するかどうかを決定するように構成されている。
【００４５】
第４の態様によれば、協調伝送制御方法および装置が提供される。
【００４６】
可能な設計では、この方法は、一次アクセスポイントＡＰに適用されるか、または一次ＡＰに対応するステーションＳＴＡに適用される。この方法は、一次アクセスポイントＡＰによって、協調伝送要求を二次ＡＰに送信することであって、協調伝送要求は、折衝パラメータ情報を搬送する、送信することと、二次ＡＰが、折衝パラメータ情報に基づいて、一次ＡＰと協調伝送を実行しようとするときに、一次ＡＰによって、二次ＡＰによって送信される第１の応答情報を受信することであって、第１の応答情報は、二次ＡＰが協調伝送を実行することを期待することを示すために使用される、受信することと、一次ＡＰによって、干渉テスト情報を二次ＡＰに送信することであって、干渉テスト情報は、二次ＡＰが干渉テストを実行して、協調伝送を実行するかどうかを決定するために使用される、送信することと、を含む。この設計において、一次ＡＰは、セル内のステーションＳＴＡを下りリンク伝送を実行するようにスケジュールし、二次ＡＰは、セル内のステーションＳＴＡを上りリンク伝送を実行するようにスケジュールすることができるが、制限は設けないと理解され得る。
【００４７】
この設計では、協調伝送を実行するかどうかは、セル間の設定パラメータ共有を通して、かつ干渉テストの二重決定条件に基づいて、決定され、アクセスポイントが事前に干渉状態を学習でき、これにより、実際の協調伝送中に引き起こされる干渉による不要な再伝送を防止し、通信効率を向上させるようにする。
【００４８】
可能な設計では、二次ＡＰが、折衝パラメータ情報に基づいて、一次ＡＰとの協調伝送を実行することをスキップすることを決定するときに、一次ＡＰは、事前設定された時間内に二次ＡＰからフィードバックを受信しない、または二次ＡＰによって送信される第２の応答情報を受信し、第２の応答情報は、二次ＡＰが協調伝送を実行することができないことを示すために使用される。
【００４９】
可能な設計において、一次ＡＰによって、二次ＡＰによって送信される第１の指示情報を受信することであって、第１の指示情報は、一次ＡＰがデータを送信するため使用されるプレコーディング行列Ｑ１を示すために使用される、受信することと、干渉テスト情報がＱ１を使用して送信されることと、をさらに含む。この設計によれば、二次ＡＰは、特定のセル設定パラメータに基づいて干渉防止ビームフォーミング方法を決定することができ、それによって、干渉を効果的に回避することができる。
【００５０】
可能な設計では、干渉テスト情報は、一次ＡＰによってスケジュールされるステーションＳＴＡに送信される下りリンクデータパケット内の対応するトレーニングフィールドに関する情報を含む、または干渉テスト情報は、一次ＡＰがスケジュールされるステーションＳＴＡに下りリンクデータパケットを送信する前に、一次ＡＰによって送信される別個のデータパケット内の対応するフィールドに関する情報である。
【００５１】
可能な設計では、折衝パラメータ情報は、一次ＡＰのアンテナの量と、一次ＡＰに対応するセル内の空間フローの量の少なくとも１つを含む。
【００５２】
これに対応して、協調伝送制御装置が提供される。装置は、第４の態様において、対応する方法を実施してもよい。例えば、機能形態に基づいて、装置はアクセスポイントＡＰまたはステーションＳＴＡであってもよい。例えば、装置は、アクセスデバイスもしくはステーションデバイスであってもよく、またはこれらのデバイス内のチップもしくは機能モジュールであってもよい。前述の方法は、ソフトウェアまたはハードウェアによって、または対応するソフトウェアを実行するハードウェアによって実施されてもよい。
【００５３】
可能な設計では、装置は、プロセッサおよびメモリを含んでもよい。プロセッサは、第４の態様の方法において対応する機能を実行する際に装置をサポートするように構成されている。メモリは、プロセッサに結合されるように構成され、装置に必要なプログラム（命令）およびデータを記憶する。追加的に、装置は、別のネットワーク要素と通信する際に装置をサポートするように構成されている通信インターフェースをさらに含んでもよい。通信インターフェースはトランシーバであってもよい。
【００５４】
可能な設計では、装置はトランシーバユニットを含んでもよい。トランシーバユニットは、協調伝送要求を二次ＡＰに送信し、二次ＡＰによって送信される第１の応答情報を受信し、二次ＡＰに干渉テスト情報を送信するように構成されている。任意に、装置は、処理ユニットをさらに含んでもよく、処理ユニットは、送信される情報を決定するか、または受信された情報を処理するように構成されている。
【００５５】
この出願は、コンピュータ記憶媒体をさらに提供し、コンピュータ記憶媒体はコンピュータプログラム（命令）を記憶する。プログラム（命令）がコンピュータ上で動作するときに、コンピュータは、前述の態様のいずれかで方法を実行することが可能にされる。
【００５６】
この出願は、コンピュータプログラム製品をさらに提供する。コンピュータプログラム製品がコンピュータ上で動作するときに、コンピュータは、前述の態様のいずれか１つに従って方法を実行することが可能にされる。
【００５７】
この出願は、協調伝送制御のために構成されたチップをさらに提供し、チップは命令を記憶する。命令が通信デバイス上で動作するときに、通信デバイスは、前述の態様において対応する方法を実行することが可能にされる。
【００５８】
この出願は、さらに、メモリ、プロセッサ、およびメモリに記憶され、プロセッサ上で動作することができるコンピュータプログラムを含む、協調伝送制御装置を提供する。コンピュータプログラムを実行するときに、プロセッサは、前述の態様において対応する方法を実施する。
【００５９】
この出願は、プロセッサを含む協調伝送制御装置をさらに提供する。プロセッサは、メモリに結合され、メモリ内の命令を読み取り、命令に従って前述の態様における対応する方法を実施するように構成されている。メモリは、プロセッサに統合されてもよく、またはプロセッサとは独立して存在してもよいことが理解され得る。
【００６０】
この出願は、プロセッサを含む協調伝送制御装置をさらに提供する。コンピュータプログラムを実行するときに、プロセッサは、前述の態様において対応する方法を実施する。
【００６１】
この出願は、さらに、上述の一次ＡＰ装置および上述の少なくとも１つの二次ＡＰ装置を含む、協調伝送制御システムをさらに提供する。システム内のこれらの構成要素は、前述の態様において対応する方法を実施することができる。
【００６２】
上述の装置、コンピュータ記憶媒体、コンピュータプログラム製品、チップ、およびシステムは、全て、上述の対応する方法を実施するように構成されることが理解され得る。従って、装置、コンピュータ記憶媒体、コンピュータプログラム製品、チップ、およびシステムによって達成され得る有益な効果については、対応する方法の有益な効果を参照し、本明細書では再度説明されない。
【図面の簡単な説明】
【００６３】
この出願の実施形態における技術的解決策をより明確に説明するために、以下では、この出願の実施形態を説明するために必要な添付の図面を簡単に説明する。
明らかに、以下の説明の添付図面は、この出願のいくつかの実施形態を示しているに過ぎず、当業者は、創造的努力なしに、この出願の実施形態およびこれらの添付図面から他の図面を依然として導出することができる。
【００６４】
【図１】この出願によるネットワークシステムのアーキテクチャを示す。
【図２】この出願による協調伝送制御方法の第１の実施形態のフローチャートである。
【図３】この出願による協調（並列）伝送要求の情報フォーマットの概略図である。
【図４】この出願による協調伝送制御方法の第２の実施形態のフローチャートである。
【図５】この出願による別の協調伝送制御方法の第１の実施形態のフローチャートである。
【図６】この出願による別の協調伝送制御方法の第２の実施形態のフローチャートである。
【図７ａ】この出願による協調（並列）伝送応答の情報フォーマットの概略図である。
【図７ｂ】この出願による協調（並列）伝送応答の別の情報フォーマットの概略図である。
【図７ｃ】この出願による協調（並列）伝送応答の他の情報フォーマットの概略図である。
【図７ｄ】この出願による協調（並列）伝送応答情報および干渉テスト情報の伝送モードの概略図である。
【図７ｅ】この出願による協調（並列）伝送応答の別の情報フォーマットの概略図である。
【図７ｆ】この出願による協調（並列）伝送応答の別の情報フォーマットの概略図である。
【図７ｇ】この出願による協調（並列）伝送応答情報および干渉テスト情報の伝送モードの概略図である。
【図７ｈ】この出願による協調（並列）伝送応答の別の情報フォーマットの概略図である。
【図８ａ】この出願によるＡＰ２のスケジュール機会の概略図である。
【図８ｂ】この出願によるＡＰ２のスケジュール機会の別の概略図である。
【図９】この出願による協調伝送制御装置の簡略概略構造図である。
【図１０】この出願によるネットワークデバイスの簡略概略構造図である。
【発明を実施するための形態】
【００６５】
この出願によって解決される技術的問題、およびこの出願において使用される技術的解決策および達成される技術的効果をより明確にするために、以下、実施形態および添付の図面を参照して、この出願における技術的解決策をさらに詳細に説明する。詳細な説明は、ブロック図、フローチャート、および／または実施例を使用して、デバイスおよび／またはプロセスの様々な実施形態を提供する。これらのブロック図、フローチャート、および／または実施例は、１つ以上の機能および／または動作を含むため、当業者は、ブロック図、フローチャート、および／または実施例の各機能および／または動作が、多くのハードウェア、ソフトウェア、および／またはファームウェア、および／またはそれらの任意の組み合わせを使用することによって、独立して、および／または共同して実行され得ることを理解してもよい。
【００６６】
この出願における「複数」とは、２つまたは３つ以上を指す。この出願における用語「および／または」とは、関連オブジェクトを説明するための関連関係のみを説明し、３つの関係が存在し得ることを表す。例えば、Ａおよび／またはＢは、Ａのみ存在することと、ＡとＢの両方が存在することと、Ｂのみ存在することの３つのケースを表してもよい。追加的に、この明細書における文字「／」は、一般に関連オブジェクト間の「または」関係を示す。この出願においては、「第１」、「第２」などの用語は、異なるオブジェクト間を区別することが意図されており、オブジェクトの特定の順序を示さない。
【００６７】
この出願においては、名詞「ネットワーク」および「システム」は、通常、互換的に使用されるが、当業者は、名詞の意味を理解することができる。場合によっては、この出願で言及されている「ステーション（Station、略してＳＴＡ）」／「端末」は、各々、携帯デバイス、例えば、携帯電話、パーソナル・デジタル・アシスタント、ハンドヘルドコンピュータまたはラップトップコンピュータ、および電気通信能力を有する同様のデバイスであってもよい。場合によっては、「ステーション」／「端末」は、ウェアラブルデバイスなどであってもよく、ユーザの通信セッションを終了させることができる任意のハードウェアまたはソフトウェアの構成要素であってもよい。追加的に、「ユーザ端末」、「User  Equipment」、「ＵＥ」、「端末デバイス」、「ユーザデバイス」、「ユーザエージェント」、「User  Agent」、「ＵＡ」、「ユーザ機器」、「携帯デバイス」、「デバイス」などは、すべて、この明細書において「ステーション（Station、略してＳＴＡ）」／「端末」と同じ意味を備えた代替用語である。説明を容易にするために、上述のデバイスは、この出願の全ての実施形態において、サイトまたはＳＴＡと総称される。
【００６８】
この出願で言及される「アクセスポイント（Access  Point、略してＡＰ）」は、ネットワークデバイス、すなわち、無線アクセスネットワーク内に配置され、端末装置に対して無線通信機能を提供する装置であり、ＳＴＡの上りリンク／下りリンク伝送のスケジュールおよび設定を担当することができる。アクセスポイントは、様々な形態のマクロ基地局、マイクロ基地局、中継ノード、アクセスポイント等を含んでもよく、従来の無線通信システムにおけるピアデバイスの改良としてシステムおよびデバイスを含む。このような高度なデバイスまたは次世代デバイスは、ロングタームエボリューションＬＴＥ通信システム、５Ｇ通信システム、将来進化したシステム、または複数のタイプの通信コンバージェンスシステムに含まれてもよい。アクセスポイント機能を持つデバイスの名称は、異なる無線アクセス技術を使用するシステムによって異なってもよい。説明を容易にするために、この出願では、ＳＴＡのための無線通信機能を提供する前述の装置は全て、アクセスポイントまたはＡＰと呼ばれる。
【００６９】
この出願で言及される「協調伝送」とは、少なくとも２つのＡＰ／ＳＴＡが各々セル内通信伝送を実行し、２つのセル間の相互干渉を回避するために、ＡＰ／ＳＴＡが協調伝送を実行することを意味する。このような協調伝送は、少なくとも２つのＡＰ／ＳＴＡが同時に伝送を実行するため、並列伝送とも呼ばれる。
【００７０】
図１は、この出願におけるネットワークシステムのアーキテクチャを提供する。システムでは、２つ以上のＡＰがあり、各ＡＰに対して、ＡＰに関連する１つ以上のＳＴＡがある。追加的には、複数のＡＰの中には、１つの一次ＡＰ（例えば、ＡＰ１）と少なくとも１つの二次ＡＰ（例えば、ＡＰ２とＡＰ３）がある。ＡＰ１は、競合を通して、チャネルを使用する権利を取得するアクセスポイント、またはＡＰグループ内にあり、共同伝送中に伝送が優先的に確実にされるアクセスポイントとして、ＡＰグループからＡＣによって選出される一次ＡＰである。一次ＡＰとして機能するＡＰ１は、伝送が優先的に確実にされるアクセスポイントであってもよい。任意に、ＡＰ１は、定義されたルールに従ってＡＰグループの制御点としてＡＰグループから選択されるか、または競合によってＡＰグループの制御点となってもよい。ＡＰ１は、ＡＰグループ上の伝送、リソースなどを制御および管理する機能を実行してもよく、複数のＡＰの協調伝送を調整してもよい。任意に、ＡＰグループを制御および管理する機能は、追加のアクセスコントローラ（Access  Controller、略してＡＣ）を使用して実施されてもよい。追加のＡＣが、複数のＡＰの協調伝送を調整するために、ＡＰグループ内にさらに配置されてもよい。有線または無線伝送は、ＡＰ間およびＡＰとＡＣとの間で使用されてもよい。
【００７１】
本システムでは、ＡＰ１が、上りリンク伝送のためにＡＰ１によってサービスされるセル内のＳＴＡ１をスケジュールし、ＡＰ２が、下りリンク伝送のためにＡＰ２によってサービスされるセル内のＳＴＡ２をスケジュールする場合、距離が比較的短いため、ＡＰ２の下りリンク伝送は、上りリンク受信を実行するＡＰ１に強い干渉を引き起こす可能性がある。代替的には、ＡＰ１が、下りリンク伝送のためにＡＰ１によってサービスされるセル内のＳＴＡ１をスケジュールし、ＡＰ２が、上りリンク伝送のためにＡＰ２によってサービスされるセル内のＳＴＡ２をスケジュールする場合、距離が比較的短いため、ＡＰ１の下りリンク伝送は、上りリンク受信を実行するＡＰ２に強い干渉を引き起こす可能性がある。干渉を避けるために、ＡＰ１によってサービスされるセルとＡＰ２にｙほってサービスされるセルは、協調伝送を実行することができず、通信効率の低下につながる。従って、この出願では、一次ＡＰと二次ＡＰとの間で協調伝送制御が実行されて、干渉制御を実行しながら通信効率を改善する。
実施形態１
【００７２】
システムにおいて、一次アクセスポイント（ＡＰ１）と少なくとも１つの二次アクセスポイント（ＡＰ２、ＡＰ３等）との間で協調伝送が実行される必要がある場合、この実施形態の方法が協調伝送制御を実行するために使用されて、セル間干渉を防止する必要がある。この出願のこの実施形態によれば、図２は、この出願による協調伝送制御方法の第１の実施形態のフローチャートである。この実施形態は、実施例として、ＡＰ１が上りリンク伝送を実行し、ＡＰ２が下りリンク伝送を実行するというシナリオを使用して説明されるが、制限は設けない。ＡＰ１によって対応してスケジュールされるステーションはＳＴＡ１であり、ＡＰ２によって対応してスケジュールされるステーションはＳＴＡ２である。解決策の理解を容易にするために、ＡＰ２が二次アクセスポイントとして使用する例を使用して、この実施形態およびその後の実施形態の全体的な説明が、複数の相互作用パーティの観点から提供される。しかし、これは、システムの改善が、全ての相互作用する側で一緒に実行されるステップを必要とすることを意味しない。この出願で提案された技術的解決策では、システムの各側で改良がなされる。
【００７３】
本方法は、以下のステップを含む。
【００７４】
Ｓ１０１．二次アクセスポイントＡＰは、ＡＰ１によって送信される調整伝送要求を受信し、調整伝送要求は折衝パラメータ情報を搬送する。
【００７５】
ＡＰがチャネルを使用する権利を取得するか、またはＡＰがシステムから選択された後、ＡＰは一次ＡＰ（すなわちＡＰ１）として決定され、システム内の他のＡＰは二次ＡＰ（例えば、ＡＰ２およびＡＰ３）である。この場合、ＡＰ１のデータ伝送と、ＡＰ１に対応するステーションＳＴＡ１のスケジュールがシステム内で確実にされる必要がある。ＡＰ１は、上りリンク伝送のためにＳＴＡ１をスケジュールすることを決定し、協調伝送要求を二次ＡＰ（例えば、ＡＰ２）に送信する。任意に、アクション（Action）フレームが、協調伝送要求の情報フォーマットとして使用されてもよい。フレームの特定の構造については、図３を参照されたい。図３は、協調（coordinated）伝送要求の情報フォーマットの概略図である。協調伝送要求は、折衝パラメータ情報を搬送することができ、任意に、ＡＰ１のアンテナの量、ＡＰ１によってサービスされるセル１内の空間フローの量、ＡＰ１によってサービスされるセルを識別するために使用される基本サービスセットカラー（Basic  Service  Set  Color、略してＢＳＳ）、送信機アドレス（すなわち、ＡＰ１のアドレス）、ＡＰ１が上りリンク伝送を実行するか下りリンク伝送を実行するかを示すために使用される上りリンク／下りリンク指示（この実施形態では、ＡＰ１は上りリンク伝送を実行する）、受信器アドレス（すなわち、ＡＰ２のアドレス）、およびスケジュールされるＳＴＡ１がデータを送信するために使用される帯域幅／リソースブロックのうちの少なくとも１つを含む。前述のパラメータ情報は、この出願に対する限定を構成しない。例えば、パラメータ情報は、送信電力と、変調および符号化情報とをさらに含んでもよい。
【００７６】
Ｓ１０２．ＡＰ２は、折衝パラメータ情報に基づいて、ＡＰ１と協調伝送を実行するかどうかを決定する。
【００７７】
ＡＰ２は、折衝パラメータ情報に基づいて、ＡＰ１と協調伝送を実行するかどうかを決定してもよい。例えば、ＡＰ２は、空間フローの量およびＡＰ２のアンテナの量と組み合わせたＡＰ１のアンテナの量に関する情報に基づいて、ＡＰ２がＡＰ１と協調伝送を実行することができるかどうかを決定する。例えば、空間フローの量がＡＰ１のアンテナの量に等しく、ＡＰ２のアンテナの量がＡＰ１のアンテナの量に等しい場合、ＡＰ２は、予約された空間方向を使用することによって、ＡＰ１によって実行される上りリンクデータ受信への干渉を防止することができず、従って、協調伝送を実行することができない。そして、空間フローの量がＡＰ１のアンテナの量以下であり、ＡＰ２のアンテナの量がＡＰ１のアンテナの量より大きいか、または、空間フローの量がＡＰ１のアンテナの量より小さく、ＡＰ２のアンテナの量がＡＰ１のアンテナの量以下である場合、ＡＰ２は、予約された空間方向を使用することによって、ＡＰ１によって実行される上りリンクデータ受信への干渉を防止することができ、従って、協調伝送を実行することができる。以上は、この出願の実施例に過ぎない。ＡＰ２がＡＰ１と協調するかどうかを決定する方法は、これに限定されない。
【００７８】
Ｓ１０３．ＡＰ１と協調伝送を実行しないと決定するときに、ＡＰ２はＡＰ１にＡＰ２が協調伝送できないことを示す情報をフィードバックする。
【００７９】
このステップは任意のステップである。ＡＰ１と協調伝送を実行しないと決定するときに、ＡＰ２は、このステップを使用することにより、ＡＰ２が協調伝送できないことを示す情報をフィードバックし、ＡＰ１に通知してもよい。任意に、ＡＰ１と協調伝送を実行しないと決定するときに、ＡＰ２は、ＡＰ２が協調伝送を実行することができないことをＡＰ１が決定するために、事前設定された時間内に協調伝送要求に応答しなくてもよい。この場合、このステップの動作は必要ではない。
【００８０】
ＡＰ２が協調伝送を実行できない場合、ＡＰ１は、協調伝送を実行するために、他のセル内の二次ＡＰ（例えば、ＡＰ３）を選択し続けるか、または単一セル伝送を実行してもよい。
【００８１】
Ｓ１０４．ＡＰ１と協調伝送を実行すると決定するときに、ＡＰ２は、ＡＰ１に、ＡＰ２が協調伝送を実行することを決定することを示す応答情報を送信する。
【００８２】
このステップは任意のステップであり、ステップＳ１０５で送信される干渉テスト情報は、代替的に、ＡＰ２が協調伝送を実行すると決定することを示してもよい。応答情報の情報フォーマットは、既存の情報フォーマットであってもよい。図７ａは、協調（coordinated）伝送応答の情報フォーマットの概略図である。協調伝送応答は、まず、レガシーショートトレーニングフィールド（Legacy  Short  Training  Field、略してＬ−ＳＴＦ）、レガシーロングトレーニングフィールド（Legacy  Long  Training  Field、略してＬ−ＬＴＦ）、およびレガシー信号フィールド（Legacy  Signal  Field、略してＬ−ＳＩＧ）を含み、これらは、後方互換性を確保し、データに対応する継続期間を示すために使用される。プリアンブルは、ＮＧ規格に特有のシグナリング情報を搬送するために使用される次世代シグナリングＡおよび／またはＢ（Next  Generation  Signaling  A/B、略してＮＧ−ＳＩＧ−Ａ／Ｂ）をさらに含む。ＮＧはコード名を表し、次世代（next  generation）を意味してもよい。確かに、別のコード名が使用されてもよい。フォローアップ分野としては、次世代ショートトレーニングフィールド（Next  Generation  Short  Training  Field、略してＮＧ−ＳＴＦ）および次世代ロングトレーニングフィールド（Next  Generation  Long  Training  Field、略してＮＧ−ＬＴＦ）を含み、これらは、自動ゲイン制御（Automatic  Gain  Control、略してＡＧＣ）および他入力他出力（Multiple  Input  Multiple  Output、略してＭＩＭＯ）の場合のチャネル測定のためにそれぞれ使用される。ＮＧ−ＬＴＦフィールドは、複数のＮＧ−ＬＴＦシンボルを含んでもよく、複数の空間時間フローにおけるチャネル測定に使用される。フォローアップ部は、ＭＡＣフレームを搬送するために使用されるデータ（Data）フィールドであり、データフィールドは、ＡＰ２が協調伝送を実行することを期待することを示す。
【００８３】
Ｓ１０５．ＡＰ１との協調伝送を実行すると決定するときに、ＡＰ２は、ＡＰ１に対して干渉テスト情報を送信する。
【００８４】
ステップＳ１０４が実行されるときに、干渉テスト情報は、ＡＰ２が協調伝送を実行すると決定したことを示す応答情報と共に、またはこれとは別に送信されてもよい。干渉テスト情報が応答情報と共に送信されるときに使用されるフレーム構造は、図７ｂに示されるデータパケット構造であってもよく、または干渉テスト情報が応答情報と共に送信されるときに使用されるフレーム構造は、図７ｃに示されるデータパケット構造であってもよく、干渉テスト情報とデータフィールドとの間にパディングフィールドがさらに設けられる。干渉テスト情報が応答情報とは別に送信されるときに使用されるフレーム構造は、図７ｄに示されてもよく、干渉テスト情報と応答情報フレームは、短いフレーム間隔によって分離される。いずれの場合でも、データフィールドの後に干渉テスト情報が存在するかどうかは、応答情報の信号フィールドのビット指示を使用して示されてよい。
【００８５】
また、ステップＳ１０１において、ＡＰ１によって送信される協調伝送要求は、ＡＰ２によって送信される応答情報のデータパケットが干渉テスト情報を搬送することが期待されるかどうかを示してもよいことが理解され得る。
【００８６】
干渉テスト情報は干渉テストシーケンスであってもよく、８０２．１１規格のいくつかの既存シーケンスが使用されてもよく、例えばレガシーロングトレーニングシーケンス（Legacy  Long  Training  Field、Ｌ−ＬＴＦ）である。干渉テストシーケンスは、高スループットロングトレーニングシーケンス（High  Throughput  LTF、略してＨＴ−ＬＴＦ）、非常に高レートのロングトレーニングシーケンス（Very  HT  LTF、略してＶＨＴ−ＬＴＦ）、高効率のロングトレーニングシーケンス（High  Efficient  LTF、略してＨＥ−ＬＴＦ）、またはランダムシーケンスであってもよい。
【００８７】
干渉テスト情報は、ＡＰ１によって実行されるデータ受信への干渉を防止するために使用されるプレコーディング行列Ｑ２を使用して送信されてもよい。任意に、Ｑ２の選択標準はＨ２１Ｑ２＝０である。Ｈ２１は、ＡＰ１とＡＰ２との間のチャネル推定情報であり、この出願はこれに限定されない。代替的に、ＡＰ２によってサービスされるセル内の受信端状態を考慮すると、干渉テスト情報は、別のプレコーディング行列を使用して送信される。
【００８８】
Ｓ１０６．ＡＰ１は、受信した干渉テスト情報に基づいて干渉テストを実行し、ＡＰ２と協調伝送しないことを決定する。
【００８９】
ステップ１０４が実行される場合、ＡＰ１は、応答情報のデータフィールドに基づいて、ＡＰ２が協調伝送を実行するかどうかを決定してもよい。任意に、ＡＰ１は、対応するビット指示に基づいて、干渉テスト情報がデータフィールドの後に存在するかどうかを決定する。
【００９０】
ＡＰ１は、干渉テスト情報を使用して、ＡＰ２への干渉が所定の閾値を超えるかどうかをテストし、干渉が閾値を超える場合、ＡＰ２と協調伝送を実行しないことを選択してもよい。任意に、干渉が閾値に等しい場合、ＡＰ１は、ＡＰ２と協調伝送を実行しないことを選択してもよい。
【００９１】
Ｓ１０７．ＡＰ２と協調伝送を実行しないことを選択するときに、ＡＰ１は、ＡＰ１がＡＰ２と協調伝送を実行しないことを示す情報を送信する。
【００９２】
この情報は、別個の協調確認フレーム内で搬送され、ＡＰ２に送信されるか、またはＳＴＡ１に全方向に送信される上りリンク伝送トリガフレーム内で搬送されてもよい。この情報は、フレーム内の対応するビット指示、例えば、１ビット指示であってもよく、ビット指示の値は、０または１である。代替的には、この情報は対応する識別子であってもよく、例えば、予約済みの識別子または非周囲のセルに存在するＡＰの識別子であってもよく、ＡＰ１が協調伝送を実行することを期待しないことを示すものである。
【００９３】
Ｓ１０８．ＡＰ１は、受信した干渉テスト情報に基づいて干渉テストを行い、ＡＰ２と協調伝送を実行することを決定する。
【００９４】
ステップ１０４が実行される場合、ＡＰ１は、応答情報のデータフィールドに基づいて、ＡＰ２が協調伝送を実行するかどうかを決定することができる。任意に、ＡＰ１は、対応するビット指示に基づいて、干渉テスト情報がデータフィールドの後に存在するかどうかを決定する。
【００９５】
ＡＰ１は、干渉テスト情報を使用して、ＡＰ２への干渉が所定の閾値を超えるかどうかをテストし、干渉が閾値を超えない場合、ＡＰ２と協調伝送を実行することを選択してもよい。任意に、干渉が所定の閾値に等しい場合、ＡＰ１は、ＡＰ２と協調伝送を実行することを選択してもよい。
【００９６】
Ｓ１０９．ＡＰ２と協調伝送を実行することを選択するときに、ＡＰ１は、ＡＰ１がＡＰ２との協調伝送を実行することを示す情報を送信する。
【００９７】
この情報は、別個の協調確認フレーム内で搬送され、ＡＰ２に送信されてもよく、またはＳＴＡ１に特有の全方向に送信される上りリンク伝送トリガフレーム内で搬送されてもよい。この情報は、フレーム内の対応するビット指示、例えば、１ビット指示であってもよく、ビット指示の値は、０または１である。代替的には、情報は、対応する識別子、例えば、ＡＰ２の識別子であってもよく、ＡＰ１が協調伝送を実行することを期待することを示すものである。
【００９８】
ＡＰ１が、協調伝送が選択されているかどうかにかかわらず、別個の協調確認フレームを使用してフィードバックを提供する場合、ＡＰ１は、その後、ＡＰ１によってスケジュールされるＳＴＡ１に上りリンクデータ伝送トリガフレームを送信し、ＳＴＡ１は、トリガフレームを受信した後に上りリンクデータ伝送を実行することに留意されたい。ＡＰ１が、トリガフレームを使用してフィードバックを提供する場合、協調伝送が選択されているかどうかにかかわらず、ＳＴＡ１は、トリガフレームを受信した後に上りリンクデータ伝送を実行する。
【００９９】
ＡＰ１が協調伝送を実行することを選択する場合、ＡＰ２は、協調確認フレームまたはトリガフレームを受信した後、ＡＰ１と協調伝送を実行するために、スケジュールされるＳＴＡ２に下りリンクデータを送信する（Ｓ１０５のＱ２などの特定のプレコーディング行列を使用して干渉テスト情報が送信される場合、Ｑ２を使用して下りリンクデータも送信する）。ＡＰ２とＡＰ１の協調伝送が同時に終了するか、ＡＰ２の下りリンク伝送がＡＰ１の上りリンク伝送よりも早く終了することに留意されたい。ＡＰ１の上りリンク伝送の時間情報は、前述のメッセージまたはフレームのいずれか１つで搬送されてもよい。
【０１００】
さらに、ステップＳ１０３、Ｓ１０４、およびＳ１０５は、必ずしも特定の順序で実行されるわけではなく、異なる場合には単に異なる処理であることに留意されたい。Ｓ１０６、Ｓ１０７、Ｓ１０８、およびＳ１０９は、必ずしも特定の順序で実行されるわけではなく、異なる場合には単に異なる処理である。
【０１０１】
この出願のこの実施形態における協調伝送制御方法によれば、セル間の設定パラメータ共有を通して、かつ干渉テストの二重決定条件に基づいて協調伝送を実行するかどうかが決定されて、アクセスポイントが事前に干渉状態を学習することができ、これにより、実際の協調伝送中に引き起こされる干渉による不要な再伝送を防止し、通信効率を向上させるようにする。
実施形態２
【０１０２】
図４は、この出願による協調伝送制御方法の第２の実施形態のフローチャートである。なお、この実施形態と実施形態１との相違点は、この実施形態では、ＡＰ２が協調伝送を実行することを決定する場合が説明され、異なる条件でＡＰ２によって実行される協調伝送の伝送制御手順が具体的に区別される点にある。なお、実施形態１と同一または類似の内容については、この実施形態では再度説明されない。
【０１０３】
本方法は、以下のステップを含む。
【０１０４】
Ｓ２０１．ＡＰ１は協調伝送要求を送信し、ＡＰ２はＡＰ１によって送信される協調伝送要求を受信し、協調伝送要求は折衝パラメータ情報を搬送する。
【０１０５】
搬送される折衝パラメータ情報は、主に、ＡＰ１のアンテナの量およびセル１の空間フローの量を含む。このステップは、実施形態１のＳ１０１と同様である。詳細はＳ１０１を参照のこと。詳細は、本明細書では再度説明されない。
【０１０６】
Ｓ２０２．ＡＰ２は、折衝パラメータ情報に基づいて、一方向性ビームフォーミングを通してＡＰ１と協調伝送を実行することを決定し、ＡＰ２がデータを送信するために使用されるプレコーディング行列Ｑ２を決定する。
【０１０７】
ＡＰ２は、空間フローの量およびＡＰ２のアンテナの量と組み合わせたＡＰ１のアンテナの量に関する情報に基づいて、ＡＰ２がＡＰ１と協調伝送を実行することができるかどうかを決定してもよい。空間フローの量がＡＰ１のアンテナの量以下であり、ＡＰ２のアンテナの量がＡＰ１のアンテナの量より大きい場合、ＡＰ２は、予約された空間方向を使用して、ＡＰ１によって実行される上りリンクデータ受信への干渉を一方向性に防止することができ、従って、協調伝送を実行することができる。ＡＰ１によって実行されるデータ受信への干渉を防止するために使用されるプレコーディング行列Ｑ２は、データ伝送のために選択されてもよい。任意に、Ｑ２の選択標準は、Ｈ２１Ｑ２＝０であり、Ｈ２１は、ＡＰ１とＡＰ２との間のチャネル推定情報である。この出願は、これに限定されない。
【０１０８】
Ｓ２０３．ＡＰ２は、ＡＰ１に、ＡＰ２が協調伝送を実行することを決定したことを示す応答情報を送信する。
【０１０９】
このステップは任意のステップであり、ステップＳ２０４で送信された干渉テスト情報は、代替的に、ＡＰ２が協調伝送を実行することを決定したことを示してもよい。応答情報の情報フォーマットは、図７ａに示されるデータパケット構造であってもよく、データフィールドは、ＡＰ２が協調伝送を実行することを期待することを示す。
【０１１０】
Ｓ２０４．ＡＰ２は、干渉テスト情報をＡＰ１に送信する。
【０１１１】
ステップＳ２０３が実行されるときに、干渉テスト情報は、ＡＰ２が協調伝送を実行することを決定したことを示す応答情報（特定の情報フォーマットについては、図７ｂまたは図７ｃを参照のこと）と共に送信されてもよく、または干渉テスト情報は、応答情報（特定の情報フォーマットについては、図７ｄ参照のこと）とは別に送信されてもよい。干渉テスト情報は、プレコーディング行列Ｑ２を使用して送信されてもよい。
【０１１２】
Ｓ２０５．ＡＰ２は、折衝パラメータ情報に基づいて、双方的ビームフォーミングを通してＡＰ１と協調伝送を実行することを決定し、ＡＰ２がデータを送信するために使用されるプレコーディング行列Ｑ２′、およびＡＰ１がデータを受信するために使用される受信等化行列Ｗ１を決定する。
【０１１３】
ＡＰ２は、空間フローの量およびＡＰ２のアンテナの量と組み合わせたＡＰ１のアンテナの量に関する情報に基づいて、ＡＰ２がＡＰ１と協調伝送を実行することができるかどうかを決定してもよい。空間フローの量がＡＰ１のアンテナの量より少なく、ＡＰ２のアンテナの量がＡＰ１のアンテナの量以下である場合、ＡＰ１によって実行される上りリンクデータ受信への干渉は、予約された空間方向を使用することによって双方的に防止され、従って、協調伝送が行われ得る。
【０１１４】
ＡＰ１によって実行される上りリンクデータ受信への干渉が予約された空間方向を使用することによって双方的に防止され得ると決定されるときに、ＡＰ２は、送信端としてＡＰ２のプレコーディング行列Ｑ２′を決定する必要があるだけでなく、ＡＰ１がデータを受信するために使用される受信等化行列を決定する必要もあり、すなわち、ＡＰ２は送信端ビームフォーミングを実行し、ＡＰ１は受信端ビームフォーミングを実行する。ＡＰ２のＱ２′およびＡＰ１のＷ１は、任意の標準Ｗ１Ｈ２１Ｑ２′＝０に従って決定され、Ｈ２１は、ＡＰ１とＡＰ２の間のチャネル推定情報である。この出願は、これに限定されない。
【０１１５】
Ｓ２０６．ＡＰ２は、ＡＰ１に、ＡＰ２が協調伝送を実行することを決定したことを示す応答情報を送信し、応答情報は、ＡＰ１がデータを受信するために使用される受信等化行列Ｗ１の指示情報を搬送する。
【０１１６】
応答情報の情報フォーマットは、図７ｅに示すデータパケット構造であってもよい。ＡＰ２が協調伝送を実行するかどうかを示す協調応答情報に加えて、応答情報中のデータフィールドは、ＡＰ１がデータを受信するために使用される受信等化行列Ｗ１に関する情報をさらに搬送する。
【０１１７】
Ｓ２０７．ＡＰ２は、干渉テスト情報をＡＰ１に送信する。
【０１１８】
干渉テスト情報は、ＡＰ２が協調伝送を実行することを決定したことを示す応答情報と共に、またはこれとは別に送信されてもよい。干渉テスト情報が応答情報と共に送信されるときに、図７ｆに示されるフレーム構造が使用されてもよい。図７ｃと同様に、データフィールドと干渉テスト情報との間にパディングフィールドが設けられており、このフィールドは、データフィールド内で搬送されている受信等化行列Ｗ１を使用して、Ｑ２′を使用してＡＰ２によって送信される干渉テスト情報をＡＰ１が受信する準備をするために使用される。干渉テスト情報が応答情報とは別に送信されるときに、図７ｇに示すフレーム構造が使用されてもよい。
【０１１９】
Ｓ２０２〜Ｓ２０４、Ｓ２０５〜Ｓ２０７は、必ずしも特定の順序で実行されず、単に異なる場合の異なる処理であると留意されたい。
【０１２０】
Ｓ２０８．ＡＰ１は、受信した干渉テスト情報に基づいて干渉テストを実行し、ＡＰ２と協調伝送を実行しないことを決定する。
【０１２１】
ＡＰ１は、干渉テスト情報を用いて、ＡＰ２への干渉が所定の閾値を超えるかどうかをテストする。Ｓ２０２〜Ｓ２０４の場合、Ｑ２を使用して処理したデータを送信することは、ＡＰ１への干渉を引き起こさないのが理想である。しかしながら、ＡＰ２によって取得されるＱ２の精度が不十分な場合、またはセル内の受信端が別のプレコーディング行列を使用することを考慮すると、干渉が引き起こされることがある。干渉が閾値を超える場合、ＡＰ１は、ＡＰ２と協調伝送を実行しないことを選択してもよく、干渉が閾値を超えない場合、ＡＰ１は、ＡＰ２と協調伝送を実行することを選択してもよい。任意に、干渉が閾値に等しい場合、ＡＰ１は、ＡＰ２と協調伝送を実行しないことを選択してもよく、ＡＰ２と協調伝送を実行することを選択してもよい。
【０１２２】
Ｓ２０５〜Ｓ２０７の場合、理想的には、Ｑ２′を使用して送信されるデータを、Ｗ１を使用してＡＰ１が受信するときに、ＡＰ１に干渉は引き起こされない。しかしながら、ＡＰ２によって取得されるＱ２′またはＷ１が十分に正確でない場合、またはセル内の受信端が別のプレコーディング行列を使用することを考慮し、ＳＴＡ１によって送信されるデータの受信を考慮すると、ＡＰ１はデータを受信するためにＷ１を使用しないことがあり、干渉が引き起こされることがある。干渉が閾値を超える場合、ＡＰ１は、ＡＰ２と協調伝送を実行しないことを選択してもよく、干渉が閾値を超えない場合、ＡＰ１は、ＡＰ２と協調伝送を実行することを選択してもよい。任意に、干渉が閾値に等しい場合、ＡＰ１は、ＡＰ２と協調伝送を実行しないことを選択してもよく、ＡＰ２と協調伝送を実行することを選択してもよい。
【０１２３】
Ｓ２０９．ＡＰ２との協調伝送を実行しないことを選択するときに、ＡＰ１は、ＡＰ１がＡＰ２との協調伝送を実行しないことを示す情報を送信する。
【０１２４】
このステップは、実施形態１のＳ１０７と同様である。詳細は、Ｓ１０７を参照のこと。詳細は、本明細書では再度説明されない。
【０１２５】
Ｓ２１０．ＡＰ１は、受信した干渉テスト情報に基づいて干渉テストを実行し、ＡＰ２と協調通信を実行するかどうかを決定する。
【０１２６】
ＡＰ１は、干渉テスト情報を使用して、ＡＰ２への干渉が所定の閾値を超えるかどうかをテストし、干渉が閾値を超えない場合、ＡＰ２と協調伝送を実行することを選択してもよい。任意に、干渉が閾値に等しい場合、ＡＰ１は、ＡＰ２と協調伝送を実行することを選択してもよい。
【０１２７】
Ｓ２１１．ＡＰ２との協調伝送を実行することを選択するときに、ＡＰ１は、ＡＰ１がＡＰ２と協調伝送を実行することを示す情報を送信する。
【０１２８】
ＡＰ１が協調伝送を実行することを選択する場合、一方向性ビームフォーミングの場合、協調確認フレームまたはトリガフレームを受信した後、ＡＰ２は、Ｑ２を使用して、スケジュールされるＳＴＡ２に下りリンクデータを送信し、ＡＰ１と協調伝送を実行する。双方的ビームフォーミングの場合、協調確認フレームまたはトリガフレームを受信した後、ＡＰ２は、Ｑ２′を使用して、スケジュールされるＳＴＡ２に下りリンクデータを送信し、ＡＰ１は、Ｗ１を使用して、スケジュールされるＳＴＡ１によって送信される上りリンクデータを受信する。ＡＰ２とＡＰ１の協調伝送が同時に終了するか、ＡＰ２の下りリンク伝送がＡＰ１の上りリンク伝送よりも早く終了することに留意されたい。ＡＰ１の上りリンク伝送の時間情報は、前述のメッセージまたはフレームのいずれか１つで搬送されてもよい。
【０１２９】
このステップは、実施形態１のＳ１０９と同様である。他の関連する詳細な説明については、Ｓ１０９を参照のこと。詳細は、本明細書では再度説明されない。
【０１３０】
ステップＳ２０８、Ｓ２０９、Ｓ２１０、およびＳ２１１は、必ずしも特定の順序で実行されず、単に異なる場合における異なる処理であることに留意されたい。
【０１３１】
この出願のこの実施形態における協調伝送制御方法によれば、特定のセル設定パラメータに基づいて干渉防止ビームフォーミング方法が決定され、協調伝送を実行するかどうかが干渉テストの二重決定条件に基づいて決定されて、実際の協調伝送中に生じる干渉による不要な再伝送を防止するために、ビームフォーミングのための空間制御方法が使用されることができ、これにより、通信効率を向上させるようにする。
実施形態３
【０１３２】
この出願のこの実施形態によれば、図５は、この出願による別の協調伝送制御方法の第１の実施形態のフローチャートである。この実施形態は、実施例として一次アクセスポイントＡＰ１が下りリンク伝送を実行し、二次アクセスポイントＡＰ２が上りリンク伝送を実行するシナリオを使用して説明されるが、制限は設けない。ＡＰ１によって対応してスケジュールされるステーションはＳＴＡ１であり、ＡＰ２によって対応してスケジュールされるステーションはＳＴＡ２である。解決策の理解を容易にするために、この実施形態およびその後の実施形態の全体的な説明は、複数の相互作用パーティの観点から提供される。しかしながら、これは、確かに、システム内の全ての相互作用する側のステップが、一緒に実行される必要があることを意味しない。この出願で提案される技術的解決策では、システムの両側に改良が施される。前述の実施形態と同様の内容の説明および詳細については、本明細書では再度説明されない。
【０１３３】
本方法は、以下のステップを含む。
【０１３４】
Ｓ３０１．ＡＰ１は協調伝送要求を送信し、ＡＰ２はＡＰ１によって送信される協調伝送要求を受信し、協調伝送要求は折衝パラメータ情報を搬送する。
【０１３５】
ＡＰがチャネルを使用する権利を取得する、またはシステムから選択された後、ＡＰは一次ＡＰ（すなわち、ＡＰ１）として決定され、システム内の他のＡＰは二次ＡＰ（例えば、ＡＰ２およびＡＰ  ３）である。この場合、ＡＰ１のデータ伝送と、ＡＰ１に対応するステーションＳＴＡ１のスケジュールがシステムにおいて確実される必要がある。ＡＰ１は、上りリンク伝送を実行するためにＳＴＡ１をスケジュールすることを決定し、少なくとも二次ＡＰ（例えば、ＡＰ２）に協調伝送要求を送信する。任意に、アクション（Action）フレームが、協調伝送要求の情報フォーマットとして使用されてもよい。フレームの特定の構造については、図３を参照のこと。協調伝送要求は、折衝パラメータ情報を搬送することができ、任意に、ＡＰ１のアンテナの量、ＡＰ１によってサービスされるセル１内の空間フローの量、ＡＰ１によってサービスされるセルを識別するために使用される基本サービスセットカラー（Basic  Service  Set  Color、略してＢＳＳ）、送信機アドレス（すなわち、ＡＰ１のアドレス）、ＡＰ１が上りリンク伝送を実行するか下りリンク伝送を実行するかを示すために使用される上りリンク／下りリンク指示（この実施形態では、ＡＰ１は下りリンク伝送を実行する）、受信器アドレス（すなわち、ＡＰ２のアドレス）、およびスケジュールされるＳＴＡ１がデータを受信するために使用される帯域幅／リソースブロックのうちの少なくとも１つを含む。前述のパラメータ情報は、この出願に対する限定を構成しない。例えば、パラメータ情報は、送信電力と、変調および符号化情報とをさらに含んでもよい。
【０１３６】
Ｓ３０２．ＡＰ２は、折衝パラメータ情報に基づいて、ＡＰ１と協調伝送を実行するかどうかを決定する。
【０１３７】
ＡＰ２は、折衝パラメータ情報に基づいて、ＡＰ１と協調伝送を実行するかどうかを決定してもよい。例えば、ＡＰ２は、ＡＰ１の空間フローの量およびＡＰ２のアンテナの量と組み合わせたＡＰ１のアンテナの量に関する情報に基づいて、ＡＰ２がＡＰ１と協調伝送を実行することができるかどうかを決定する。例えば、空間フローの量がＡＰ１のアンテナの量に等しく、ＡＰ２のアンテナの量がＡＰ１のアンテナの量に等しい場合、ＡＰ２は、予約された空間方向を使用することによって、ＡＰ１によって実行される上りリンクデータ受信への干渉を防止することができず、従って、協調伝送を実行することができない。そして、空間フローの量がＡＰ１のアンテナの量以下であり、ＡＰ２のアンテナの量がＡＰ１のアンテナの量より大きいか、または、空間フローの量がＡＰ１のアンテナの量より小さく、ＡＰ２のアンテナの量がＡＰ１のアンテナの量以下である場合、ＡＰ２は、予約された空間方向を使用することによって、ＡＰ１によって実行される上りリンクデータ受信への干渉を防止することができ、従って、協調伝送を実行することができる。以上は、この出願の実施例に過ぎない。ＡＰ２がＡＰ１と協調するかどうかを決定する方法は、これに限定されない。
【０１３８】
Ｓ３０３．ＡＰ１と協調伝送を実行しないと決定するときに、ＡＰ２はＡＰ１にＡＰ２が協調伝送できないことを示す情報をフィードバックする。
【０１３９】
このステップは任意のステップである。ＡＰ１と協調伝送を実行しないと決定するときに、ＡＰ２は、このステップを使用することにより、ＡＰ２が協調伝送できないことを示す情報をフィードバックし、ＡＰ１に通知してもよい。任意に、ＡＰ１と協調伝送を実行しないと決定するときに、ＡＰ２は、ＡＰ２が協調伝送を実行することができないことをＡＰ１が決定するために、事前設定された時間内に協調伝送要求に応答しなくてもよい。この場合、このステップの動作は必要ではない。
【０１４０】
ＡＰ２が協調伝送を実行できない場合、ＡＰ１は、協調伝送を実行するために、他のセル内の二次ＡＰ（例えば、ＡＰ３）を選択し続けるか、または単一セル伝送を実行してもよい。
【０１４１】
Ｓ３０４．ＡＰ１と協調伝送を実行すると決定するときに、ＡＰ２は、ＡＰ１に、ＡＰ２が協調伝送を実行することを決定することを示す応答情報を送信する。
【０１４２】
ＡＰ１と協調伝送を実行すると決定するときに、ＡＰ２は、ＡＰ１に、ＡＰ２が協調伝送を実行することを決定することを示す応答情報を送信する。応答情報は、協調伝送応答フレームを使用して送信されてもよく、応答情報の情報フォーマットは、既存の情報フォーマットであってもよい。図７ａに示されるように、具体的な説明については、実施例１の関連する説明を参照のこと。詳細は、本明細書では再度説明されない。データフィールドは、ＡＰ２が協調伝送を実行することを期待することを示す。
【０１４３】
Ｓ３０５．ＡＰ１は干渉テスト情報を送信し、ＡＰ２は干渉テスト情報を受信する。
【０１４４】
ＡＰ１によって干渉テスト情報を送信するための２つの任意の実施態様がある。第１の実施態様は、ＡＰ１が干渉テスト情報を別々にＡＰ２に送信してもよく、第２の実施態様は、ＡＰ１がＳＴＡ１に送信された下りリンクデータパケットを干渉テスト情報として再利用し、ＡＰ２が干渉テスト情報を受信できるように下りリンクデータパケットを全方向に送信し得ることである。第２の実施態様には２つの場合がある。１つの場合は、ＳＴＡ１に正式に下りリンクデータパケットを送信する前に、ＡＰ１は、干渉をテストするために、事前に別個の下りリンクデータパケットをＳＴＡ１に送信し、他の場合は、ＡＰ１によってＳＴＡ１に正式に送信される下りリンクデータパケットが干渉をテストするために使用される。データパケットは、図ｂおよび図ｇに示されるように、既存の情報フォーマットであってもよい。ＮＧ−ＳＴＦ部分およびＮＧ−ＬＴＦ部分がテストシーケンスとして使用されてもよい。
【０１４５】
ＡＰ２は、ＡＰ１がＡＰ２によって実行されるデータ受信に対して干渉を引き起こすことを防止するために使用される受信等化行列Ｗ２を使用して、干渉テスト情報を受信してもよい。代替的には、ＡＰ２によってサービスされるセル内の送信端状態を考慮して、ＡＰ２は、別のプレコーディング行列を使用することによって干渉テスト情報を受信する。任意に、Ｗ２の選択標準は、Ｈ２１Ｗ２＝０であり、Ｈ２１は、ＡＰ１とＡＰ２との間のチャネル推定情報である。この出願は、これに限定されない。
【０１４６】
Ｓ３０６．ＡＰ２は、干渉テスト情報に基づいて干渉テストを実行して、ＡＰ１と協調伝送を実行しないことを決定する。
【０１４７】
ＡＰ２は、干渉テスト情報を使用して、ＡＰ１への干渉が所定の閾値を超えるかどうかをテストし、干渉が閾値を超える場合、ＡＰ１と協調伝送を実行しないことを選択してもよい。この場合、ＡＰ２は、ＡＰ２に対応するＳＴＡ２をスケジュールせず、上りリンクデータ伝送を実行するためにＳＴＡ２をスケジュールしない。ＳＴＡ１とＡＰ１との間の下りリンクデータ伝送は確実にされる必要があるため、ＡＰ２が協調伝送に関与するかどうかにかかわらず、ＡＰ１の下りリンクデータ伝送は影響されない。任意に、干渉が閾値に等しい場合、ＡＰ２は、ＡＰ１と協調伝送を実行しないことを決定してもよい。
【０１４８】
Ｓ３０７．ＡＰ２は、干渉テスト情報に基づいて干渉テストを実行して、ＡＰ１と協調伝送を実行するかどうかを決定する。
【０１４９】
ＡＰ２テストは、干渉テスト情報を使用して、ＡＰ１への干渉が所定の閾値を超えるかどうかをテストし、干渉が閾値を超えない場合、ＡＰ１と協調伝送を実行することを選択してもよい。任意に、干渉が閾値に等しい場合、ＡＰ２は、ＡＰ１と協調伝送を実行することを決定してもよい。
【０１５０】
Ｓ３０８．ＡＰ１との協調伝送を実行することを選択するときに、ＡＰ２は上りリンクデータ伝送を実行するためにＳＴＡ２をスケジュールする。
【０１５１】
上りリンクデータ伝送を実行するためにＳＴＡ２をスケジュールするために、ＡＰ２は、ＳＴＡ２にトリガフレームを送信して、上りリンクデータ伝送のためにＳＴＡをスケジュールしてもよい。
【０１５２】
Ｓ３０５においてＡＰ１が干渉テスト情報を送信するために使用される異なる形式に基づいて、ＡＰ２がトリガフレームを送信し、上りリンクデータ伝送を実行するためにＳＴＡ２をスケジュールするために使用される形式は変化する。
【０１５３】
ＡＰ１が干渉テスト情報を別々にＡＰ２に送信する場合、またはＡＰ１が、まず干渉を試験するために、事前に別々の下りリンクデータパケットをＳＴＡ１に送信する場合がＡＰ２のスケジュール機会の図８ａに示される概略図に示されてもよい。トリガフレームの送信は、ＡＰ１によってＳＴＡ１に正式に送信される次のフレームの下りリンクデータパケット内のデータフィールドの伝送が終了する前に開始され、次のフレームの下りリンクデータパケットの伝送と同時に開始してもよく、または次のフレームの下りリンクデータパケットの伝送プロセスにおいて任意の瞬間に開始してもよいが、スケジュールされる第２のＳＴＡの上りリンクデータ伝送は、次のフレームの下りリンクデータパケット内のデータフィールドの伝送が終了する前に終了するか、または次のフレームの下りリンクデータパケット内のデータフィールドの伝送と同時に終了する必要がある。
【０１５４】
ＡＰ１によってＳＴＡ１に正式に送信される下りリンクデータパケットが干渉を試験するために使用され、次世代ショートトレーニングフィールド（Next  Generation  Short  Training  Field、略してＮＧ−ＳＴＦ）部分および次世代ロングトレーニングフィールド（Next  Generation  Long  Training  Field、短縮ＮＧ−ＬＴＦ）部分などの対応するトレーニングフィールドが、テストシーケンスとして使用され得る場合が、ＡＰ２のスケジュール機会の図８ｂに示される概略図で示されてもよく、トリガフレームの伝送が下りリンクデータパケットの伝送プロセスで開始し、下りリンクデータパケット内のデータフィールドの伝送が終了する前にスケジュールされる第２のＳＴＡの上りリンクデータの伝送が終了するか、または下りリンクデータパケット内のデータフィールドの伝送と同時に終了する。
【０１５５】
さらに、ステップＳ３０３、Ｓ３０４、およびＳ３０５は、必ずしも特定の順序で実行されず、異なる場合には単に異なる処理であることに留意されたい。Ｓ３０６、Ｓ３０７、およびＳ３０８は、必ずしも特定の順序で実行されるわけではなく、異なる場合には単に異なる処理である。
【０１５６】
この出願のこの実施形態における協調伝送制御方法によれば、セル間の構成パラメータ共有を通して、かつ干渉テストの二重決定条件に基づいて協調伝送を実行するかどうかが決定されて、アクセスポイントが事前に干渉状態を学習することができ、これにより、実際の協調伝送中に引き起こされる干渉による不要な再伝送を防止し、通信効率を向上させるようにする。
実施形態４
【０１５７】
図６は、この出願による別の協調伝送制御方法の第２の実施形態のフローチャートである。本実施形態と実施形態３との相違点は、この実施形態では、ＡＰ２が協調伝送を実行することを決定した場合が説明され、ＡＰ２によって異なる条件で実行される協調伝送の伝送制御手順を具体的に区別される点である。なお、実施形態３と同一または類似の内容については、本実施形態では再度説明されない。
【０１５８】
本方法は、以下のステップを含む。
【０１５９】
Ｓ４０１．ＡＰ１は協調伝送要求を送信し、ＡＰ２はＡＰ１によって送信される協調伝送要求を受信し、協調伝送要求は折衝パラメータ情報を搬送する。
【０１６０】
搬送される折衝パラメータ情報は、主に、ＡＰ１のアンテナの量およびセル１の空間フローの量を含む。このステップは、実施形態３のＳ３０１と同様である。詳細は、Ｓ３０１を参照のこと。詳細は、本明細書では再度説明されない。
【０１６１】
Ｓ４０２．ＡＰ２は、折衝パラメータ情報に基づき、一方向性ビームフォーミングを通してＡＰ１と協調伝送を実行することを決定し、受信等化行列Ｗ２を決定する。
【０１６２】
ＡＰ２は、ＡＰ１の空間フローの量およびＡＰ２のアンテナの量と組み合わせたＡＰ１のアンテナの量に関する情報に基づいて、ＡＰ２がＡＰ１と協調伝送を実行することができるかどうかを決定してもよい。空間フローの量がＡＰ１のアンテナの量以下であり、かつＡＰ２のアンテナの量がＡＰ１のアンテナの量より多い場合、ＡＰ２は、ＡＰ２によって受信されるデータに対して受信ビームフォーミングを一方向性に実行し、ＡＰ１がＡＰ２によって実行される上りリンクデータ受信への干渉を引き起こさないようにすることができ、従って、協調伝送を実行することができる。
【０１６３】
ＡＰ２は、ＡＰ１がＡＰ２によって実行されるデータ受信に対する干渉を引き起こさないようにするために使用される受信等化行列Ｗ２を使用してデータを受信してもよい。任意に、Ｗ２の選択標準は、Ｈ２１Ｗ２＝であり、Ｈ２１は、ＡＰ１とＡＰ２との間のチャネル推定情報である。この出願は、これに限定されない。
【０１６４】
Ｓ４０３．ＡＰ１と協調伝送を実行することを決定するときに、ＡＰ２は、ＡＰ１に、ＡＰ２が協調伝送を実行することを決定したことを示す応答情報を送信する。
【０１６５】
ＡＰ１と協調伝送を実行することを決定するときに、ＡＰ２は、ＡＰ１に、ＡＰ２が協調伝送を実行することを決定したことを示す応答情報を送信する。応答情報は、協調伝送応答フレームを使用して送信されてもよく、応答情報の情報フォーマットは、既存の情報フォーマットであってもよい。図７ａに示されるように、具体的な説明については、前述の実施形態における関連する説明を参照のこと。詳細は、本明細書では再度説明されない。データフィールドは、ＡＰ２が協調伝送を実行することを期待することを示す。
【０１６６】
Ｓ４０４．ＡＰ２は、折衝パラメータ情報に基づいて、双方向性ビームフォーミングを通してＡＰ１と協調伝送を実行することを決定し、受信等化行列Ｗ２′およびＡＰ１がデータを送信に使用するために使用されるプレコーディング行列Ｑ１を決定する。
【０１６７】
ＡＰ２は、空間フローの量およびＡＰ２のアンテナの量と組み合わせたＡＰ１のアンテナの量に関する情報に基づいて、ＡＰ２がＡＰ１と協調伝送を実行することができるかどうかを決定してもよい。空間フローの量がＡＰ１のアンテナの量より少なく、ＡＰ２のアンテナの量がＡＰ１のアンテナの量以下である場合、ＡＰ２によって実行される上りリンクデータ受信に対するＡＰ１によって引き起こされる干渉は、予約された空間方向を使用することにより、双方向性に防止され、従って協調伝送が実行され得る。ＡＰ２は、ＡＰ２がデータを受信するために使用される受信等化行列Ｗ２′を決定する必要があるだけでなく、ＡＰ１がデータを送信するために使用されるプレコーディング行列Ｑ１を決定する必要があり、すなわち、ＡＰ１は送信端ビームフォーミングを実行し、ＡＰ２は受信端ビームフォーミングを実行する。ＡＰ１のＱ１およびＡＰ２のＷ２′は、任意の標準Ｗ２′Ｈ２１Ｑ１＝０に従って決定され、Ｈ２１はＡＰ１とＡＰ２の間のチャネル推定情報である。この出願は、これに限定されない。
【０１６８】
Ｓ４０５．ＡＰ１と協調伝送を実行することを決定するときに、ＡＰ２は、ＡＰ２が協調伝送を実行することを決定したことを示す応答情報およびＡＰ１のプレコーディング行列Ｑ１の指示情報をＡＰ１に送信する。
【０１６９】
ＡＰ１と協調伝送を実行することを決定するときに、ＡＰ２は、ＡＰ２が協調伝送を実行することを決定したことを示す応答情報をＡＰ１に送信する。応答情報は、協調伝送応答フレームを使用して送信されてもよく、応答情報の情報フォーマットは、図７ｈに示されるように、既存の情報フォーマットであってもよい。ＡＰ２が協調伝送を実行するかどうかを示す協調応答情報に加えて、応答情報内のデータフィールドは、ＡＰ１がデータを送信するために使用されるプレコーディング行列Ｑ１に関する情報をさらに搬送する。
【０１７０】
Ｓ４０６．ＡＰ１は干渉テスト情報を送信し、ＡＰ２は干渉テスト情報を受信する。
【０１７１】
ＡＰ１によって干渉テスト情報を送信するための２つの任意の実施態様がある。第１の実施態様は、ＡＰ１が干渉テスト情報を別々にＡＰ２に送信してもよく、第２の実施態様は、ＡＰ１がＳＴＡ１に送信された下りリンクデータパケットを干渉テスト情報として再利用し、ＡＰ２が干渉テスト情報を受信できるように下りリンクデータパケットを全方向に送信し得ることである。第２の実施態様には２つの場合がある。１つの場合は、ＳＴＡ１に正式に下りリンクデータパケットを送信する前に、ＡＰ１は、干渉をテストするために、事前に別個の下りリンクデータパケットをＳＴＡ１に送信し、他の場合は、ＡＰ１によってＳＴＡ１に正式に送信される下りリンクデータパケットが干渉をテストするために使用される。データパケットは、図ｂおよび図ｇに示されるように、既存の情報フォーマットであってもよい。ＮＧ−ＳＴＦ部分およびＮＧ−ＬＴＦ部分をテストシーケンスとして使用されてもよい。
【０１７２】
ＡＰ２は、ＡＰ１がＡＰ２によって実行されるデータ受信に対して干渉を引き起こすことを防止するために使用される受信等化行列を使用して、干渉テスト情報を受信してもよい。代替的には、ＡＰ２によってサービスされるセル内の送信端状態を考慮して、ＡＰ２は別のプレコーディング行列を使用してデータを受信する。
【０１７３】
Ｓ４０７．ＡＰ２は、干渉テスト情報に基づいて干渉テストを実行して、ＡＰ１と協調伝送を実行しないことを決定する。
【０１７４】
ＡＰ２は、干渉テスト情報を使用して、ＡＰ１への干渉が所定の閾値を超えるかどうかをテストする（任意で、ＡＰ１への干渉は閾値に等しくてもよい）。一方向性ビームフォーミングの場合、理想的には、ＡＰ２がＷ２を使用してデータを受信するときに、ＡＰ１はＡＰ２への干渉を引き起こさない。しかしながら、ＡＰ２によって取得されるＷ２が十分に正確でない場合、またはセル内の送信端が別のプレコーディング行列を使用することを考慮して、干渉が引き起こされることがある。双方向性ビームフォーミングの場合、理想的には、ＡＰ１がＱ１を使用してデータを送信し、ＡＰ２がＷ２′を使用してデータを受信するときに、ＡＰ１はＡＰ２への干渉を引き起こさない。しかしながら、ＡＰ２によって取得されるＱ１またはＷ２′が十分に正確でない場合、またはセル内の受信端が別のプレコーディング行列を使用するか、もしくはＡＰ２が別の受信等化行列を使用することを考慮して、干渉が引き起こされることがある。
【０１７５】
干渉が閾値を超える場合（任意に、干渉は閾値に等しくてもよい）、ＡＰ２は、ＡＰ１と協調伝送を実行しないことを選択してもよい。この場合、ＡＰ２は、ＡＰ２に対応するＳＴＡ２をスケジュールせず、上りリンクデータ伝送を実行するためにＳＴＡ２をスケジュールしない。ＳＴＡ１とＡＰ１との間の下りリンクデータ伝送は確実にされる必要があるため、ＡＰ２が協調伝送に関与するかどうかにかかわらず、ＡＰ１の下りリンクデータ伝送は影響されない。
【０１７６】
Ｓ４０８．ＡＰ２は、干渉テスト情報に基づいて干渉テストを実行し、ＡＰ１と協調伝送を実行するかどうかを決定する。
【０１７７】
ＡＰ２は、干渉テスト情報を使用して、ＡＰ１への干渉が所定の閾値を超えるかどうかをテストし、干渉が閾値を超えない場合、ＡＰ１と協調伝送を実行することを選択してもよい。任意に、干渉が所定の閾値に等しい場合、ＡＰ２は、ＡＰ１と協調伝送を実行することを決定してもよい
【０１７８】
Ｓ４０９．ＡＰ１との協調伝送を実行することを選択するときに、ＡＰ２は上りリンクデータ伝送を実行するためにＳＴＡ２をスケジュールする。
【０１７９】
上りリンクデータ伝送を実行するためにＳＴＡ２をスケジュールするために、ＡＰ２は、ＳＴＡ２にトリガフレームを送信して、上りリンクデータ伝送を実行するためにＳＴＡ２をスケジュールしてもよい。
【０１８０】
ＡＰ１がＳ４０６において干渉テスト情報を送信するために使用される異なる形式に基づいて、ＡＰ２がトリガフレームを送信し、上りリンクデータ伝送を実行するためにＳＴＡ２をスケジュールするために使用する形式は変化する。
【０１８１】
ＡＰ１が干渉テスト情報を別々にＡＰ２に送る場合、またはＡＰ１が、まず干渉を試験するために、事前に別々の下りリンクデータパケットをＳＴＡ１に送信する場合がＡＰ２のスケジュール機会の図８ａに示される概略図に示されてもよい。トリガフレームの送信は、ＡＰ１によってＳＴＡ１に正式に送信される次のフレームの下りリンクデータパケット内のデータフィールドの伝送が終了する前に開始し、次のフレームの下りリンクデータパケット内のデータフィールドの送信が終了する前に終了するか、または次のフレームの下りリンクデータパケット内のデータフィールドの伝送と同時に終了する。
【０１８２】
ＡＰ１によってＳＴＡ１に正式に送信される下りリンクデータパケットが干渉をテストするために使用され、ＮＧ−ＳＴＦ部分およびＮＧ−ＬＴＦ部分がテストシーケンスとして使用される場合が、ＡＰ２のスケジュール機会の図８ｂに示される概略図で示されてもよく、トリガフレームの伝送が下りリンクデータパケットの伝送プロセスで開始し、下りリンクデータパケットのデータフィールドの伝送が終了する前にスケジュールされる第２のＳＴＡの上りリンクデータの送信が終了するか、または下りリンクデータパケット内のデータフィールドの伝送と同時に終了する。
【０１８３】
ステップＳ４０２、Ｓ４０３、Ｓ４０４、およびＳ４０５は、必ずしも特定の順序で実行されるものではなく、異なる場合には単に処理であることに留意されたい。Ｓ４０７、Ｓ４０８、およびＳ４０９は、必ずしも特定の順序で実行されるわけではなく、異なる場合には単に異なる処理である。
【０１８４】
本願の本実施形態における協調伝送制御方法によれば、特定のセル設定パラメータに基づいて干渉防止ビームフォーミング方法が決定され、協調伝送を実行するかどうかが干渉テストの二重決定条件に基づいて決定されて、実際の協調伝送中に引き起こされる干渉による不要な再伝送を防止するために、ビームフォーミングのための空間制御方法が使用されることができ、これにより、通信効率を向上させるようにする。
【０１８５】
前述の方法は全てＡＰを使用して説明されていることに留意する。いくつかのシナリオにおいて、ステーションＳＴＡはまた、前述の方法の実施形態を実施するために、前述の一次ＡＰまたは二次ＡＰと等価であってもよいことが理解され得る。
【０１８６】
以上は、この出願の実施形態において提供される解決策を、主として、システム内の様々なエンティティが相互作用して協調伝送制御を実行する手順を使用して、説明している。前述の機能を実施するために、前述の様々なエンティティは、種々の機能に対応するハードウェア構造および／またはソフトウェアモジュールを含むことが理解され得る。当業者は、この明細書に開示される実施形態で説明される実施例と組み合わせて、ユニット、アルゴリズムステップがハードウェアまたはハードウェアとコンピュータソフトウェアの組み合わせによって実施され得ると容易に認識すべきである。機能がハードウェアによって実行されるのか、コンピュータソフトウェアによって駆動されるハードウェアによって実行されるのかは、特定のアプリケーションおよび技術的解決策の設計上の制約に依存する。当業者であれば、各特定のアプリケーションに対して、説明される機能を実施するために異なる方法を使用してもよいが、その実施態様がこの出願の範囲を超えるものであると考えられるべきではない。
【０１８７】
この出願の実施形態において、一次ＡＰおよび二次ＡＰは、前述の方法の実施例に基づいて機能モジュールに分割されてもよい。例えば、種々な機能に対応する機能モジュールは、分割して取得されるか、または２つ以上の機能が１つの処理モジュールに統合されてもよい。統合モジュールは、ハードウェアの形態で実施されてもよく、ソフトウェア機能モジュールの形態で実施されてもよい。図９は、この出願による協調伝送制御装置の簡略概略構造図である。装置９０は、対応する機能モジュール、トランシーバユニット９０１および処理ユニット９０２を含む。装置が二次ＡＰ側の装置であるときに、装置は、二次ＡＰ（ＡＰ２）の関連機能を実施するように構成されている。装置が一次ＡＰ側の装置であるときに、装置は、一次ＡＰ（ＡＰ１）の関連機能を実施するように構成されている。トランシーバユニット９０１は、ＡＰ１／ＡＰ２によって情報またはデータを送受信する関連機能を実施するように構成されており、処理ユニット９０２は、ＡＰ１／ＡＰ２によって情報またはデータを処理する関連機能を実施するように構成されている。詳細は、以下の関連するネットワークデバイスの実施態様の説明を参照のこと。詳細は、本明細書では再度説明されない。この出願のこの実施形態では、モジュール分割は、実施例として使用され、単なる論理関数分割に過ぎない。実際の実施態様においては、別の分割方法が使用されてもよい。以下は、様々な機能に対応する様々な機能モジュールを取得される実施例を説明する。
【０１８８】
この出願の一実施形態は、さらに、ネットワークデバイスを提供する。ネットワークデバイスは、アクセスポイントＡＰ側の協調伝送制御装置として使用されてもよく、図２および図４から図６のいずれかのうちのＡＰ１またはＡＰ２によって実行されるステップを実行するように構成されている。ネットワークデバイスは、前述の方法を実施する能力を有し、ＡＰ１またはＡＰ２と等価なステーションＳＴＡであってもよい。図１０は、ネットワークデバイスの簡略概略構造図である。ネットワークデバイス１００は、部分１００１と部分１００２とを含む。部分１００１は、主に、無線周波数信号を送受信し、無線周波数信号とベースバンド信号との変換を実行するように構成されている。部分１００２は、主に、ベースバンド処理を実行し、ネットワークデバイス１００を制御するなどをするように構成されている。部分１００１は、通常、トランシーバユニット、トランシーバマシン、トランシーバ回路、トランシーバなどと呼ばれることがある。部分１００２は、通常、ネットワークデバイス１００の制御センタであり、通常、処理ユニット、制御ユニット、プロセッサ、コントローラなどと称されることがあり、ネットワークデバイス１００を制御して、前述の関連する実施形態においてＡＰ１またはＡＰ２によって実行されるステップを実行するように構成されている。詳細については、前述の関連する部分の説明を参照のこと。
【０１８９】
部品１００１のトランシーバユニットは、トランシーバマシン、トランシーバなどとも呼ばれることがある。トランシーバユニットは、アンテナと、無線周波数ユニットとを含む。無線周波数ユニットは、主に、無線周波数処理を実行するように構成されている。任意に、部分１００１において受信機能を実施するための構成要素が、受信ユニットとして考慮され、送信機能を実施するための構成要素が、送信ユニットとして考慮されてもよい。すなわち、部分１００１は、受信ユニットと、送信ユニットとを含む。受信ユニットは、受信機マシン、受信機、受信機回路などとも呼ばれることがある。送信ユニットは、送信機マシン、送信機、送信機回路などと呼ばれることがある。
【０１９０】
部分１００２は、１つ以上の基板を含んでもよい。各基板は、１つ以上のプロセッサおよび１つ以上のメモリを含んでもよい。プロセッサは、メモリ内のプログラムを読み出して実行し、ベースバンド処理機能を実施し、ネットワークデバイス１００を制御するように構成されている。複数の基板が存在する場合、基板は、処理能力を高めるために相互接続されてもよい。任意の実施態様では、複数の基板は、１つ以上のプロセッサを共有してもよく、複数の基板は、１つ以上のメモリを共有してもよく、複数の基板は、１つ以上のプロセッサを同時に共有してもよい。メモリおよびプロセッサは、一体化されてもよく、または独立して配置されてもよい。いくつかの実施形態では、部分１００１および部分１００２は、一体化されてもよく、または独立して配置されてもよい。追加的に、部分１００２のすべての機能は、実施態様のために、１つのチップに統合されてもよい。代替的に、いくつかの機能は、実施態様のために１つのチップに統合されてもよく、いくつかの他の機能は、実施態様のために１つ以上の他のチップに統合されてもよい。これは、この出願において限定されない。
【０１９１】
例えば、ネットワークデバイスが一次アクセスポイントＡＰ１またはＡＰ１内の関連する機能装置として使用され、ＡＰ１によって実行するステップを実行するときに、
【０１９２】
実施態様において、トランシーバユニットは、図２におけるＳ１０１、Ｓ１０３、Ｓ１０４、Ｓ１０５、Ｓ１０７、および／またはＳ１０９におけるＡＰ１によって実行されるステップ、および／またはこの出願における他のステップを実行するように構成されてもよい。処理ユニットは、図２におけるＳ１０６および／またはＳ１０８を実行するように、および／またはこの出願の他のステップを実行するように構成されてもよい。
【０１９３】
例えば、別の実施態様では、トランシーバユニットは、図４におけるＳ２０１、Ｓ２０３、Ｓ２０４、Ｓ２０６、Ｓ２０７、Ｓ２０９、および／またはＳ２１１のＡＰ１によって実行されるステップ、および／またはこの出願における他のステップを実行するように構成されてもよい。処理ユニットは、図４におけるＳ２０８および／またはＳ２１０を実行するように、および／またはこの出願における他のステップを実行するように構成されてもよい。
【０１９４】
例えば、別の実施態様では、トランシーバユニットは、図５におけるＳ３０１、Ｓ３０３、Ｓ３０４、および／またはＳ３０５におけるＡＰ１によって実行されるステップ、および／またはこの出願における他のステップを実行するように構成されてもよい。処理ユニットは、この出願における他のステップを実行するように構成されてもよい。
【０１９５】
例えば、別の実施態様では、トランシーバユニットは、図６におけるＳ４０１、Ｓ４０３、Ｓ４０５、および／またはＳ４０６におけるＡＰ１によって実行されるステップ、および／またはこの出願における他のステップを実行するように構成されてもよい。処理ユニットは、この出願の他のステップを実行するように構成されてもよい。
【０１９６】
別の実施例として、ネットワークデバイスが二次アクセスポイントＡＰ２またはＡＰ２内の関連する機能装置として使用され、ＡＰ２によって実行されるステップを実行するときに、
【０１９７】
実施態様において、トランシーバユニットは、図２におけるＳ１０１、Ｓ１０３、Ｓ１０４、Ｓ１０５、Ｓ１０７、および／またはＳ１０９におけるＡＰ２によって実行されるステップ、および／またはこの出願における他のステップを実行するように構成されてもよい。
【０１９８】
処理ユニットは、図２におけるＳ１０２を実行するように、および／またはこの出願における他のステップを実行するように構成されてもよい。
【０１９９】
例えば、別の実施態様では、トランシーバユニットは、図４におけるＳ２０１、Ｓ２０３、Ｓ２０４、Ｓ２０６、Ｓ２０７、Ｓ２０９、および／またはＳ２１１におけるＡＰ２によって実行されるステップ、および／またはこの出願における他のステップを実行するように構成されてもよい。処理ユニットは、図４におけるＳ２０８および／またはＳ２１０を実行するように、および／またはこの出願の他のステップを実行するように構成されてもよい。
【０２００】
例えば、別の実施態様では、トランシーバユニットは、図５のＳ３０１、Ｓ３０３、Ｓ３０４、Ｓ３０５および／またはＳ３０８におけるＡＰ２によって実行されるステップ、および／またはこの出願における他のステップを実行するように構成されてもよい。処理ユニットは、図５におけるＳ２０８および／またはＳ２１０を実行するように、および／またはこの出願における他のステップを実行するように構成されてもよい。
【０２０１】
例えば、別の実施態様では、トランシーバユニットは、図６におけるＳ３０１、Ｓ３０３、Ｓ３０４、Ｓ３０５および／またはＳ３０８におけるＡＰ２によって実行されるステップ、および／またはこの出願における他のステップを実行するように構成されてもよい。処理ユニットは、図６のＳ２０８および／またはＳ２１０を実行するように、および／またはこの出願における他のステップを実行するように構成されてもよい。
【０２０２】
前述のネットワークデバイスおよび対応する装置のうちのいずれかにおける関連する内容の説明および有益な効果については、上述の対応する方法の実施形態を参照のこと。詳細は、本明細書では再度説明されない。
【０２０３】
上述の一次ＡＰ側の装置の特定の実施態様は、アクセスポイントＡＰまたは対応するアクセス機能を有するステーションＳＴＡであってもよい。例えば、装置は、アクセスデバイスもしくはステーションデバイスであってもよく、またはこれらの装置のチップもしくは機能モジュールであってもよい。前述の方法は、ソフトウェアまたはハードウェアを使用することによって、または対応するソフトウェアをハードウェアによって実行することによって実施されてもよい。
【０２０４】
上述の二次ＡＰ側の装置の特定の実施態様は、アクセスポイントＡＰまたは対応するアクセス機能を有するステーションＳＴＡであってもよい。例えば、装置は、アクセスデバイスもしくはステーションデバイスであってもよく、またはこれらの装置のチップもしくは機能モジュールであってもよい。前述の方法は、ソフトウェアまたはハードウェアを使用することによって、または対応するソフトウェアをハードウェアによって実行することによって実施されてもよい。
【０２０５】
上述のネットワークデバイスおよび対応する装置のうちのいずれかにおける関連する内容の説明および有益な効果については、上述の対応する方法の実施形態を参照のこと。詳細は、本明細書では再度説明されない。
【０２０６】
この出願は、前述の実施態様において、一次ＡＰ側の装置（または一次ＡＰ側の機能を実施するＳＴＡ装置）と、アクセスＡＰ側の装置（または二次ＡＰ側の機能を実施するステーションＳＴＡ装置）とを含む、協調伝送制御システムをさらに提供する。
【０２０７】
この出願は、コンピュータプログラム製品をさらに提供する。コンピュータプログラム製品がコンピュータ上で動作するときに、コンピュータは、前述の任意の方法を実行することが可能とされる。
【０２０８】
この出願は、チップをさらに提供し、チップは命令を記憶し、命令が前述のデバイス上で動作するときに、デバイスは前述の提供された方法を実行することが可能とされる
【０２０９】
この出願は、コンピュータ記憶媒体をさらに提供し、コンピュータ記憶媒体がコンピュータプログラム（命令）を記憶する。プログラム（命令）がコンピュータ上で動作するときに、コンピュータは、前述の態様のいずれか１つに従って方法を実行することが可能とされる。
【０２１０】
前述の実施形態の全てまたは一部は、ソフトウェア、ハードウェア、ファームウェア、またはそれらの任意の組み合わせを使用することによって実施されてもよい。ソフトウェアプログラムが実施形態を実施するために使用されるときに、前述の実施形態の全てまたは一部は、コンピュータプログラム製品の形態で実施されてもよい。コンピュータプログラム製品は、１つ以上のコンピュータ命令を含む。コンピュータプログラム命令がロードされ、コンピュータ上で実行されるときに、この出願の実施形態による手順または機能は、すべてまたは部分的に生成される。コンピュータは、汎用コンピュータ、専用コンピュータ、コンピュータネットワーク、または他のプログラム可能な装置であってもよい。コンピュータ命令は、コンピュータ可読記憶媒体に記憶されてもよく、またはコンピュータ可読記憶媒体から別のコンピュータ可読記憶媒体に送信されてもよい。例えば、コンピュータ命令は、ウェブサイト、コンピュータ、サーバ、またはデータセンタから、有線（例えば、同軸ケーブル、光ファイバ、またはデジタル加入者線（digital  subscriber  line、ＤＳＬ））または無線（例えば、赤外線、無線、またはマイクロ波）方式で、別のウェブサイト、コンピュータ、サーバ、またはデータセンタに送信されてもよい。コンピュータ可読記憶媒体は、コンピュータによってアクセス可能な任意の使用可能な媒体、または１つ以上の使用可能な媒体を統合するサーバまたはデータセンタなどのデータ記憶デバイスであってもよい。使用可能な媒体は、磁気媒体（例えば、フロッピーディスク、ハードディスク、磁気テープ）、光媒体（例えば、ＤＶＤ）、半導体媒体（例えば、固体ドライブ（例えば、solid  state  disk、ＳＳＤ））などである。
【０２１１】
この出願は、実施形態を参照して説明されているが、保護を請求するこの出願を実施するプロセスにおいて、当業者は、添付の図面、開示された内容、および添付の請求項を参照することによって、開示された実施形態の別の変形を理解し、実施してもよい。クレームにおいて、「含む（comprising）」は、別の構成要素または別の工程を除外せず、「ある」または「１つ」は、複数の意味を除外しない。単一のプロセッサ／コントローラまたは別のユニットは、特許請求の範囲に列挙されるいくつかの機能を実施してもよい。いくつかの測定値は、互いに異なる従属請求項に記載されているが、これは、これらの測定値が組み合わせられてより良い効果をもたらすことができないことを意味するものではない。
【０２１２】
この出願は、特定の特徴およびその実施形態を参照して記載されているが、この出願の精神および範囲から逸脱することなく、種々の修正および組み合わせがそれらに対してなされてもよいことは明らかである。同様に、明細書および添付の図面は、添付の特許請求の範囲によって規定されるこの出願の単なる例示の説明であり、この出願の範囲をカバーする修正、変更、組み合わせまたは均等物のいずれかまたは全てとみなされる。明らかに、当業者は、この出願の精神および範囲から逸脱することなく、この出願に種々の修正および変更を加えることができる。この出願は、以下の特許請求の範囲およびそれらの均等の技術の範囲内にあることを条件として、この出願のこれらの修正および変更をカバーすることが意図されている。
【図１】
2021511730.tif 000003
【図２】
2021511730.tif 000004
【図３】
2021511730.tif 000005
【図４】
2021511730.tif 000006
【図５】
2021511730.tif 000007
【図６】
2021511730.tif 000008
【図７ａ】
2021511730.tif 000009
【図７ｂ】
2021511730.tif 000010
【図７ｃ】
2021511730.tif 000011
【図７ｄ】
2021511730.tif 000012
【図７ｅ】
2021511730.tif 000013
【図７ｆ】
2021511730.tif 000014
【図７ｇ】
2021511730.tif 000015
【図７ｈ】
2021511730.tif 000016
【図８ａ】
2021511730.tif 000017
【図８ｂ】
2021511730.tif 000018
【図９】
2021511730.tif 000019
【図１０】
2021511730.tif 000020
【手続補正書】
【提出日】令和2年8月27日(2020.8.27)
【手続補正１】
【補正対象書類名】明細書
【補正対象項目名】全文
【補正方法】変更
【補正の内容】
【発明の詳細な説明】
【技術分野】
【０００１】
この出願は、２０１８年１月１９日に中国国家知的所有権管理庁に出願され、「COORDINATED  TRANSMISSION  CONTROL  METHOD,  APPARATUS,  AND  SYSTEM」と題する、中国特許出願第２０１８１００５４５２２．８号に対する優先権を主張し、その全体が参照により本明細書に組み込まれる。
【０００２】
この出願は、通信技術の分野に関し、特に、通信システムにおける協調伝送制御技術に関する。
【背景技術】
【０００３】
無線ネットワークの開発と、無線ローカル・エリア・ネットワーク（Wireless  Local  Area  Network、略してＷＬＡＮ）技術の絶え間ない普及により、無線ＬＡＮ機器はますます集中している。無線アクセスポイント（Access  Point、略してＡＰ）は、展開が容易であるため、ますます集中するＡＰは、より多くのセル間干渉を引き起こす。ユーザのサービス品質を向上させるために、ＡＰ間の協調伝送を通して、ユーザ間またはセル間干渉をどのように防止するかが検討されるべき課題である。
【発明の概要】
【０００４】
この出願は、複数のＡＰ間の協調伝送を実施し、干渉を防止するための協調伝送制御方法、装置、およびシステムを提供する。
【０００５】
第１の態様によれば、協調伝送制御方法および装置が提供される。
【０００６】
可能な設計では、この方法は、二次アクセスポイントＡＰに適用されるか、または二次ＡＰに対応するステーションＳＴＡに適用されてもよい。本方法は、二次アクセスポイントＡＰによって、一次ＡＰによって送信される協調伝送要求を受信することであって、協調伝送要求は折衝パラメータ情報を搬送する、受信することと、二次ＡＰが、折衝パラメータ情報に基づき、一次ＡＰとの協調伝送を実行しようとするときに、二次ＡＰによって、一次ＡＰに干渉テスト情報を送信することと、協調伝送を実行するかどうかを示し、干渉テスト情報に基づいて一次ＡＰから送信される決定情報を受信することと、を含む。この設計では、一次ＡＰは、上りリンク伝送を実行するためにセル内のステーションＳＴＡをスケジュールしてもよく、二次ＡＰは下りリンク伝送を実行するためにセル内のステーションＳＴＡをスケジュールしてもよいが、制限は設けないと理解され得る。
【０００７】
この設計では、協調伝送を実行するかどうかは、セル間の設定パラメータ共有を通して、かつ干渉テストの二重決定条件に基づいて、決定され、アクセスポイントが事前に干渉状態を学習することができ、これにより、実際の協調伝送中に引き起こされる干渉による不要な再伝送を防止し、通信効率を向上させるようにする。
【０００８】
可能な設計では、二次ＡＰが、折衝パラメータ情報に基づいて、一次ＡＰとの協調伝送を実行しようとしないときに、二次ＡＰは、事前設定された時間内に一次ＡＰにフィードバックを提供しないか、または、二次ＡＰが協調伝送を実行できないことを示す第１の応答情報を一次ＡＰに送信する。
【０００９】
可能な設計では、二次ＡＰが一次ＡＰと協調伝送を実行しようとするときに、二次ＡＰは、二次ＡＰが協調伝送を実行することを期待することを示す第２の応答情報を一次ＡＰに送信する。第２の応答情報は干渉テスト情報と共に、または干渉テスト情報とは別に送信されることが理解され得る。
【００１０】
可能な設計では、協調伝送要求は、第１の指示情報を搬送し、第１の指示情報は、干渉テスト情報が第２の応答情報と共に送信されるかどうかを示すために使用される。
【００１１】
可能な設計では、決定情報は、協調確認フレーム内で搬送されるか、スケジュールされるステーションＳＴＡに送信される上りリンク伝送トリガフレーム内で搬送される。
【００１２】
可能な設計では、折衝パラメータ情報は、一次ＡＰのアンテナの量および一次ＡＰに対応するセル内の空間フローの量のうちの少なくとも１つを含む。
【００１３】
可能な設計では、二次ＡＰによって、干渉テスト情報を一次ＡＰに送信することは、空間フローの量が一次ＡＰのアンテナの量以下であり、二次ＡＰのアンテナの量が一次ＡＰのアンテナの量よりも多い場合、二次ＡＰによって、第１のプレコーディング行列Ｑ２を使用して一次ＡＰに干渉テスト情報を送信することであって、Ｑ２は、一次ＡＰによって実行されるデータ受信への干渉を防止するために使用され、事前設定された第１の標準に従って二次ＡＰによって決定されるプレコーディング行列である、送信すること、または空間フローの量が一次ＡＰのアンテナの量より少なく、二次ＡＰのアンテナの量が一次ＡＰのアンテナの量以下である場合、二次ＡＰによって、一次ＡＰがデータを受信するために使用される受信等化行列Ｗ１を示す第２の指示情報を一次ＡＰに送信し、第２のプレコーディング行列Ｑ２′を使用して干渉テスト情報を送信することであって、Ｑ２′は、一次ＡＰによって実行されるデータ受信への干渉を防止するために使用され、二次ＡＰがデータを送信するために使用され、事前設定された第２の標準に従って二次ＡＰによって決定されるプレコーディング行列であり、Ｗ１は、一次ＡＰがデータを受信するために使用される受信等化行列である、送信することを含む。この設計によれば、二次ＡＰは、特定のセル設定パラメータに基づいて干渉防止ビームフォーミング方法を決定することができ、それによって、干渉を効果的に回避することができる。
【００１４】
可能な設計では、第１の標準は、Ｈ２１Ｑ２＝０であり、Ｈ２１は一次ＡＰと二次ＡＰとの間のチャネル推定情報であり、第２の標準は、はＷ１Ｈ２１Ｑ２′＝０であり、Ｈ２１は一次ＡＰと二次ＡＰとの間のチャネル推定情報である。
【００１５】
これに対応して、協調伝送制御装置が提供される。装置は、第１の態様において、対応する方法を実施してもよい。例えば、機能形態に基づいて、装置は、アクセスポイントＡＰまたはステーションＳＴＡであってもよい。例えば、装置は、アクセスデバイスもしくはステーションデバイスであってもよく、またはこれらのデバイス内のチップもしくは機能モジュールであってもよい。前述の方法は、ソフトウェアまたはハードウェアによって、または対応するソフトウェアを実行するハードウェアによって実施されてもよい。
【００１６】
可能な設計では、装置は、プロセッサおよびメモリを含んでもよい。プロセッサは、第１の態様の方法において対応する機能を実行する際に装置をサポートするように構成されている。メモリは、プロセッサに結合されるように構成され、装置に必要なプログラム（命令）およびデータを記憶する。追加的に、装置は、別のネットワーク要素と通信する際に装置をサポートするように構成されている通信インターフェースをさらに含んでもよい。通信インターフェースはトランシーバであってもよい。
【００１７】
可能な設計では、装置はトランシーバユニットを含んでもよい。トランシーバユニットは、一次ＡＰによって送信される協調伝送要求を受信し、一次ＡＰに干渉テスト情報を送信し、協調伝送を実行するかどうかを示し、かつ干渉テスト情報に基づいて一次ＡＰによって送信される決定情報を受信するように構成されている。任意に、装置は、処理ユニットをさらに含んでもよく、処理ユニットは、折衝パラメータ情報に基づいて、装置が一次ＡＰと協調伝送を実行しようとしていると決定するように構成されている。
【００１８】
第２の態様によれば、協調伝送制御方法および装置が提供される。
【００１９】
可能な設計では、この方法は、一次アクセスポイントＡＰに適用されるか、または一次ＡＰに対応するステーションＳＴＡに適用されてもよい。本方法は、一次アクセスポイントＡＰによって、協調伝送要求を少なくとも１つの二次アクセスポイントＡＰに送信することであって、協調伝送要求が折衝パラメータ情報を搬送する、送信することと、二次ＡＰが、折衝パラメータ情報に基づいて、一次ＡＰとの協調伝送を実行しようとするときに、一次ＡＰによって、二次ＡＰによって送信される干渉テスト情報を受信することと、一次ＡＰによって、干渉テスト情報に基づいて、受信干渉テストを実行し、干渉が所定の閾値以上であるかを決定するステップと、一次ＡＰによって、決定の結果に基づいて、二次ＡＰが協調伝送を実行することができるどうかを示す決定情報を二次ＡＰに送信することと、を含む。この設計では、一次ＡＰはセル内のステーションＳＴＡを上りリンク伝送を実行するようにスケジュールしてもよく、二次ＡＰはセル内のステーションＳＴＡを下りリンク伝送を実行するようにスケジュールしてもよいが、制限は設けないと理解され得る。
【００２０】
この設計では、協調伝送を実行するかどうかが、セル間の設定パラメータを通して、かつ干渉テストの二重決定条件に基づいて決定され、アクセスポイントが事前に干渉状態を学習できるようにできるようにし、これにより、実際の協調伝送時に生じる干渉による不要な再送信を防止し、通信効率を向上させる。
【００２１】
可能な設計では、二次ＡＰが、折衝パラメータ情報に基づいて、一次ＡＰとの協調伝送を実行することをスキップすることを決定した場合、一次ＡＰは、事前に設定された時間内に二次ＡＰからのフィードバックを受け取らないか、二次ＡＰから送信された第１の応答情報を受け取る。この場合、二次ＡＰは、二次ＡＰが協調伝送を実行できないことを示すために、第１の応答情報を使用する。
【００２２】
可能な設計では、二次ＡＰが一次ＡＰと協調伝送を行おうとするとき、一次ＡＰは二次ＡＰから送られた第２の応答情報を受信し、二次ＡＰが協調伝送を行おうとすることを示すために第２の応答情報を使用する。任意で、第２の応答情報は、干渉テスト情報と共に、または干渉テスト情報とは別に送信される。
【００２３】
可能な設計では、協調伝送要求は、第１の表示情報を搬送し、第１の表示情報は、干渉テスト情報が第２の応答情報と共に送られるか否かを示すために使用される。
【００２４】
可能な設計では、決定情報は、協調確認フレーム内で搬送されるか、予定ステーションＳＴＡに送られる上りリンク伝送トリガフレーム内で搬送される。
【００２５】
可能な設計では、折衝パラメータ情報は、一次ＡＰのアンテナの量と、一次ＡＰに対応するセル内の空間フローの量の少なくとも１つを含む。
【００２６】
可能な設計において、一次ＡＰによって、二次ＡＰによって送信される干渉テスト情報を受信することは、空間フローの量が一次ＡＰのアンテナの量以下であり、二次ＡＰのアンテナの量が一次ＡＰのアンテナの量より多い場合、一次ＡＰによって、第１のプレコーディング行列Ｑ２を使用することによって、二次ＡＰによって送信される干渉テスト情報を受信することであって、Ｑ２は、一次ＡＰによって実行されるデータ受信への干渉を防止するために使用され、かつ事前設定された第１の標準に従って二次ＡＰによって決定されるプレコーディング行列である、受信すること、または空間フローの量が一次ＡＰのアンテナの量より少なく、二次ＡＰのアンテナの量が一次ＡＰのアンテナの量以下である場合、さらに、一次ＡＰによって、二次ＡＰによって送信される第２の指示情報を受信することであって、第２の指示情報は、一次ＡＰがデータを受信するために使用される受信等化行列Ｗ１を示すために使用される、受信することと、第２のプレコーディング行列Ｑ２′を使用して、二次ＡＰによって送信される干渉テスト情報を受信することであって、Ｑ２′は、一次ＡＰによって実行されるデータ受信への干渉を防止するために使用され、二次ＡＰがデータを送信するために使用され、かつ事前設定された第２の標準に従って二次ＡＰによって決定されるプレコーディング行列であり、Ｗ１は、一次ＡＰがデータを受信するために使用される受信等化行列である、受信することと、を含む。この設計によれば、二次ＡＰは、特定のセル設定パラメータに基づいて干渉防止ビームフォーミング方法を決定してもよく、これによって、干渉を効果的に回避する。
【００２７】
可能な設計では、第１の標準は、Ｈ２１Ｑ２＝０であり、Ｈ２１は一次ＡＰと二次ＡＰとの間のチャネル推定情報であり、第２の標準は、Ｗ１Ｈ２１Ｑ２′＝０であり、Ｈ２１は一次ＡＰと二次ＡＰとの間のチャネル推定情報である。
【００２８】
これに対応して、協調伝送制御装置が提供される。装置は、第２の態様において、対応する方法を実施してもよい。例えば、機能形態に基づいて、装置はアクセスポイントＡＰまたはステーションＳＴＡであってもよい。例えば、装置は、アクセスデバイスもしくはステーションデバイスであってもよく、またはこれらのデバイスのチップもしくは機能モジュールであってもよい。前述の方法は、ソフトウェアまたはハードウェアによって、または対応するソフトウェアを実行するハードウェアによって実施されてもよい。
【００２９】
可能な設計では、装置は、プロセッサおよびメモリを含んでもよい。プロセッサは、第２の態様の方法において対応する機能を実行する際に装置をサポートするように構成されているメモリは、プロセッサに結合されるように構成されており、装置に必要なプログラム（命令）およびデータを記憶する。追加的に、装置は、別のネットワーク要素と通信する際に装置をサポートするように構成されている通信インターフェースをさらに含んでもよい。通信インターフェースはトランシーバであってもよい。
【００３０】
可能な設計では、装置はトランシーバユニットを含んでもよい。トランシーバユニットは、少なくとも１つの二次ＡＰに協調伝送要求を送信し、二次ＡＰによって送信される干渉テスト情報を受信し、二次ＡＰが協調伝送を実行できるかどうかを示す決定情報を二次ＡＰに送信するように構成されている。任意に、装置は、処理ユニットをさらに含んでもよく、処理ユニットは、干渉テスト情報に基づいて受信干渉テストを実行して、干渉が所定の閾値より大きいか、または所定の閾値以上であるかどうかを決定するように構成されている。
【００３１】
第３の態様によれば、協調伝送制御方法および装置が提供される。
【００３２】
可能な設計では、この方法は、二次アクセスポイントＡＰに適用されるか、または二次ＡＰに対応するステーションＳＴＡに適用されてもよい。
【００３３】
本方法は、二次アクセスポイントＡＰによって、一次ＡＰによって送信される協調伝送要求を受信することであって、協調伝送要求が折衝パラメータ情報を搬送する、受信することと、二次ＡＰが、折衝パラメータ情報に基づいて、ＡＰ１と協調伝送を実行しようとするときに、二次ＡＰによって、二次ＡＰが協調伝送を実行することを期待することを示す第１の応答情報を一次ＡＰに送信することと、二次ＡＰによって、一次ＡＰによって送信される干渉テスト情報を受信することと、二次ＡＰによって干渉テスト情報の干渉テスト結果に基づいて、協調伝送を実行するかどうかを決定することと、を含む。この設計において、一次ＡＰは、下りリンク伝送を実行するためにセル内のステーションＳＴＡを下りリンク伝送をスケジュールしてもよく、二次ＡＰは、上りリンク伝送を実行するためにセル内のステーションＳＴＡをスケジュールしてもよいが、制限は設けないと理解され得る。
【００３４】
この設計では、セル間の設定パラメータ共有を通して、かつ干渉テストの二重決定条件に基づいて、協調伝送を実行するかどうかが決定されて、アクセスポイントが事前に干渉状態を学習でき、これにより、実際の協調伝送中に引き起こされる干渉による不要な再伝送を防止し、通信効率を向上させるようにする。
【００３５】
可能な設計では、二次ＡＰが、折衝パラメータ情報に基づいて、一次ＡＰと協調伝送を実行することをスキップすることを決定するときに、二次ＡＰは、事前設定された時間内に一次ＡＰにフィードバックを提供しないか、または二次ＡＰが協調伝送を実行できないことを示す第２の応答情報を一次ＡＰに送信する。
【００３６】
可能な設計において、二次ＡＰによって、干渉テスト情報の干渉テスト結果に基づいて、協調伝送を実行するかどうかを決定することは、干渉が所定の閾値以下である場合、二次ＡＰによって、スケジュールされる第２のステーションＳＴＡにトリガフレームを送信し、上りリンクデータ伝送を実行するために第２のＳＴＡをスケジュールすること、もしくは干渉が所定の閾値より大きい場合、二次ＡＰによって、トリガフレームを送信することをスキップすること、または干渉が所定の閾値より小さい場合、二次ＡＰによって、スケジュールされる第２のＳＴＡにトリガフレームを送信し、上りリンクデータ伝送を実行するために第２のＳＴＡをスケジュールすること、もしくは干渉が所定の閾値以上である場合、二次ＡＰによって、トリガフレームを送信することをスキップすることを含む。
【００３７】
可能な設計では、干渉テスト情報は、一次ＡＰによってスケジュールされる第１のＳＴＡに送信される下りリンクデータパケット内の対応するトレーニングフィールドに関する情報を含むか、または干渉テスト情報は、一次ＡＰが第１のＳＴＡに下りリンクデータパケットを送信する前に一次ＡＰによって送信される別個のデータパケット内の対応するフィールドに関する情報である。
【００３８】
可能な設計では、干渉テスト情報が、一次ＡＰによって第１のＳＴＡへ送信される下りリンクデータパケット内の対応するトレーニングフィールドに関する情報を含むときに、トリガフレームの伝送は、下りリンクデータパケットデータの送信プロセスで開始し、スケジュールされる第２のＳＴＡの上りリンクデータ伝送は、下りリンクデータパケット内のデータフィールドの伝送が終了する前に終了するか、もしくは下りリンクデータパケット内のデータフィールドの伝送と同時に終了するか、または干渉テスト情報が、一次ＡＰによって第１のＳＴＡへ送信される別個のデータパケット内の対応するフィールドに関する情報を含むときに、トリガフレームの伝送は、一次ＡＰによって第１のＳＴＡへ送信される下りリンクデータパケット内のデータフィールドの伝送が終了する前に開始し、スケジュールされる第２のＳＴＡの上りリンクデータ伝送は、下りリンクデータパケット内のデータフィールドの伝送が終了する前に終了するか、もしくは下りリンクデータパケット内のデータフィールドの伝送と同時に終了する。
【００３９】
可能な設計では、折衝パラメータ情報は、一次ＡＰのアンテナの量と、一次ＡＰに対応するセル内の空間フローの量のうちの少なくとも１つを含む。
【００４０】
可能な設計において、二次ＡＰによって、一次ＡＰによって送信される干渉テスト情報を受信することは、二次ＡＰによって実行されるデータ受信への干渉を一次ＡＰが引き起すことを防止するために使用される選択された受信等化行列を使用することによって、一次ＡＰによって送信される干渉テスト情報を受信することを含み、空間フローの量が一次ＡＰのアンテナの量以下であり、二次ＡＰのアンテナの量が一次ＡＰのアンテナの量より多い場合、二次ＡＰは、第１の標準に従って第１の受信等化行列Ｗ２を選択する、または空間フローの量が一次ＡＰのアンテナの量未満であり、二次ＡＰのアンテナの量が一次ＡＰのアンテナの量以下である場合、二次ＡＰは、第２の標準に従って第２の受信等化行列Ｗ２′および一次ＡＰがデータを送信するために使用されるプレコーディング行列Ｑ１を選択する。二次ＡＰによって、一次ＡＰによって送信される干渉テスト情報を受信する前に、本方法は、二次ＡＰによって、一次ＡＰがデータを送信するために使用されるプレコーディング行列Ｑ１を示す第１の指示情報を一次ＡＰに送信することをさらに含む。この設計によれば、二次ＡＰは、特定のセル設定パラメータに基づいて干渉防止ビームフォーミング方法を決定することができ、これにより、干渉を効果的に回避することができる。
【００４１】
可能な設計では、第１の標準は、Ｗ２Ｈ２１＝０であり、Ｈ２１は、一次ＡＰと二次ＡＰとの間のチャネル推定情報であり、第２の標準は、Ｗ２′Ｈ２１Ｑ１＝０であり、Ｈ２１は、一次ＡＰと二次ＡＰとの間のチャネル推定情報である。
【００４２】
これに対応して、協調伝送制御装置が提供される。装置は、第３の態様において、対応する方法を実施してもよい。例えば、機能形態に基づいて、装置はアクセスポイントＡＰまたはステーションＳＴＡであってもよい。例えば、装置は、アクセスデバイスもしくはステーションデバイスであってもよく、またはこれらの装置のチップもしくは機能モジュールであってもよい。前述の方法は、ソフトウェアまたはハードウェアによって、または対応するソフトウェアを実行するハードウェアによって実施されてもよい。
【００４３】
可能な設計では、装置は、プロセッサおよびメモリを含んでもよい。プロセッサは、第３の態様の方法において対応する機能を実行する際に装置をサポートするように構成されている。メモリは、プロセッサに結合されるように構成され、装置に必要なプログラム（命令）およびデータを記憶する。追加的に、装置は、別のネットワーク要素と通信する際に装置をサポートするように構成されている通信インターフェースをさらに含んでもよい。通信インターフェースはトランシーバであってもよい。
【００４４】
可能な設計では、装置はトランシーバユニットを含んでもよい。トランシーバユニットは、一次ＡＰによって送信される協調伝送要求を受信し、一次ＡＰに第１の応答情報を送信し、一次ＡＰによって送信される干渉テスト情報を受信するように構成されている。任意に、装置は、処理ユニットをさらに含んでもよく、処理ユニットは、干渉テスト情報の干渉テスト結果に基づいて、協調伝送を実行するかどうかを決定するように構成されている。
【００４５】
第４の態様によれば、協調伝送制御方法および装置が提供される。
【００４６】
可能な設計では、この方法は、一次アクセスポイントＡＰに適用されるか、または一次ＡＰに対応するステーションＳＴＡに適用される。この方法は、一次アクセスポイントＡＰによって、協調伝送要求を二次ＡＰに送信することであって、協調伝送要求は、折衝パラメータ情報を搬送する、送信することと、二次ＡＰが、折衝パラメータ情報に基づいて、一次ＡＰと協調伝送を実行しようとするときに、一次ＡＰによって、二次ＡＰによって送信される第１の応答情報を受信することであって、第１の応答情報は、二次ＡＰが協調伝送を実行することを期待することを示すために使用される、受信することと、一次ＡＰによって、干渉テスト情報を二次ＡＰに送信することであって、干渉テスト情報は、二次ＡＰが干渉テストを実行して、協調伝送を実行するかどうかを決定するために使用される、送信することと、を含む。この設計において、一次ＡＰは、セル内のステーションＳＴＡを下りリンク伝送を実行するようにスケジュールし、二次ＡＰは、セル内のステーションＳＴＡを上りリンク伝送を実行するようにスケジュールすることができるが、制限は設けないと理解され得る。
【００４７】
この設計では、協調伝送を実行するかどうかは、セル間の設定パラメータ共有を通して、かつ干渉テストの二重決定条件に基づいて、決定され、アクセスポイントが事前に干渉状態を学習でき、これにより、実際の協調伝送中に引き起こされる干渉による不要な再伝送を防止し、通信効率を向上させるようにする。
【００４８】
可能な設計では、二次ＡＰが、折衝パラメータ情報に基づいて、一次ＡＰとの協調伝送を実行することをスキップすることを決定するときに、一次ＡＰは、事前設定された時間内に二次ＡＰからフィードバックを受信しない、または二次ＡＰによって送信される第２の応答情報を受信し、第２の応答情報は、二次ＡＰが協調伝送を実行することができないことを示すために使用される。
【００４９】
可能な設計において、一次ＡＰによって、二次ＡＰによって送信される第１の指示情報を受信することであって、第１の指示情報は、一次ＡＰがデータを送信するため使用されるプレコーディング行列Ｑ１を示すために使用される、受信することと、干渉テスト情報がＱ１を使用して送信されることと、をさらに含む。この設計によれば、二次ＡＰは、特定のセル設定パラメータに基づいて干渉防止ビームフォーミング方法を決定することができ、それによって、干渉を効果的に回避することができる。
【００５０】
可能な設計では、干渉テスト情報は、一次ＡＰによってスケジュールされるステーションＳＴＡに送信される下りリンクデータパケット内の対応するトレーニングフィールドに関する情報を含む、または干渉テスト情報は、一次ＡＰがスケジュールされるステーションＳＴＡに下りリンクデータパケットを送信する前に、一次ＡＰによって送信される別個のデータパケット内の対応するフィールドに関する情報である。
【００５１】
可能な設計では、折衝パラメータ情報は、一次ＡＰのアンテナの量と、一次ＡＰに対応するセル内の空間フローの量の少なくとも１つを含む。
【００５２】
これに対応して、協調伝送制御装置が提供される。装置は、第４の態様において、対応する方法を実施してもよい。例えば、機能形態に基づいて、装置はアクセスポイントＡＰまたはステーションＳＴＡであってもよい。例えば、装置は、アクセスデバイスもしくはステーションデバイスであってもよく、またはこれらのデバイス内のチップもしくは機能モジュールであってもよい。前述の方法は、ソフトウェアまたはハードウェアによって、または対応するソフトウェアを実行するハードウェアによって実施されてもよい。
【００５３】
可能な設計では、装置は、プロセッサおよびメモリを含んでもよい。プロセッサは、第４の態様の方法において対応する機能を実行する際に装置をサポートするように構成されている。メモリは、プロセッサに結合されるように構成され、装置に必要なプログラム（命令）およびデータを記憶する。追加的に、装置は、別のネットワーク要素と通信する際に装置をサポートするように構成されている通信インターフェースをさらに含んでもよい。通信インターフェースはトランシーバであってもよい。
【００５４】
可能な設計では、装置はトランシーバユニットを含んでもよい。トランシーバユニットは、協調伝送要求を二次ＡＰに送信し、二次ＡＰによって送信される第１の応答情報を受信し、二次ＡＰに干渉テスト情報を送信するように構成されている。任意に、装置は、処理ユニットをさらに含んでもよく、処理ユニットは、送信される情報を決定するか、または受信された情報を処理するように構成されている。
【００５５】
この出願は、コンピュータ記憶媒体をさらに提供し、コンピュータ記憶媒体はコンピュータプログラム（命令）を記憶する。プログラム（命令）がコンピュータ上で動作するときに、コンピュータは、前述の態様のいずれかで方法を実行することが可能にされる。
【００５６】
この出願は、コンピュータプログラム製品をさらに提供する。コンピュータプログラム製品がコンピュータ上で動作するときに、コンピュータは、前述の態様のいずれか１つに従って方法を実行することが可能にされる。
【００５７】
この出願は、協調伝送制御のために構成されたチップをさらに提供し、チップは命令を記憶する。命令が通信デバイス上で動作するときに、通信デバイスは、前述の態様において対応する方法を実行することが可能にされる。
【００５８】
この出願は、さらに、メモリ、プロセッサ、およびメモリに記憶され、プロセッサ上で動作することができるコンピュータプログラムを含む、協調伝送制御装置を提供する。コンピュータプログラムを実行するときに、プロセッサは、前述の態様において対応する方法を実施する。
【００５９】
この出願は、プロセッサを含む協調伝送制御装置をさらに提供する。プロセッサは、メモリに結合され、メモリ内の命令を読み取り、命令に従って前述の態様における対応する方法を実施するように構成されている。メモリは、プロセッサに統合されてもよく、またはプロセッサとは独立して存在してもよいことが理解され得る。
【００６０】
この出願は、プロセッサを含む協調伝送制御装置をさらに提供する。コンピュータプログラムを実行するときに、プロセッサは、前述の態様において対応する方法を実施する。
【００６１】
この出願は、さらに、上述の一次ＡＰ装置および上述の少なくとも１つの二次ＡＰ装置を含む、協調伝送制御システムをさらに提供する。システム内のこれらの構成要素は、前述の態様において対応する方法を実施することができる。
【００６２】
上述の装置、コンピュータ記憶媒体、コンピュータプログラム製品、チップ、およびシステムは、全て、上述の対応する方法を実施するように構成されることが理解され得る。従って、装置、コンピュータ記憶媒体、コンピュータプログラム製品、チップ、およびシステムによって達成され得る有益な効果については、対応する方法の有益な効果を参照し、本明細書では再度説明されない。
【図面の簡単な説明】
【００６３】
この出願の実施形態における技術的解決策をより明確に説明するために、以下では、この出願の実施形態を説明するために必要な添付の図面を簡単に説明する。
明らかに、以下の説明の添付図面は、この出願のいくつかの実施形態を示しているに過ぎず、当業者は、創造的努力なしに、この出願の実施形態およびこれらの添付図面から他の図面を依然として導出することができる。
【００６４】
【図１】この出願によるネットワークシステムのアーキテクチャを示す。
【図２】この出願による協調伝送制御方法の第１の実施形態のフローチャートである。
【図３】この出願による協調（並列）伝送要求の情報フォーマットの概略図である。
【図４】この出願による協調伝送制御方法の第２の実施形態のフローチャートである。
【図５】この出願による別の協調伝送制御方法の第１の実施形態のフローチャートである。
【図６】この出願による別の協調伝送制御方法の第２の実施形態のフローチャートである。
【図７ａ】この出願による協調（並列）伝送応答の情報フォーマットの概略図である。
【図７ｂ】この出願による協調（並列）伝送応答の別の情報フォーマットの概略図である。
【図７ｃ】この出願による協調（並列）伝送応答の他の情報フォーマットの概略図である。
【図７ｄ】この出願による協調（並列）伝送応答情報および干渉テスト情報の伝送モードの概略図である。
【図７ｅ】この出願による協調（並列）伝送応答の別の情報フォーマットの概略図である。
【図７ｆ】この出願による協調（並列）伝送応答の別の情報フォーマットの概略図である。
【図７ｇ】この出願による協調（並列）伝送応答情報および干渉テスト情報の伝送モードの概略図である。
【図７ｈ】この出願による協調（並列）伝送応答の別の情報フォーマットの概略図である。
【図８ａ】この出願によるＡＰ２のスケジュール機会の概略図である。
【図８ｂ】この出願によるＡＰ２のスケジュール機会の別の概略図である。
【図９】この出願による協調伝送制御装置の簡略概略構造図である。
【図１０】この出願によるネットワークデバイスの簡略概略構造図である。
【発明を実施するための形態】
【００６５】
この出願によって解決される技術的問題、およびこの出願において使用される技術的解決策および達成される技術的効果をより明確にするために、以下、実施形態および添付の図面を参照して、この出願における技術的解決策をさらに詳細に説明する。詳細な説明は、ブロック図、フローチャート、および／または実施例を使用して、デバイスおよび／またはプロセスの様々な実施形態を提供する。これらのブロック図、フローチャート、および／または実施例は、１つ以上の機能および／または動作を含むため、当業者は、ブロック図、フローチャート、および／または実施例の各機能および／または動作が、多くのハードウェア、ソフトウェア、および／またはファームウェア、および／またはそれらの任意の組み合わせを使用することによって、独立して、および／または共同して実行され得ることを理解してもよい。
【００６６】
この出願における「複数」とは、２つまたは３つ以上を指す。この出願における用語「および／または」とは、関連オブジェクトを説明するための関連関係のみを説明し、３つの関係が存在し得ることを表す。例えば、Ａおよび／またはＢは、Ａのみ存在することと、ＡとＢの両方が存在することと、Ｂのみ存在することの３つのケースを表してもよい。追加的に、この明細書における文字「／」は、一般に関連オブジェクト間の「または」関係を示す。この出願においては、「第１」、「第２」などの用語は、異なるオブジェクト間を区別することが意図されており、オブジェクトの特定の順序を示さない。
【００６７】
この出願においては、名詞「ネットワーク」および「システム」は、通常、互換的に使用されるが、当業者は、名詞の意味を理解することができる。場合によっては、この出願で言及されている「ステーション（Station、略してＳＴＡ）」／「端末」は、各々、携帯デバイス、例えば、携帯電話、パーソナル・デジタル・アシスタント、ハンドヘルドコンピュータまたはラップトップコンピュータ、および電気通信能力を有する同様のデバイスであってもよい。場合によっては、「ステーション」／「端末」は、ウェアラブルデバイスなどであってもよく、ユーザの通信セッションを終了させることができる任意のハードウェアまたはソフトウェアの構成要素であってもよい。追加的に、「ユーザ端末」、「User  Equipment」、「ＵＥ」、「端末デバイス」、「ユーザデバイス」、「ユーザエージェント」、「User  Agent」、「ＵＡ」、「ユーザ機器」、「携帯デバイス」、「デバイス」などは、すべて、この明細書において「ステーション（Station、略してＳＴＡ）」／「端末」と同じ意味を備えた代替用語である。説明を容易にするために、上述のデバイスは、この出願の全ての実施形態において、サイトまたはＳＴＡと総称される。
【００６８】
この出願で言及される「アクセスポイント（Access  Point、略してＡＰ）」は、ネットワークデバイス、すなわち、無線アクセスネットワーク内に配置され、端末装置に対して無線通信機能を提供する装置であり、ＳＴＡの上りリンク／下りリンク伝送のスケジュールおよび設定を担当することができる。アクセスポイントは、様々な形態のマクロ基地局、マイクロ基地局、中継ノード、アクセスポイント等を含んでもよく、従来の無線通信システムにおけるピアデバイスの改良としてシステムおよびデバイスを含む。このような高度なデバイスまたは次世代デバイスは、ロングタームエボリューションＬＴＥ通信システム、５Ｇ通信システム、将来進化したシステム、または複数のタイプの通信コンバージェンスシステムに含まれてもよい。アクセスポイント機能を持つデバイスの名称は、異なる無線アクセス技術を使用するシステムによって異なってもよい。説明を容易にするために、この出願では、ＳＴＡのための無線通信機能を提供する前述の装置は全て、アクセスポイントまたはＡＰと呼ばれる。
【００６９】
この出願で言及される「協調伝送」とは、少なくとも２つのＡＰ／ＳＴＡが各々セル内通信伝送を実行し、２つのセル間の相互干渉を回避するために、ＡＰ／ＳＴＡが協調伝送を実行することを意味する。このような協調伝送は、少なくとも２つのＡＰ／ＳＴＡが同時に伝送を実行するため、並列伝送とも呼ばれる。
【００７０】
図１は、この出願におけるネットワークシステムのアーキテクチャを提供する。システムでは、２つ以上のＡＰがあり、各ＡＰに対して、ＡＰに関連する１つ以上のＳＴＡがある。追加的には、複数のＡＰの中には、１つの一次ＡＰ（例えば、ＡＰ１）と少なくとも１つの二次ＡＰ（例えば、ＡＰ２とＡＰ３）がある。ＡＰ１は、競合を通して、チャネルを使用する権利を取得するアクセスポイント、またはＡＰグループ内にあり、共同伝送中に伝送が優先的に確実にされるアクセスポイントとして、ＡＰグループからＡＣによって選出される一次ＡＰである。一次ＡＰとして機能するＡＰ１は、伝送が優先的に確実にされるアクセスポイントであってもよい。任意に、ＡＰ１は、定義されたルールに従ってＡＰグループの制御点としてＡＰグループから選択されるか、または競合によってＡＰグループの制御点となってもよい。ＡＰ１は、ＡＰグループ上の伝送、リソースなどを制御および管理する機能を実行してもよく、複数のＡＰの協調伝送を調整してもよい。任意に、ＡＰグループを制御および管理する機能は、追加のアクセスコントローラ（Access  Controller、略してＡＣ）を使用して実施されてもよい。追加のＡＣが、複数のＡＰの協調伝送を調整するために、ＡＰグループ内にさらに配置されてもよい。有線または無線伝送は、ＡＰ間およびＡＰとＡＣとの間で使用されてもよい。
【００７１】
本システムでは、ＡＰ１が、上りリンク伝送のためにＡＰ１によってサービスされるセル内のＳＴＡ１をスケジュールし、ＡＰ２が、下りリンク伝送のためにＡＰ２によってサービスされるセル内のＳＴＡ２をスケジュールする場合、距離が比較的短いため、ＡＰ２の下りリンク伝送は、上りリンク受信を実行するＡＰ１に強い干渉を引き起こす可能性がある。代替的には、ＡＰ１が、下りリンク伝送のためにＡＰ１によってサービスされるセル内のＳＴＡ１をスケジュールし、ＡＰ２が、上りリンク伝送のためにＡＰ２によってサービスされるセル内のＳＴＡ２をスケジュールする場合、距離が比較的短いため、ＡＰ１の下りリンク伝送は、上りリンク受信を実行するＡＰ２に強い干渉を引き起こす可能性がある。干渉を避けるために、ＡＰ１によってサービスされるセルとＡＰ２にｙほってサービスされるセルは、協調伝送を実行することができず、通信効率の低下につながる。従って、この出願では、一次ＡＰと二次ＡＰとの間で協調伝送制御が実行されて、干渉制御を実行しながら通信効率を改善する。
実施形態１
【００７２】
システムにおいて、一次アクセスポイント（ＡＰ１）と少なくとも１つの二次アクセスポイント（ＡＰ２、ＡＰ３等）との間で協調伝送が実行される必要がある場合、この実施形態の方法が協調伝送制御を実行するために使用されて、セル間干渉を防止する必要がある。この出願のこの実施形態によれば、図２は、この出願による協調伝送制御方法の第１の実施形態のフローチャートである。この実施形態は、実施例として、ＡＰ１が上りリンク伝送を実行し、ＡＰ２が下りリンク伝送を実行するというシナリオを使用して説明されるが、制限は設けない。ＡＰ１によって対応してスケジュールされるステーションはＳＴＡ１であり、ＡＰ２によって対応してスケジュールされるステーションはＳＴＡ２である。解決策の理解を容易にするために、ＡＰ２が二次アクセスポイントとして使用する例を使用して、この実施形態およびその後の実施形態の全体的な説明が、複数の相互作用パーティの観点から提供される。しかし、これは、システムの改善が、全ての相互作用する側で一緒に実行されるステップを必要とすることを意味しない。この出願で提案された技術的解決策では、システムの各側で改良がなされる。
【００７３】
本方法は、以下のステップを含む。
【００７４】
Ｓ１０１．二次アクセスポイントＡＰは、ＡＰ１によって送信される調整伝送要求を受信し、調整伝送要求は折衝パラメータ情報を搬送する。
【００７５】
ＡＰがチャネルを使用する権利を取得するか、またはＡＰがシステムから選択された後、ＡＰは一次ＡＰ（すなわちＡＰ１）として決定され、システム内の他のＡＰは二次ＡＰ（例えば、ＡＰ２およびＡＰ３）である。この場合、ＡＰ１のデータ伝送と、ＡＰ１に対応するステーションＳＴＡ１のスケジュールがシステム内で確実にされる必要がある。ＡＰ１は、上りリンク伝送のためにＳＴＡ１をスケジュールすることを決定し、協調伝送要求を二次ＡＰ（例えば、ＡＰ２）に送信する。任意に、アクション（Action）フレームが、協調伝送要求の情報フォーマットとして使用されてもよい。フレームの特定の構造については、図３を参照されたい。図３は、協調（並列）伝送要求の情報フォーマットの概略図である。協調伝送要求は、折衝パラメータ情報を搬送することができ、任意に、ＡＰ１のアンテナの量、ＡＰ１によってサービスされるセル１内の空間フローの量、ＡＰ１によってサービスされるセルを識別するために使用される基本サービスセットカラー（Basic  Service  Set  Color、略してＢＳＳ）、送信機アドレス（すなわち、ＡＰ１のアドレス）、ＡＰ１が上りリンク伝送を実行するか下りリンク伝送を実行するかを示すために使用される上りリンク／下りリンク指示（この実施形態では、ＡＰ１は上りリンク伝送を実行する）、受信器アドレス（すなわち、ＡＰ２のアドレス）、およびスケジュールされるＳＴＡ１がデータを送信するために使用される帯域幅／リソースブロックのうちの少なくとも１つを含む。前述のパラメータ情報は、この出願に対する限定を構成しない。例えば、パラメータ情報は、送信電力と、変調および符号化情報とをさらに含んでもよい。
【００７６】
Ｓ１０２．ＡＰ２は、折衝パラメータ情報に基づいて、ＡＰ１と協調伝送を実行するかどうかを決定する。
【００７７】
ＡＰ２は、折衝パラメータ情報に基づいて、ＡＰ１と協調伝送を実行するかどうかを決定してもよい。例えば、ＡＰ２は、空間フローの量およびＡＰ２のアンテナの量と組み合わせたＡＰ１のアンテナの量に関する情報に基づいて、ＡＰ２がＡＰ１と協調伝送を実行することができるかどうかを決定する。例えば、空間フローの量がＡＰ１のアンテナの量に等しく、ＡＰ２のアンテナの量がＡＰ１のアンテナの量に等しい場合、ＡＰ２は、予約された空間方向を使用することによって、ＡＰ１によって実行される上りリンクデータ受信への干渉を防止することができず、従って、協調伝送を実行することができない。そして、空間フローの量がＡＰ１のアンテナの量以下であり、ＡＰ２のアンテナの量がＡＰ１のアンテナの量より大きいか、または、空間フローの量がＡＰ１のアンテナの量より小さく、ＡＰ２のアンテナの量がＡＰ１のアンテナの量以下である場合、ＡＰ２は、予約された空間方向を使用することによって、ＡＰ１によって実行される上りリンクデータ受信への干渉を防止することができ、従って、協調伝送を実行することができる。以上は、この出願の実施例に過ぎない。ＡＰ２がＡＰ１と協調するかどうかを決定する方法は、これに限定されない。
【００７８】
Ｓ１０３．ＡＰ１と協調伝送を実行しないと決定するときに、ＡＰ２はＡＰ１にＡＰ２が協調伝送できないことを示す情報をフィードバックする。
【００７９】
このステップは任意のステップである。ＡＰ１と協調伝送を実行しないと決定するときに、ＡＰ２は、このステップを使用することにより、ＡＰ２が協調伝送できないことを示す情報をフィードバックし、ＡＰ１に通知してもよい。任意に、ＡＰ１と協調伝送を実行しないと決定するときに、ＡＰ２は、ＡＰ２が協調伝送を実行することができないことをＡＰ１が決定するために、事前設定された時間内に協調伝送要求に応答しなくてもよい。この場合、このステップの動作は必要ではない。
【００８０】
ＡＰ２が協調伝送を実行できない場合、ＡＰ１は、協調伝送を実行するために、他のセル内の二次ＡＰ（例えば、ＡＰ３）を選択し続けるか、または単一セル伝送を実行してもよい。
【００８１】
Ｓ１０４．ＡＰ１と協調伝送を実行すると決定するときに、ＡＰ２は、ＡＰ１に、ＡＰ２が協調伝送を実行することを決定することを示す応答情報を送信する。
【００８２】
このステップは任意のステップであり、ステップＳ１０５で送信される干渉テスト情報は、代替的に、ＡＰ２が協調伝送を実行すると決定することを示してもよい。応答情報の情報フォーマットは、既存の情報フォーマットであってもよい。図７ａは、協調（coordinated）伝送応答の情報フォーマットの概略図である。協調伝送応答は、まず、レガシーショートトレーニングフィールド（Legacy  Short  Training  Field、略してＬ−ＳＴＦ）、レガシーロングトレーニングフィールド（Legacy  Long  Training  Field、略してＬ−ＬＴＦ）、およびレガシー信号フィールド（Legacy  Signal  Field、略してＬ−ＳＩＧ）を含み、これらは、後方互換性を確保し、データに対応する継続期間を示すために使用される。プリアンブルは、ＮＧ規格に特有のシグナリング情報を搬送するために使用される次世代シグナリングＡおよび／またはＢ（Next  Generation  Signaling  A/B、略してＮＧ−ＳＩＧ−Ａ／Ｂ）をさらに含む。ＮＧはコード名を表し、次世代（next  generation）を意味してもよい。確かに、別のコード名が使用されてもよい。フォローアップ分野としては、次世代ショートトレーニングフィールド（Next  Generation  Short  Training  Field、略してＮＧ−ＳＴＦ）および次世代ロングトレーニングフィールド（Next  Generation  Long  Training  Field、略してＮＧ−ＬＴＦ）を含み、これらは、自動ゲイン制御（Automatic  Gain  Control、略してＡＧＣ）および他入力他出力（Multiple  Input  Multiple  Output、略してＭＩＭＯ）の場合のチャネル測定のためにそれぞれ使用される。ＮＧ−ＬＴＦフィールドは、複数のＮＧ−ＬＴＦシンボルを含んでもよく、複数の空間時間フローにおけるチャネル測定に使用される。フォローアップ部は、ＭＡＣフレームを搬送するために使用されるデータ（Data）フィールドであり、データフィールドは、ＡＰ２が協調伝送を実行することを期待することを示す。
【００８３】
Ｓ１０５．ＡＰ１との協調伝送を実行すると決定するときに、ＡＰ２は、ＡＰ１に対して干渉テスト情報を送信する。
【００８４】
ステップＳ１０４が実行されるときに、干渉テスト情報は、ＡＰ２が協調伝送を実行すると決定したことを示す応答情報と共に、またはこれとは別に送信されてもよい。干渉テスト情報が応答情報と共に送信されるときに使用されるフレーム構造は、図７ｂに示されるデータパケット構造であってもよく、または干渉テスト情報が応答情報と共に送信されるときに使用されるフレーム構造は、図７ｃに示されるデータパケット構造であってもよく、干渉テスト情報とデータフィールドとの間にパディングフィールドがさらに設けられる。干渉テスト情報が応答情報とは別に送信されるときに使用されるフレーム構造は、図７ｄに示されてもよく、干渉テスト情報と応答情報フレームは、短いフレーム間隔によって分離される。いずれの場合でも、データフィールドの後に干渉テスト情報が存在するかどうかは、応答情報の信号フィールドのビット指示を使用して示されてよい。
【００８５】
また、ステップＳ１０１において、ＡＰ１によって送信される協調伝送要求は、ＡＰ２によって送信される応答情報のデータパケットが干渉テスト情報を搬送することが期待されるかどうかを示してもよいことが理解され得る。
【００８６】
干渉テスト情報は干渉テストシーケンスであってもよく、８０２．１１規格のいくつかの既存シーケンスが使用されてもよく、例えばレガシーロングトレーニングシーケンス（Legacy  Long  Training  Field、Ｌ−ＬＴＦ）である。干渉テストシーケンスは、高スループットロングトレーニングシーケンス（High  Throughput  LTF、略してＨＴ−ＬＴＦ）、非常に高レートのロングトレーニングシーケンス（Very  HT  LTF、略してＶＨＴ−ＬＴＦ）、高効率のロングトレーニングシーケンス（High  Efficient  LTF、略してＨＥ−ＬＴＦ）、またはランダムシーケンスであってもよい。
【００８７】
干渉テスト情報は、ＡＰ１によって実行されるデータ受信への干渉を防止するために使用されるプレコーディング行列Ｑ２を使用して送信されてもよい。任意に、Ｑ２の選択標準はＨ２１Ｑ２＝０である。Ｈ２１は、ＡＰ１とＡＰ２との間のチャネル推定情報であり、この出願はこれに限定されない。代替的に、ＡＰ２によってサービスされるセル内の受信端状態を考慮すると、干渉テスト情報は、別のプレコーディング行列を使用して送信される。
【００８８】
Ｓ１０６．ＡＰ１は、受信した干渉テスト情報に基づいて干渉テストを実行し、ＡＰ２と協調伝送しないことを決定する。
【００８９】
ステップ１０４が実行される場合、ＡＰ１は、応答情報のデータフィールドに基づいて、ＡＰ２が協調伝送を実行するかどうかを決定してもよい。任意に、ＡＰ１は、対応するビット指示に基づいて、干渉テスト情報がデータフィールドの後に存在するかどうかを決定する。
【００９０】
ＡＰ１は、干渉テスト情報を使用して、ＡＰ２への干渉が所定の閾値を超えるかどうかをテストし、干渉が閾値を超える場合、ＡＰ２と協調伝送を実行しないことを選択してもよい。任意に、干渉が閾値に等しい場合、ＡＰ１は、ＡＰ２と協調伝送を実行しないことを選択してもよい。
【００９１】
Ｓ１０７．ＡＰ２と協調伝送を実行しないことを選択するときに、ＡＰ１は、ＡＰ１がＡＰ２と協調伝送を実行しないことを示す情報を送信する。
【００９２】
この情報は、別個の協調確認フレーム内で搬送され、ＡＰ２に送信されるか、またはＳＴＡ１に全方向に送信される上りリンク伝送トリガフレーム内で搬送されてもよい。この情報は、フレーム内の対応するビット指示、例えば、１ビット指示であってもよく、ビット指示の値は、０または１である。代替的には、この情報は対応する識別子であってもよく、例えば、予約済みの識別子または非周囲のセルに存在するＡＰの識別子であってもよく、ＡＰ１が協調伝送を実行することを期待しないことを示すものである。
【００９３】
Ｓ１０８．ＡＰ１は、受信した干渉テスト情報に基づいて干渉テストを行い、ＡＰ２と協調伝送を実行することを決定する。
【００９４】
ステップ１０４が実行される場合、ＡＰ１は、応答情報のデータフィールドに基づいて、ＡＰ２が協調伝送を実行するかどうかを決定することができる。任意に、ＡＰ１は、対応するビット指示に基づいて、干渉テスト情報がデータフィールドの後に存在するかどうかを決定する。
【００９５】
ＡＰ１は、干渉テスト情報を使用して、ＡＰ２への干渉が所定の閾値を超えるかどうかをテストし、干渉が閾値を超えない場合、ＡＰ２と協調伝送を実行することを選択してもよい。任意に、干渉が所定の閾値に等しい場合、ＡＰ１は、ＡＰ２と協調伝送を実行することを選択してもよい。
【００９６】
Ｓ１０９．ＡＰ２と協調伝送を実行することを選択するときに、ＡＰ１は、ＡＰ１がＡＰ２との協調伝送を実行することを示す情報を送信する。
【００９７】
この情報は、別個の協調確認フレーム内で搬送され、ＡＰ２に送信されてもよく、またはＳＴＡ１に特有の全方向に送信される上りリンク伝送トリガフレーム内で搬送されてもよい。この情報は、フレーム内の対応するビット指示、例えば、１ビット指示であってもよく、ビット指示の値は、０または１である。代替的には、情報は、対応する識別子、例えば、ＡＰ２の識別子であってもよく、ＡＰ１が協調伝送を実行することを期待することを示すものである。
【００９８】
ＡＰ１が、協調伝送が選択されているかどうかにかかわらず、別個の協調確認フレームを使用してフィードバックを提供する場合、ＡＰ１は、その後、ＡＰ１によってスケジュールされるＳＴＡ１に上りリンクデータ伝送トリガフレームを送信し、ＳＴＡ１は、トリガフレームを受信した後に上りリンクデータ伝送を実行することに留意されたい。ＡＰ１が、トリガフレームを使用してフィードバックを提供する場合、協調伝送が選択されているかどうかにかかわらず、ＳＴＡ１は、トリガフレームを受信した後に上りリンクデータ伝送を実行する。
【００９９】
ＡＰ１が協調伝送を実行することを選択する場合、ＡＰ２は、協調確認フレームまたはトリガフレームを受信した後、ＡＰ１と協調伝送を実行するために、スケジュールされるＳＴＡ２に下りリンクデータを送信する（Ｓ１０５のＱ２などの特定のプレコーディング行列を使用して干渉テスト情報が送信される場合、Ｑ２を使用して下りリンクデータも送信する）。ＡＰ２とＡＰ１の伝送が同時に終了するか、ＡＰ２の下りリンク伝送がＡＰ１の上りリンク伝送よりも早く終了することに留意されたい。ＡＰ１の上りリンク伝送の時間情報は、前述のメッセージまたはフレームのいずれか１つで搬送されてもよい。
【０１００】
さらに、Ｓ１０３、Ｓ１０４、およびＳ１０５は、必ずしも特定の順序で実行されるわけではなく、異なる場合には単に異なる処理であることに留意されたい。Ｓ１０６、Ｓ１０７、Ｓ１０８、およびＳ１０９は、必ずしも特定の順序で実行されるわけではなく、異なる場合には単に異なる処理である。
【０１０１】
この出願のこの実施形態における協調伝送制御方法によれば、セル間の設定パラメータ共有を通して、かつ干渉テストの二重決定条件に基づいて協調伝送を実行するかどうかが決定されて、アクセスポイントが事前に干渉状態を学習することができ、これにより、実際の協調伝送中に引き起こされる干渉による不要な再伝送を防止し、通信効率を向上させるようにする。
実施形態２
【０１０２】
図４は、この出願による協調伝送制御方法の第２の実施形態のフローチャートである。なお、この実施形態と実施形態１との相違点は、この実施形態では、ＡＰ２が協調伝送を実行することを決定する場合が説明され、異なる条件でＡＰ２によって実行される協調伝送の伝送制御手順が具体的に区別される点にある。なお、実施形態１と同一または類似の内容については、この実施形態では再度説明されない。
【０１０３】
本方法は、以下のステップを含む。
【０１０４】
Ｓ２０１．ＡＰ１は協調伝送要求を送信し、ＡＰ２はＡＰ１によって送信される協調伝送要求を受信し、協調伝送要求は折衝パラメータ情報を搬送する。
【０１０５】
搬送される折衝パラメータ情報は、主に、ＡＰ１のアンテナの量およびセル１の空間フローの量を含む。このステップは、実施形態１のＳ１０１と同様である。詳細はＳ１０１を参照のこと。詳細は、本明細書では再度説明されない。
【０１０６】
Ｓ２０２．ＡＰ２は、折衝パラメータ情報に基づいて、一方向性ビームフォーミングを通してＡＰ１と協調伝送を実行することを決定し、ＡＰ２がデータを送信するために使用されるプレコーディング行列Ｑ２を決定する。
【０１０７】
ＡＰ２は、空間フローの量およびＡＰ２のアンテナの量と組み合わせたＡＰ１のアンテナの量に関する情報に基づいて、ＡＰ２がＡＰ１と協調伝送を実行することができるかどうかを決定してもよい。空間フローの量がＡＰ１のアンテナの量以下であり、ＡＰ２のアンテナの量がＡＰ１のアンテナの量より大きい場合、ＡＰ２は、予約された空間方向を使用して、ＡＰ１によって実行される上りリンクデータ受信への干渉を一方向性に防止することができ、従って、協調伝送を実行することができる。ＡＰ１によって実行されるデータ受信への干渉を防止するために使用されるプレコーディング行列Ｑ２は、データ伝送のために選択されてもよい。任意に、Ｑ２の選択標準は、Ｈ２１Ｑ２＝０であり、Ｈ２１は、ＡＰ１とＡＰ２との間のチャネル推定情報である。この出願は、これに限定されない。
【０１０８】
Ｓ２０３．ＡＰ２は、ＡＰ１に、ＡＰ２が協調伝送を実行することを決定したことを示す応答情報を送信する。
【０１０９】
このステップは任意のステップであり、ステップＳ２０４で送信された干渉テスト情報は、代替的に、ＡＰ２が協調伝送を実行することを決定したことを示してもよい。応答情報の情報フォーマットは、図７ａに示されるデータパケット構造であってもよく、データフィールドは、ＡＰ２が協調伝送を実行することを期待することを示す。
【０１１０】
Ｓ２０４．ＡＰ２は、干渉テスト情報をＡＰ１に送信する。
【０１１１】
ステップＳ２０３が実行されるときに、干渉テスト情報は、ＡＰ２が協調伝送を実行することを決定したことを示す応答情報（特定の情報フォーマットについては、図７ｂまたは図７ｃを参照のこと）と共に送信されてもよく、または干渉テスト情報は、応答情報（特定の情報フォーマットについては、図７ｄ参照のこと）とは別に送信されてもよい。干渉テスト情報は、プレコーディング行列Ｑ２を使用して送信されてもよい。
【０１１２】
Ｓ２０５．ＡＰ２は、折衝パラメータ情報に基づいて、双方的ビームフォーミングを通してＡＰ１と協調伝送を実行することを決定し、ＡＰ２がデータを送信するために使用されるプレコーディング行列Ｑ２′、およびＡＰ１がデータを受信するために使用される受信等化行列Ｗ１を決定する。
【０１１３】
ＡＰ２は、空間フローの量およびＡＰ２のアンテナの量と組み合わせたＡＰ１のアンテナの量に関する情報に基づいて、ＡＰ２がＡＰ１と協調伝送を実行することができるかどうかを決定してもよい。空間フローの量がＡＰ１のアンテナの量より少なく、ＡＰ２のアンテナの量がＡＰ１のアンテナの量以下である場合、ＡＰ１によって実行される上りリンクデータ受信への干渉は、予約された空間方向を使用することによって双方的に防止され、従って、協調伝送が行われ得る。
【０１１４】
ＡＰ１によって実行される上りリンクデータ受信への干渉が予約された空間方向を使用することによって双方的に防止され得ると決定されるときに、ＡＰ２は、送信端としてＡＰ２のプレコーディング行列Ｑ２′を決定する必要があるだけでなく、ＡＰ１がデータを受信するために使用される受信等化行列を決定する必要もあり、すなわち、ＡＰ２は送信端ビームフォーミングを実行し、ＡＰ１は受信端ビームフォーミングを実行する。ＡＰ２のＱ２′およびＡＰ１のＷ１は、任意の標準Ｗ１Ｈ２１Ｑ２′＝０に従って決定され、Ｈ２１は、ＡＰ１とＡＰ２の間のチャネル推定情報である。この出願は、これに限定されない。
【０１１５】
Ｓ２０６．ＡＰ２は、ＡＰ１に、ＡＰ２が協調伝送を実行することを決定したことを示す応答情報を送信し、応答情報は、ＡＰ１がデータを受信するために使用される受信等化行列Ｗ１の指示情報を搬送する。
【０１１６】
応答情報の情報フォーマットは、図７ｅに示すデータパケット構造であってもよい。ＡＰ２が協調伝送を実行するかどうかを示す協調応答情報に加えて、応答情報中のデータフィールドは、ＡＰ１がデータを受信するために使用される受信等化行列Ｗ１に関する情報をさらに搬送する。
【０１１７】
Ｓ２０７．ＡＰ２は、干渉テスト情報をＡＰ１に送信する。
【０１１８】
干渉テスト情報は、ＡＰ２が協調伝送を実行することを決定したことを示す応答情報と共に、またはこれとは別に送信されてもよい。干渉テスト情報が応答情報と共に送信されるときに、図７ｆに示されるフレーム構造が使用されてもよい。図７ｃと同様に、データフィールドと干渉テスト情報との間にパディングフィールドが設けられており、このフィールドは、データフィールド内で搬送されている受信等化行列Ｗ１を使用して、Ｑ２′を使用してＡＰ２によって送信される干渉テスト情報をＡＰ１が受信する準備をするために使用される。干渉テスト情報が応答情報とは別に送信されるときに、図７ｇに示すフレーム構造が使用されてもよい。
【０１１９】
Ｓ２０２〜Ｓ２０４、Ｓ２０５〜Ｓ２０７は、必ずしも特定の順序で実行されず、単に異なる場合の異なる処理であると留意されたい。
【０１２０】
Ｓ２０８．ＡＰ１は、受信した干渉テスト情報に基づいて干渉テストを実行し、ＡＰ２と協調伝送を実行しないことを決定する。
【０１２１】
ＡＰ１は、干渉テスト情報を用いて、ＡＰ２への干渉が所定の閾値を超えるかどうかをテストする。Ｓ２０２〜Ｓ２０４の場合、Ｑ２を使用して処理したデータを送信することは、ＡＰ１への干渉を引き起こさないのが理想である。しかしながら、ＡＰ２によって取得されるＱ２の精度が不十分な場合、またはセル内の受信端が別のプレコーディング行列を使用することを考慮すると、干渉が引き起こされることがある。干渉が閾値を超える場合、ＡＰ１は、ＡＰ２と協調伝送を実行しないことを選択してもよく、干渉が閾値を超えない場合、ＡＰ１は、ＡＰ２と協調伝送を実行することを選択してもよい。任意に、干渉が閾値に等しい場合、ＡＰ１は、ＡＰ２と協調伝送を実行しないことを選択してもよく、ＡＰ２と協調伝送を実行することを選択してもよい。
【０１２２】
Ｓ２０５〜Ｓ２０７の場合、理想的には、Ｑ２′を使用して送信されるデータを、Ｗ１を使用してＡＰ１が受信するときに、ＡＰ１に干渉は引き起こされない。しかしながら、ＡＰ２によって取得されるＱ２′またはＷ１が十分に正確でない場合、またはセル内の受信端が別のプレコーディング行列を使用することを考慮し、ＳＴＡ１によって送信されるデータの受信を考慮すると、ＡＰ１はデータを受信するためにＷ１を使用しないことがあり、干渉が引き起こされることがある。干渉が閾値を超える場合、ＡＰ１は、ＡＰ２と協調伝送を実行しないことを選択してもよく、干渉が閾値を超えない場合、ＡＰ１は、ＡＰ２と協調伝送を実行することを選択してもよい。任意に、干渉が閾値に等しい場合、ＡＰ１は、ＡＰ２と協調伝送を実行しないことを選択してもよく、ＡＰ２と協調伝送を実行することを選択してもよい。
【０１２３】
Ｓ２０９．ＡＰ２との協調伝送を実行しないことを選択するときに、ＡＰ１は、ＡＰ１がＡＰ２との協調伝送を実行しないことを示す情報を送信する。
【０１２４】
このステップは、実施形態１のＳ１０７と同様である。詳細は、Ｓ１０７を参照のこと。詳細は、本明細書では再度説明されない。
【０１２５】
Ｓ２１０．ＡＰ１は、受信した干渉テスト情報に基づいて干渉テストを実行し、ＡＰ２と協調通信を実行するかどうかを決定する。
【０１２６】
ＡＰ１は、干渉テスト情報を使用して、ＡＰ２への干渉が所定の閾値を超えるかどうかをテストし、干渉が閾値を超えない場合、ＡＰ２と協調伝送を実行することを選択してもよい。任意に、干渉が閾値に等しい場合、ＡＰ１は、ＡＰ２と協調伝送を実行することを選択してもよい。
【０１２７】
Ｓ２１１．ＡＰ２との協調伝送を実行することを選択するときに、ＡＰ１は、ＡＰ１がＡＰ２と協調伝送を実行することを示す情報を送信する。
【０１２８】
ＡＰ１が協調伝送を実行することを選択する場合、一方向性ビームフォーミングの場合、協調確認フレームまたはトリガフレームを受信した後、ＡＰ２は、Ｑ２を使用して、スケジュールされるＳＴＡ２に下りリンクデータを送信し、ＡＰ１と協調伝送を実行する。双方的ビームフォーミングの場合、協調確認フレームまたはトリガフレームを受信した後、ＡＰ２は、Ｑ２′を使用して、スケジュールされるＳＴＡ２に下りリンクデータを送信し、ＡＰ１は、Ｗ１を使用して、スケジュールされるＳＴＡ１によって送信される上りリンクデータを受信する。ＡＰ２とＡＰ１の伝送が同時に終了するか、ＡＰ２の下りリンク伝送がＡＰ１の上りリンク伝送よりも早く終了することに留意されたい。ＡＰ１の上りリンク伝送の時間情報は、前述のメッセージまたはフレームのいずれか１つで搬送されてもよい。
【０１２９】
このステップは、実施形態１のＳ１０９と同様である。他の関連する詳細な説明については、Ｓ１０９を参照のこと。詳細は、本明細書では再度説明されない。
【０１３０】
Ｓ２０８、Ｓ２０９、Ｓ２１０、およびＳ２１１は、必ずしも特定の順序で実行されず、単に異なる場合における異なる処理であることに留意されたい。
【０１３１】
この出願のこの実施形態における協調伝送制御方法によれば、特定のセル設定パラメータに基づいて干渉防止ビームフォーミング方法が決定され、協調伝送を実行するかどうかが干渉テストの二重決定条件に基づいて決定されて、実際の協調伝送中に生じる干渉による不要な再伝送を防止するために、ビームフォーミングのための空間制御方法が使用されることができ、これにより、通信効率を向上させるようにする。
実施形態３
【０１３２】
この出願のこの実施形態によれば、図５は、この出願による別の協調伝送制御方法の第１の実施形態のフローチャートである。この実施形態は、実施例として一次アクセスポイントＡＰ１が下りリンク伝送を実行し、二次アクセスポイントＡＰ２が上りリンク伝送を実行するシナリオを使用して説明されるが、制限は設けない。ＡＰ１によって対応してスケジュールされるステーションはＳＴＡ１であり、ＡＰ２によって対応してスケジュールされるステーションはＳＴＡ２である。解決策の理解を容易にするために、この実施形態およびその後の実施形態の全体的な説明は、複数の相互作用パーティの観点から提供される。しかしながら、これは、確かに、システム内の全ての相互作用する側のステップが、一緒に実行される必要があることを意味しない。この出願で提案される技術的解決策では、システムの両側に改良が施される。前述の実施形態と同様の内容の説明および詳細については、本明細書では再度説明されない。
【０１３３】
本方法は、以下のステップを含む。
【０１３４】
Ｓ３０１．ＡＰ１は協調伝送要求を送信し、ＡＰ２はＡＰ１によって送信される協調伝送要求を受信し、協調伝送要求は折衝パラメータ情報を搬送する。
【０１３５】
ＡＰがチャネルを使用する権利を取得する、またはシステムから選択された後、ＡＰは一次ＡＰ（すなわち、ＡＰ１）として決定され、システム内の他のＡＰは二次ＡＰ（例えば、ＡＰ２およびＡＰ  ３）である。この場合、ＡＰ１のデータ伝送と、ＡＰ１に対応するステーションＳＴＡ１のスケジュールがシステムにおいて確実される必要がある。ＡＰ１は、上りリンク伝送を実行するためにＳＴＡ１をスケジュールすることを決定し、少なくとも二次ＡＰ（例えば、ＡＰ２）に協調伝送要求を送信する。任意に、アクション（Action）フレームが、協調伝送要求の情報フォーマットとして使用されてもよい。フレームの特定の構造については、図３を参照のこと。協調伝送要求は、折衝パラメータ情報を搬送することができ、任意に、ＡＰ１のアンテナの量、ＡＰ１によってサービスされるセル１内の空間フローの量、ＡＰ１によってサービスされるセルを識別するために使用される基本サービスセットカラー（Basic  Service  Set  Color、略してＢＳＳ）、送信機アドレス（すなわち、ＡＰ１のアドレス）、ＡＰ１が上りリンク伝送を実行するか下りリンク伝送を実行するかを示すために使用される上りリンク／下りリンク指示（この実施形態では、ＡＰ１は下りリンク伝送を実行する）、受信器アドレス（すなわち、ＡＰ２のアドレス）、およびスケジュールされるＳＴＡ１がデータを受信するために使用される帯域幅／リソースブロックのうちの少なくとも１つを含む。前述のパラメータ情報は、この出願に対する限定を構成しない。例えば、パラメータ情報は、送信電力と、変調および符号化情報とをさらに含んでもよい。
【０１３６】
Ｓ３０２．ＡＰ２は、折衝パラメータ情報に基づいて、ＡＰ１と協調伝送を実行するかどうかを決定する。
【０１３７】
ＡＰ２は、折衝パラメータ情報に基づいて、ＡＰ１と協調伝送を実行するかどうかを決定してもよい。例えば、ＡＰ２は、ＡＰ１の空間フローの量およびＡＰ２のアンテナの量と組み合わせたＡＰ１のアンテナの量に関する情報に基づいて、ＡＰ２がＡＰ１と協調伝送を実行することができるかどうかを決定する。例えば、空間フローの量がＡＰ１のアンテナの量に等しく、ＡＰ２のアンテナの量がＡＰ１のアンテナの量に等しい場合、ＡＰ２は、予約された空間方向を使用することによって、ＡＰ１によって実行される上りリンクデータ受信への干渉を防止することができず、従って、協調伝送を実行することができない。そして、空間フローの量がＡＰ１のアンテナの量以下であり、ＡＰ２のアンテナの量がＡＰ１のアンテナの量より大きいか、または、空間フローの量がＡＰ１のアンテナの量より小さく、ＡＰ２のアンテナの量がＡＰ１のアンテナの量以下である場合、ＡＰ２は、予約された空間方向を使用することによって、ＡＰ１によって実行される上りリンクデータ受信への干渉を防止することができ、従って、協調伝送を実行することができる。以上は、この出願の実施例に過ぎない。ＡＰ２がＡＰ１と協調するかどうかを決定する方法は、これに限定されない。
【０１３８】
Ｓ３０３．ＡＰ１と協調伝送を実行しないと決定するときに、ＡＰ２はＡＰ１にＡＰ２が協調伝送できないことを示す情報をフィードバックする。
【０１３９】
このステップは任意のステップである。ＡＰ１と協調伝送を実行しないと決定するときに、ＡＰ２は、このステップを使用することにより、ＡＰ２が協調伝送できないことを示す情報をフィードバックし、ＡＰ１に通知してもよい。任意に、ＡＰ１と協調伝送を実行しないと決定するときに、ＡＰ２は、ＡＰ２が協調伝送を実行することができないことをＡＰ１が決定するために、事前設定された時間内に協調伝送要求に応答しなくてもよい。この場合、このステップの動作は必要ではない。
【０１４０】
ＡＰ２が協調伝送を実行できない場合、ＡＰ１は、協調伝送を実行するために、他のセル内の二次ＡＰ（例えば、ＡＰ３）を選択し続けるか、または単一セル伝送を実行してもよい。
【０１４１】
Ｓ３０４．ＡＰ１と協調伝送を実行すると決定するときに、ＡＰ２は、ＡＰ１に、ＡＰ２が協調伝送を実行することを決定することを示す応答情報を送信する。
【０１４２】
ＡＰ１と協調伝送を実行すると決定するときに、ＡＰ２は、ＡＰ１に、ＡＰ２が協調伝送を実行することを決定することを示す応答情報を送信する。応答情報は、協調伝送応答フレームを使用して送信されてもよく、応答情報の情報フォーマットは、既存の情報フォーマットであってもよい。図７ａに示されるように、具体的な説明については、実施例１の関連する説明を参照のこと。詳細は、本明細書では再度説明されない。データフィールドは、ＡＰ２が協調伝送を実行することを期待することを示す。
【０１４３】
Ｓ３０５．ＡＰ１は干渉テスト情報を送信し、ＡＰ２は干渉テスト情報を受信する。
【０１４４】
ＡＰ１によって干渉テスト情報を送信するための２つの任意の実施態様がある。第１の実施態様は、ＡＰ１が干渉テスト情報を別々にＡＰ２に送信してもよく、第２の実施態様は、ＡＰ１がＳＴＡ１に送信された下りリンクデータパケットを干渉テスト情報として再利用し、ＡＰ２が干渉テスト情報を受信できるように下りリンクデータパケットを全方向に送信し得ることである。第２の実施態様には２つの場合がある。１つの場合は、ＳＴＡ１に正式に下りリンクデータパケットを送信する前に、ＡＰ１は、干渉をテストするために、事前に別個の下りリンクデータパケットをＳＴＡ１に送信し、他の場合は、ＡＰ１によってＳＴＡ１に正式に送信される下りリンクデータパケットが干渉をテストするために使用される。データパケットは、図７ｂおよび図７ｇに示されるように、既存の情報フォーマットであってもよい。ＮＧ−ＳＴＦ部分およびＮＧ−ＬＴＦ部分がテストシーケンスとして使用されてもよい。
【０１４５】
ＡＰ２は、ＡＰ１がＡＰ２によって実行されるデータ受信に対して干渉を引き起こすことを防止するために使用される受信等化行列Ｗ２を使用して、干渉テスト情報を受信してもよい。代替的には、ＡＰ２によってサービスされるセル内の送信端状態を考慮して、ＡＰ２は、別のプレコーディング行列を使用することによって干渉テスト情報を受信する。任意に、Ｗ２の選択標準は、Ｈ２１Ｗ２＝０であり、Ｈ２１は、ＡＰ１とＡＰ２との間のチャネル推定情報である。この出願は、これに限定されない。
【０１４６】
Ｓ３０６．ＡＰ２は、干渉テスト情報に基づいて干渉テストを実行して、ＡＰ１と協調伝送を実行しないことを決定する。
【０１４７】
ＡＰ２は、干渉テスト情報を使用して、ＡＰ１への干渉が所定の閾値を超えるかどうかをテストし、干渉が閾値を超える場合、ＡＰ１と協調伝送を実行しないことを選択してもよい。この場合、ＡＰ２は、ＡＰ２に対応するＳＴＡ２をスケジュールせず、上りリンクデータ伝送を実行するためにＳＴＡ２をスケジュールしない。ＳＴＡ１とＡＰ１との間の下りリンクデータ伝送は確実にされる必要があるため、ＡＰ２が協調伝送に関与するかどうかにかかわらず、ＡＰ１の下りリンクデータ伝送は影響されない。任意に、干渉が閾値に等しい場合、ＡＰ２は、ＡＰ１と協調伝送を実行しないことを決定してもよい。
【０１４８】
Ｓ３０７．ＡＰ２は、干渉テスト情報に基づいて干渉テストを実行して、ＡＰ１と協調伝送を実行するかどうかを決定する。
【０１４９】
ＡＰ２テストは、干渉テスト情報を使用して、ＡＰ１への干渉が所定の閾値を超えるかどうかをテストし、干渉が閾値を超えない場合、ＡＰ１と協調伝送を実行することを選択してもよい。任意に、干渉が閾値に等しい場合、ＡＰ２は、ＡＰ１と協調伝送を実行することを決定してもよい。
【０１５０】
Ｓ３０８．ＡＰ１との協調伝送を実行することを選択するときに、ＡＰ２は上りリンクデータ伝送を実行するためにＳＴＡ２をスケジュールする。
【０１５１】
上りリンクデータ伝送を実行するためにＳＴＡ２をスケジュールするために、ＡＰ２は、ＳＴＡ２にトリガフレームを送信してもよい。
【０１５２】
Ｓ３０５においてＡＰ１が干渉テスト情報を送信するために使用される異なる形式に基づいて、ＡＰ２がトリガフレームを送信し、上りリンクデータ伝送を実行するためにＳＴＡ２をスケジュールするために使用される形式は変化する。
【０１５３】
ＡＰ１が干渉テスト情報を別々にＡＰ２に送信する場合、またはＡＰ１が、まず干渉を試験するために、事前に別々の下りリンクデータパケットをＳＴＡ１に送信する場合がＡＰ２のスケジュール機会の図８ａに示される概略図に示されてもよい。トリガフレームの送信は、ＡＰ１によってＳＴＡ１に正式に送信される次のフレームの下りリンクデータパケット内のデータフィールドの伝送が終了する前に開始され、次のフレームの下りリンクデータパケットの伝送と同時に開始してもよく、または次のフレームの下りリンクデータパケットの伝送プロセスにおいて任意の瞬間に開始してもよいが、スケジュールされる第２のＳＴＡの上りリンクデータ伝送は、次のフレームの下りリンクデータパケット内のデータフィールドの伝送が終了する前に終了するか、または次のフレームの下りリンクデータパケット内のデータフィールドの伝送と同時に終了する必要がある。
【０１５４】
ＡＰ１によってＳＴＡ１に正式に送信される下りリンクデータパケットが干渉を試験するために使用され、次世代ショートトレーニングフィールド（Next  Generation  Short  Training  Field、略してＮＧ−ＳＴＦ）部分および次世代ロングトレーニングフィールド（Next  Generation  Long  Training  Field、短縮ＮＧ−ＬＴＦ）部分などの対応するトレーニングフィールドが、テストシーケンスとして使用され得る場合が、ＡＰ２のスケジュール機会の図８ｂに示される概略図で示されてもよく、トリガフレームの伝送が下りリンクデータパケットの伝送プロセスで開始し、下りリンクデータパケット内のデータフィールドの伝送が終了する前にスケジュールされる第２のＳＴＡの上りリンクデータの伝送が終了するか、または下りリンクデータパケット内のデータフィールドの伝送と同時に終了する。
【０１５５】
さらに、Ｓ３０３、Ｓ３０４、およびＳ３０５は、必ずしも特定の順序で実行されず、異なる場合には単に異なる処理であることに留意されたい。Ｓ３０６、Ｓ３０７、およびＳ３０８は、必ずしも特定の順序で実行されるわけではなく、異なる場合には単に異なる処理である。
【０１５６】
この出願のこの実施形態における協調伝送制御方法によれば、セル間の構成パラメータ共有を通して、かつ干渉テストの二重決定条件に基づいて協調伝送を実行するかどうかが決定されて、アクセスポイントが事前に干渉状態を学習することができ、これにより、実際の協調伝送中に引き起こされる干渉による不要な再伝送を防止し、通信効率を向上させるようにする。
実施形態４
【０１５７】
図６は、この出願による別の協調伝送制御方法の第２の実施形態のフローチャートである。本実施形態と実施形態３との相違点は、この実施形態では、ＡＰ２が協調伝送を実行することを決定した場合が説明され、ＡＰ２によって異なる条件で実行される協調伝送の伝送制御手順を具体的に区別される点である。なお、実施形態３と同一または類似の内容については、本実施形態では再度説明されない。
【０１５８】
本方法は、以下のステップを含む。
【０１５９】
Ｓ４０１．ＡＰ１は協調伝送要求を送信し、ＡＰ２はＡＰ１によって送信される協調伝送要求を受信し、協調伝送要求は折衝パラメータ情報を搬送する。
【０１６０】
搬送される折衝パラメータ情報は、主に、ＡＰ１のアンテナの量およびセル１の空間フローの量を含む。このステップは、実施形態３のＳ３０１と同様である。詳細は、Ｓ３０１を参照のこと。詳細は、本明細書では再度説明されない。
【０１６１】
Ｓ４０２．ＡＰ２は、折衝パラメータ情報に基づき、一方向性ビームフォーミングを通してＡＰ１と協調伝送を実行することを決定し、受信等化行列Ｗ２を決定する。
【０１６２】
ＡＰ２は、ＡＰ１の空間フローの量およびＡＰ２のアンテナの量と組み合わせたＡＰ１のアンテナの量に関する情報に基づいて、ＡＰ２がＡＰ１と協調伝送を実行することができるかどうかを決定してもよい。空間フローの量がＡＰ１のアンテナの量以下であり、かつＡＰ２のアンテナの量がＡＰ１のアンテナの量より多い場合、ＡＰ２は、ＡＰ２によって受信されるデータに対して受信ビームフォーミングを一方向性に実行し、ＡＰ１がＡＰ２によって実行される上りリンクデータ受信への干渉を引き起こさないようにすることができ、従って、協調伝送を実行することができる。
【０１６３】
ＡＰ２は、ＡＰ１がＡＰ２によって実行されるデータ受信に対する干渉を引き起こさないようにするために使用される受信等化行列Ｗ２を使用してデータを受信してもよい。任意に、Ｗ２の選択標準は、Ｈ２１Ｗ２＝であり、Ｈ２１は、ＡＰ１とＡＰ２との間のチャネル推定情報である。この出願は、これに限定されない。
【０１６４】
Ｓ４０３．ＡＰ１と協調伝送を実行することを決定するときに、ＡＰ２は、ＡＰ１に、ＡＰ２が協調伝送を実行することを決定したことを示す応答情報を送信する。
【０１６５】
ＡＰ１と協調伝送を実行することを決定するときに、ＡＰ２は、ＡＰ１に、ＡＰ２が協調伝送を実行することを決定したことを示す応答情報を送信する。応答情報は、協調伝送応答フレームを使用して送信されてもよく、応答情報の情報フォーマットは、既存の情報フォーマットであってもよい。図７ａに示されるように、具体的な説明については、前述の実施形態における関連する説明を参照のこと。詳細は、本明細書では再度説明されない。データフィールドは、ＡＰ２が協調伝送を実行することを期待することを示す。
【０１６６】
Ｓ４０４．ＡＰ２は、折衝パラメータ情報に基づいて、双方向性ビームフォーミングを通してＡＰ１と協調伝送を実行することを決定し、受信等化行列Ｗ２′およびＡＰ１がデータを送信に使用するために使用されるプレコーディング行列Ｑ１を決定する。
【０１６７】
ＡＰ２は、空間フローの量およびＡＰ２のアンテナの量と組み合わせたＡＰ１のアンテナの量に関する情報に基づいて、ＡＰ２がＡＰ１と協調伝送を実行することができるかどうかを決定してもよい。空間フローの量がＡＰ１のアンテナの量より少なく、ＡＰ２のアンテナの量がＡＰ１のアンテナの量以下である場合、ＡＰ２によって実行される上りリンクデータ受信に対するＡＰ１によって引き起こされる干渉は、予約された空間方向を使用することにより、双方向性に防止され、従って協調伝送が実行され得る。ＡＰ２は、ＡＰ２がデータを受信するために使用される受信等化行列Ｗ２′を決定する必要があるだけでなく、ＡＰ１がデータを送信するために使用されるプレコーディング行列Ｑ１を決定する必要があり、すなわち、ＡＰ１は送信端ビームフォーミングを実行し、ＡＰ２は受信端ビームフォーミングを実行する。ＡＰ１のＱ１およびＡＰ２のＷ２′は、任意の標準Ｗ２′Ｈ２１Ｑ１＝０に従って決定され、Ｈ２１はＡＰ１とＡＰ２の間のチャネル推定情報である。この出願は、これに限定されない。
【０１６８】
Ｓ４０５．ＡＰ１と協調伝送を実行することを決定するときに、ＡＰ２は、ＡＰ２が協調伝送を実行することを決定したことを示す応答情報およびＡＰ１のプレコーディング行列Ｑ１の指示情報をＡＰ１に送信する。
【０１６９】
ＡＰ１と協調伝送を実行することを決定するときに、ＡＰ２は、ＡＰ２が協調伝送を実行することを決定したことを示す応答情報をＡＰ１に送信する。応答情報は、協調伝送応答フレームを使用して送信されてもよく、応答情報の情報フォーマットは、図７ｈに示されるように、既存の情報フォーマットであってもよい。ＡＰ２が協調伝送を実行するかどうかを示す協調応答情報に加えて、応答情報内のデータフィールドは、ＡＰ１がデータを送信するために使用されるプレコーディング行列Ｑ１に関する情報をさらに搬送する。
【０１７０】
Ｓ４０６．ＡＰ１は干渉テスト情報を送信し、ＡＰ２は干渉テスト情報を受信する。
【０１７１】
ＡＰ１によって干渉テスト情報を送信するための２つの任意の実施態様がある。第１の実施態様は、ＡＰ１が干渉テスト情報を別々にＡＰ２に送信してもよく、第２の実施態様は、ＡＰ１がＳＴＡ１に送信された下りリンクデータパケットを干渉テスト情報として再利用し、ＡＰ２が干渉テスト情報を受信できるように下りリンクデータパケットを全方向に送信し得ることである。第２の実施態様には２つの場合がある。１つの場合は、ＳＴＡ１に正式に下りリンクデータパケットを送信する前に、ＡＰ１は、干渉をテストするために、事前に別個の下りリンクデータパケットをＳＴＡ１に送信し、他の場合は、ＡＰ１によってＳＴＡ１に正式に送信される下りリンクデータパケットが干渉をテストするために使用される。データパケットは、図７ｂおよび図７ｇに示されるように、既存の情報フォーマットであってもよい。ＮＧ−ＳＴＦ部分およびＮＧ−ＬＴＦ部分をテストシーケンスとして使用されてもよい。
【０１７２】
ＡＰ２は、ＡＰ１がＡＰ２によって実行されるデータ受信に対して干渉を引き起こすことを防止するために使用される受信等化行列を使用して、干渉テスト情報を受信してもよい。代替的には、ＡＰ２によってサービスされるセル内の送信端状態を考慮して、ＡＰ２は別のプレコーディング行列を使用してデータを受信する。
【０１７３】
Ｓ４０７．ＡＰ２は、干渉テスト情報に基づいて干渉テストを実行して、ＡＰ１と協調伝送を実行しないことを決定する。
【０１７４】
ＡＰ２は、干渉テスト情報を使用して、ＡＰ１への干渉が所定の閾値を超えるかどうかをテストする（任意で、ＡＰ１への干渉は閾値に等しくてもよい）。一方向性ビームフォーミングの場合、理想的には、ＡＰ２がＷ２を使用してデータを受信するときに、ＡＰ１はＡＰ２への干渉を引き起こさない。しかしながら、ＡＰ２によって取得されるＷ２が十分に正確でない場合、またはセル内の送信端が別のプレコーディング行列を使用することを考慮して、干渉が引き起こされることがある。双方向性ビームフォーミングの場合、理想的には、ＡＰ１がＱ１を使用してデータを送信し、ＡＰ２がＷ２′を使用してデータを受信するときに、ＡＰ１はＡＰ２への干渉を引き起こさない。しかしながら、ＡＰ２によって取得されるＱ１またはＷ２′が十分に正確でない場合、またはセル内の受信端が別のプレコーディング行列を使用するか、もしくはＡＰ２が別の受信等化行列を使用することを考慮して、干渉が引き起こされることがある。
【０１７５】
干渉が閾値を超える場合（任意に、干渉は閾値に等しくてもよい）、ＡＰ２は、ＡＰ１と協調伝送を実行しないことを選択してもよい。この場合、ＡＰ２は、ＡＰ２に対応するＳＴＡ２をスケジュールせず、上りリンクデータ伝送を実行するためにＳＴＡ２をスケジュールしない。ＳＴＡ１とＡＰ１との間の下りリンクデータ伝送は確実にされる必要があるため、ＡＰ２が協調伝送に関与するかどうかにかかわらず、ＡＰ１の下りリンクデータ伝送は影響されない。
【０１７６】
Ｓ４０８．ＡＰ２は、干渉テスト情報に基づいて干渉テストを実行し、ＡＰ１と協調伝送を実行するかどうかを決定する。
【０１７７】
ＡＰ２は、干渉テスト情報を使用して、ＡＰ１への干渉が所定の閾値を超えるかどうかをテストし、干渉が閾値を超えない場合、ＡＰ１と協調伝送を実行することを選択してもよい。任意に、干渉が所定の閾値に等しい場合、ＡＰ２は、ＡＰ１と協調伝送を実行することを決定してもよい
【０１７８】
Ｓ４０９．ＡＰ１との協調伝送を実行することを選択するときに、ＡＰ２は上りリンクデータ伝送を実行するためにＳＴＡ２をスケジュールする。
【０１７９】
上りリンクデータ伝送を実行するためにＳＴＡ２をスケジュールするために、ＡＰ２は、ＳＴＡ２にトリガフレームを送信してもよい。
【０１８０】
ＡＰ１がＳ４０６において干渉テスト情報を送信するために使用される異なる形式に基づいて、ＡＰ２がトリガフレームを送信し、上りリンクデータ伝送を実行するためにＳＴＡ２をスケジュールするために使用する形式は変化する。
【０１８１】
ＡＰ１が干渉テスト情報を別々にＡＰ２に送る場合、またはＡＰ１が、まず干渉を試験するために、事前に別々の下りリンクデータパケットをＳＴＡ１に送信する場合がＡＰ２のスケジュール機会の図８ａに示される概略図に示されてもよい。トリガフレームの送信は、ＡＰ１によってＳＴＡ１に正式に送信される次のフレームの下りリンクデータパケット内のデータフィールドの伝送が終了する前に開始し、次のフレームの下りリンクデータパケット内のデータフィールドの送信が終了する前に終了するか、または次のフレームの下りリンクデータパケット内のデータフィールドの伝送と同時に終了する。
【０１８２】
ＡＰ１によってＳＴＡ１に正式に送信される下りリンクデータパケットが干渉をテストするために使用され、ＮＧ−ＳＴＦ部分およびＮＧ−ＬＴＦ部分がテストシーケンスとして使用される場合が、ＡＰ２のスケジュール機会の図８ｂに示される概略図で示されてもよく、トリガフレームの伝送が下りリンクデータパケットの伝送プロセスで開始し、下りリンクデータパケットのデータフィールドの伝送が終了する前にスケジュールされる第２のＳＴＡの上りリンクデータの送信が終了するか、または下りリンクデータパケット内のデータフィールドの伝送と同時に終了する。
【０１８３】
Ｓ４０２、Ｓ４０３、Ｓ４０４、およびＳ４０５は、必ずしも特定の順序で実行されるものではなく、異なる場合には単に処理であることに留意されたい。Ｓ４０７、Ｓ４０８、およびＳ４０９は、必ずしも特定の順序で実行されるわけではなく、異なる場合には単に異なる処理である。
【０１８４】
本願の本実施形態における協調伝送制御方法によれば、特定のセル設定パラメータに基づいて干渉防止ビームフォーミング方法が決定され、協調伝送を実行するかどうかが干渉テストの二重決定条件に基づいて決定されて、実際の協調伝送中に引き起こされる干渉による不要な再伝送を防止するために、ビームフォーミングのための空間制御方法が使用されることができ、これにより、通信効率を向上させるようにする。
【０１８５】
前述の方法は全てＡＰを使用して説明されていることに留意する。いくつかのシナリオにおいて、ステーションＳＴＡはまた、前述の方法の実施形態を実施するために、前述の一次ＡＰまたは二次ＡＰと等価であってもよいことが理解され得る。
【０１８６】
以上は、この出願の実施形態において提供される解決策を、主として、システム内の様々なエンティティが相互作用して協調伝送制御を実行する手順を使用して、説明している。前述の機能を実施するために、前述の様々なエンティティは、種々の機能に対応するハードウェア構造および／またはソフトウェアモジュールを含むことが理解され得る。当業者は、この明細書に開示される実施形態で説明される実施例と組み合わせて、ユニット、アルゴリズムステップがハードウェアまたはハードウェアとコンピュータソフトウェアの組み合わせによって実施され得ると容易に認識すべきである。機能がハードウェアによって実行されるのか、コンピュータソフトウェアによって駆動されるハードウェアによって実行されるのかは、特定のアプリケーションおよび技術的解決策の設計上の制約に依存する。当業者であれば、各特定のアプリケーションに対して、説明される機能を実施するために異なる方法を使用してもよいが、その実施態様がこの出願の範囲を超えるものであると考えられるべきではない。
【０１８７】
この出願の実施形態において、一次ＡＰおよび二次ＡＰは、前述の方法の実施例に基づいて機能モジュールに分割されてもよい。例えば、種々な機能に対応する機能モジュールは、分割して取得されるか、または２つ以上の機能が１つの処理モジュールに統合されてもよい。統合モジュールは、ハードウェアの形態で実施されてもよく、ソフトウェア機能モジュールの形態で実施されてもよい。図９は、この出願による協調伝送制御装置の簡略概略構造図である。装置９０は、対応する機能モジュール、トランシーバユニット９０１および処理ユニット９０２を含む。装置が二次ＡＰ側の装置であるときに、装置は、二次ＡＰ（ＡＰ２）の関連機能を実施するように構成されている。装置が一次ＡＰ側の装置であるときに、装置は、一次ＡＰ（ＡＰ１）の関連機能を実施するように構成されている。トランシーバユニット９０１は、ＡＰ１／ＡＰ２によって情報またはデータを送受信する関連機能を実施するように構成されており、処理ユニット９０２は、ＡＰ１／ＡＰ２によって情報またはデータを処理する関連機能を実施するように構成されている。詳細は、以下の関連するネットワークデバイスの実施態様の説明を参照のこと。詳細は、本明細書では再度説明されない。この出願のこの実施形態では、モジュール分割は、実施例として使用され、単なる論理関数分割に過ぎない。実際の実施態様においては、別の分割方法が使用されてもよい。以下は、様々な機能に対応する様々な機能モジュールを取得される実施例を説明する。
【０１８８】
この出願の一実施形態は、さらに、ネットワークデバイスを提供する。ネットワークデバイスは、アクセスポイントＡＰ側の協調伝送制御装置として使用されてもよく、図２および図４から図６のいずれかのうちのＡＰ１またはＡＰ２によって実行されるステップを実行するように構成されている。ネットワークデバイスは、前述の方法を実施する能力を有し、ＡＰ１またはＡＰ２と等価なステーションＳＴＡであってもよい。図１０は、ネットワークデバイスの簡略概略構造図である。ネットワークデバイス１００は、部分１００１と部分１００２とを含む。部分１００１は、主に、無線周波数信号を送受信し、無線周波数信号とベースバンド信号との変換を実行するように構成されている。部分１００２は、主に、ベースバンド処理を実行し、ネットワークデバイス１００を制御するなどをするように構成されている。部分１００１は、通常、トランシーバユニット、トランシーバマシン、トランシーバ回路、トランシーバなどと呼ばれることがある。部分１００２は、通常、ネットワークデバイス１００の制御センタであり、通常、処理ユニット、制御ユニット、プロセッサ、コントローラなどと称されることがあり、ネットワークデバイス１００を制御して、前述の関連する実施形態においてＡＰ１またはＡＰ２によって実行されるステップを実行するように構成されている。詳細については、前述の関連する部分の説明を参照のこと。
【０１８９】
部品１００１のトランシーバユニットは、トランシーバマシン、トランシーバなどとも呼ばれることがある。トランシーバユニットは、アンテナと、無線周波数ユニットとを含む。無線周波数ユニットは、主に、無線周波数処理を実行するように構成されている。任意に、部分１００１において受信機能を実施するための構成要素が、受信ユニットとして考慮され、送信機能を実施するための構成要素が、送信ユニットとして考慮されてもよい。すなわち、部分１００１は、受信ユニットと、送信ユニットとを含む。受信ユニットは、受信機マシン、受信機、受信機回路などとも呼ばれることがある。送信ユニットは、送信機マシン、送信機、送信機回路などと呼ばれることがある。
【０１９０】
部分１００２は、１つ以上の基板を含んでもよい。各基板は、１つ以上のプロセッサおよび１つ以上のメモリを含んでもよい。プロセッサは、メモリ内のプログラムを読み出して実行し、ベースバンド処理機能を実施し、ネットワークデバイス１００を制御するように構成されている。複数の基板が存在する場合、基板は、処理能力を高めるために相互接続されてもよい。任意の実施態様では、複数の基板は、１つ以上のプロセッサを共有してもよく、複数の基板は、１つ以上のメモリを共有してもよく、複数の基板は、１つ以上のプロセッサを同時に共有してもよい。メモリおよびプロセッサは、一体化されてもよく、または独立して配置されてもよい。いくつかの実施形態では、部分１００１および部分１００２は、一体化されてもよく、または独立して配置されてもよい。追加的に、部分１００２のすべての機能は、実施態様のために、１つのチップに統合されてもよい。代替的に、いくつかの機能は、実施態様のために１つのチップに統合されてもよく、いくつかの他の機能は、実施態様のために１つ以上の他のチップに統合されてもよい。これは、この出願において限定されない。
【０１９１】
例えば、ネットワークデバイスが一次アクセスポイントＡＰ１またはＡＰ１内の関連する機能装置として使用され、ＡＰ１によって実行するステップを実行するときに、
【０１９２】
実施態様において、トランシーバユニットは、図２におけるＳ１０１、Ｓ１０３、Ｓ１０４、Ｓ１０５、Ｓ１０７、および／またはＳ１０９におけるＡＰ１によって実行されるステップ、および／またはこの出願における他のステップを実行するように構成されてもよい。処理ユニットは、図２におけるＳ１０６および／またはＳ１０８を実行するように、および／またはこの出願の他のステップを実行するように構成されてもよい。
【０１９３】
例えば、別の実施態様では、トランシーバユニットは、図４におけるＳ２０１、Ｓ２０３、Ｓ２０４、Ｓ２０６、Ｓ２０７、Ｓ２０９、および／またはＳ２１１のＡＰ１によって実行されるステップ、および／またはこの出願における他のステップを実行するように構成されてもよい。処理ユニットは、図４におけるＳ２０８および／またはＳ２１０を実行するように、および／またはこの出願における他のステップを実行するように構成されてもよい。
【０１９４】
例えば、別の実施態様では、トランシーバユニットは、図５におけるＳ３０１、Ｓ３０３、Ｓ３０４、および／またはＳ３０５におけるＡＰ１によって実行されるステップ、および／またはこの出願における他のステップを実行するように構成されてもよい。処理ユニットは、この出願における他のステップを実行するように構成されてもよい。
【０１９５】
例えば、別の実施態様では、トランシーバユニットは、図６におけるＳ４０１、Ｓ４０３、Ｓ４０５、および／またはＳ４０６におけるＡＰ１によって実行されるステップ、および／またはこの出願における他のステップを実行するように構成されてもよい。処理ユニットは、この出願の他のステップを実行するように構成されてもよい。
【０１９６】
別の実施例として、ネットワークデバイスが二次アクセスポイントＡＰ２またはＡＰ２内の関連する機能装置として使用され、ＡＰ２によって実行されるステップを実行するときに、
【０１９７】
実施態様において、トランシーバユニットは、図２におけるＳ１０１、Ｓ１０３、Ｓ１０４、Ｓ１０５、Ｓ１０７、および／またはＳ１０９におけるＡＰ２によって実行されるステップ、および／またはこの出願における他のステップを実行するように構成されてもよい。
【０１９８】
処理ユニットは、図２におけるＳ１０２を実行するように、および／またはこの出願における他のステップを実行するように構成されてもよい。
【０１９９】
例えば、別の実施態様では、トランシーバユニットは、図４におけるＳ２０１、Ｓ２０３、Ｓ２０４、Ｓ２０６、Ｓ２０７、Ｓ２０９、および／またはＳ２１１におけるＡＰ２によって実行されるステップ、および／またはこの出願における他のステップを実行するように構成されてもよい。処理ユニットは、図４におけるＳ２０８および／またはＳ２１０を実行するように、および／またはこの出願の他のステップを実行するように構成されてもよい。
【０２００】
例えば、別の実施態様では、トランシーバユニットは、図５のＳ３０１、Ｓ３０３、Ｓ３０４、Ｓ３０５および／またはＳ３０８におけるＡＰ２によって実行されるステップ、および／またはこの出願における他のステップを実行するように構成されてもよい。処理ユニットは、図５におけるＳ２０８および／またはＳ２１０を実行するように、および／またはこの出願における他のステップを実行するように構成されてもよい。
【０２０１】
例えば、別の実施態様では、トランシーバユニットは、図６におけるＳ３０１、Ｓ３０３、Ｓ３０４、Ｓ３０５および／またはＳ３０８におけるＡＰ２によって実行されるステップ、および／またはこの出願における他のステップを実行するように構成されてもよい。処理ユニットは、図６のＳ２０８および／またはＳ２１０を実行するように、および／またはこの出願における他のステップを実行するように構成されてもよい。
【０２０２】
前述のネットワークデバイスおよび対応する装置のうちのいずれかにおける関連する内容の説明および有益な効果については、上述の対応する方法の実施形態を参照のこと。詳細は、本明細書では再度説明されない。
【０２０３】
上述の一次ＡＰ側の装置の特定の実施態様は、アクセスポイントＡＰまたは対応するアクセス機能を有するステーションＳＴＡであってもよい。例えば、装置は、アクセスデバイスもしくはステーションデバイスであってもよく、またはこれらの装置のチップもしくは機能モジュールであってもよい。前述の方法は、ソフトウェアまたはハードウェアを使用することによって、または対応するソフトウェアをハードウェアによって実行することによって実施されてもよい。
【０２０４】
上述の二次ＡＰ側の装置の特定の実施態様は、アクセスポイントＡＰまたは対応するアクセス機能を有するステーションＳＴＡであってもよい。例えば、装置は、アクセスデバイスもしくはステーションデバイスであってもよく、またはこれらの装置のチップもしくは機能モジュールであってもよい。前述の方法は、ソフトウェアまたはハードウェアを使用することによって、または対応するソフトウェアをハードウェアによって実行することによって実施されてもよい。
【０２０５】
上述のネットワークデバイスおよび対応する装置のうちのいずれかにおける関連する内容の説明および有益な効果については、上述の対応する方法の実施形態を参照のこと。詳細は、本明細書では再度説明されない。
【０２０６】
この出願は、前述の実施態様において、一次ＡＰ側の装置（または一次ＡＰ側の機能を実施するＳＴＡ装置）と、アクセスＡＰ側の装置（または二次ＡＰ側の機能を実施するステーションＳＴＡ装置）とを含む、協調伝送制御システムをさらに提供する。
【０２０７】
この出願は、コンピュータプログラム製品をさらに提供する。コンピュータプログラム製品がコンピュータ上で動作するときに、コンピュータは、前述の任意の方法を実行することが可能とされる。
【０２０８】
この出願は、チップをさらに提供し、チップは命令を記憶し、命令が前述のデバイス上で動作するときに、デバイスは前述の提供された方法を実行することが可能とされる
【０２０９】
この出願は、コンピュータ記憶媒体をさらに提供し、コンピュータ記憶媒体がコンピュータプログラム（命令）を記憶する。プログラム（命令）がコンピュータ上で動作するときに、コンピュータは、前述の態様のいずれか１つに従って方法を実行することが可能とされる。
【０２１０】
前述の実施形態の全てまたは一部は、ソフトウェア、ハードウェア、ファームウェア、またはそれらの任意の組み合わせを使用することによって実施されてもよい。ソフトウェアプログラムが実施形態を実施するために使用されるときに、前述の実施形態の全てまたは一部は、コンピュータプログラム製品の形態で実施されてもよい。コンピュータプログラム製品は、１つ以上のコンピュータ命令を含む。コンピュータプログラム命令がロードされ、コンピュータ上で実行されるときに、この出願の実施形態による手順または機能は、すべてまたは部分的に生成される。コンピュータは、汎用コンピュータ、専用コンピュータ、コンピュータネットワーク、または他のプログラム可能な装置であってもよい。コンピュータ命令は、コンピュータ可読記憶媒体に記憶されてもよく、またはコンピュータ可読記憶媒体から別のコンピュータ可読記憶媒体に送信されてもよい。例えば、コンピュータ命令は、ウェブサイト、コンピュータ、サーバ、またはデータセンタから、有線（例えば、同軸ケーブル、光ファイバ、またはデジタル加入者線（digital  subscriber  line、ＤＳＬ））または無線（例えば、赤外線、無線、またはマイクロ波）方式で、別のウェブサイト、コンピュータ、サーバ、またはデータセンタに送信されてもよい。コンピュータ可読記憶媒体は、コンピュータによってアクセス可能な任意の使用可能な媒体、または１つ以上の使用可能な媒体を統合するサーバまたはデータセンタなどのデータ記憶デバイスであってもよい。使用可能な媒体は、磁気媒体（例えば、フロッピーディスク、ハードディスク、磁気テープ）、光媒体（例えば、ＤＶＤ）、半導体媒体（例えば、固体ドライブ（例えば、solid  state  disk、ＳＳＤ））などである。
【０２１１】
この出願は、実施形態を参照して説明されているが、保護を請求するこの出願を実施するプロセスにおいて、当業者は、添付の図面、開示された内容、および添付の請求項を参照することによって、開示された実施形態の別の変形を理解し、実施してもよい。クレームにおいて、「含む（comprising）」は、別の構成要素または別の工程を除外せず、「ある」または「１つ」は、複数の意味を除外しない。単一のプロセッサ／コントローラまたは別のユニットは、特許請求の範囲に列挙されるいくつかの機能を実施してもよい。いくつかの測定値は、互いに異なる従属請求項に記載されているが、これは、これらの測定値が組み合わせられてより良い効果をもたらすことができないことを意味するものではない。
【０２１２】
この出願は、特定の特徴およびその実施形態を参照して記載されているが、この出願の精神および範囲から逸脱することなく、種々の修正および組み合わせがそれらに対してなされてもよいことは明らかである。同様に、明細書および添付の図面は、添付の特許請求の範囲によって規定されるこの出願の単なる例示の説明であり、この出願の範囲をカバーする修正、変更、組み合わせまたは均等物のいずれかまたは全てとみなされる。明らかに、当業者は、この出願の精神および範囲から逸脱することなく、この出願に種々の修正および変更を加えることができる。この出願は、以下の特許請求の範囲およびそれらの均等の技術の範囲内にあることを条件として、この出願のこれらの修正および変更をカバーすることが意図されている。
【手続補正２】
【補正対象書類名】特許請求の範囲
【補正対象項目名】全文
【補正方法】変更
【補正の内容】
【特許請求の範囲】
【請求項１】
協調伝送制御方法であって、
二次アクセスポイント（ＡＰ）によって、一次ＡＰによって送信される協調伝送要求を受信することであって、前記協調伝送要求は折衝パラメータ情報を搬送する、受信することと、
前記二次ＡＰが、前記折衝パラメータ情報に基づき、前記一次ＡＰとの協調伝送を実行しようとするときに、前記二次ＡＰによって、前記一次ＡＰに干渉テスト情報を送信することと、協調伝送を実行するかどうかを示し、前記干渉テスト情報に基づいて前記一次ＡＰから送信される決定情報を受信することと、を含む方法。
【請求項２】
前記二次ＡＰが、前記折衝パラメータ情報に基づいて、前記一次ＡＰとの協調伝送を実行しようとしないときに、前記二次ＡＰによって、事前設定された時間内に前記一次ＡＰにフィードバックを提供することをスキップすること、または前記二次ＡＰが協調伝送を実行できないことを示す第１の応答情報を前記一次ＡＰに送信することと、をさらに含む、請求項１に記載の方法。
【請求項３】
前記二次ＡＰが前記一次ＡＰと協調伝送を実行しようとするときに、前記二次ＡＰによって、前記二次ＡＰが協調伝送を実行することを期待することを示す第２の応答情報を前記一次ＡＰに送信することと、をさらに含み、
前記第２の応答情報は前記干渉テスト情報と共に、または前記干渉テスト情報とは別に送信される、請求項１に記載の方法。
【請求項４】
前記協調伝送要求は、第１の指示情報を搬送し、前記第１の指示情報は、前記干渉テスト情報が前記第２の応答情報と共に送信されるかどうかを示すために使用される、請求項３に記載の方法。
【請求項５】
前記決定情報は、協調確認フレーム内で搬送されるか、スケジュールされるステーションＳＴＡに送信される上りリンク伝送トリガフレーム内で搬送される、請求項１に記載の方法。
【請求項６】
前記折衝パラメータ情報は、前記一次ＡＰのアンテナの量および前記一次ＡＰに対応するセル内の空間フローの量のうちの少なくとも１つを含む、請求項１〜５のいずれか１項に記載の方法。
【請求項７】
前記二次ＡＰによって、干渉テスト情報を前記一次ＡＰに送信することは、
前記空間フローの量が前記一次ＡＰの前記アンテナの量以下であり、前記二次ＡＰのアンテナの量が前記一次ＡＰの前記アンテナの量よりも多い場合、前記二次ＡＰによって、第１のプレコーディング行列Ｑ２を使用して前記一次ＡＰに干渉テスト情報を送信することであって、Ｑ２は、前記一次ＡＰによって実行されるデータ受信への干渉を防止するために使用され、事前設定された第１の標準に従って前記二次ＡＰによって決定されるプレコーディング行列である、送信すること、または
前記空間フローの量が前記一次ＡＰの前記アンテナの量より少なく、前記二次ＡＰのアンテナの量が前記一次ＡＰのアンテナの量以下である場合、前記二次ＡＰによって、前記一次ＡＰがデータを受信するために使用される受信等化行列Ｗ１を示す第２の指示情報を前記一次ＡＰに送信し、第２のプレコーディング行列Ｑ２′を使用して前記干渉テスト情報を送信することであって、Ｑ２′は、前記一次ＡＰによって実行されるデータ受信への干渉を防止するために使用され、前記二次ＡＰがデータを送信するために使用され、事前設定された第２の標準に従って前記二次ＡＰによって決定されるプレコーディング行列であり、Ｗ１は、前記一次ＡＰがデータを受信するために使用される受信等化行列である、送信することを含む、請求項６に記載の方法。
【請求項８】
前記第１の標準は、Ｈ２１Ｑ２＝０であり、Ｈ２１は、前記一次ＡＰと前記二次ＡＰとの間のチャネル推定情報であり、
前記第２の標準は、Ｗ１Ｈ２１Ｑ２′＝０であり、Ｈ２１は、前記一次ＡＰと前記二次ＡＰとの間のチャネル推定情報である、請求項７に記載の方法。
【請求項９】
協調伝送制御方法であって、
一次アクセスポイント（ＡＰ）によって、少なくとも１つの二次アクセスポイント（ＡＰ）に協調伝送要求を送信することであって、前記協調伝送要求が折衝パラメータ情報を搬送する、送信することと、
前記二次ＡＰが、前記折衝パラメータ情報に基づき、前記一次ＡＰと協調伝送を実行しようとするときに、前記一次ＡＰによって、前記二次ＡＰによって送信される干渉テスト情報を受信することと、
前記一次ＡＰによって、前記干渉テスト情報に基づいた受信干渉テストを実行して、干渉が所定の閾値以上であるかどうかを決定することと、
前記一次ＡＰによって、前記決定の結果に基づいて、前記二次ＡＰが協調伝送を実行するかどうかを示す決定情報を前記二次ＡＰに送信することと、を含む方法。
【請求項１０】
前記二次ＡＰが、前記折衝パラメータ情報に基づいて、前記一次ＡＰとの協調伝送を実行することをスキップすることを決定するときに、前記一次ＡＰによって、事前設定された時間内に前記二次ＡＰからのフィードバックを受信しないこと、または前記二次ＡＰによって送信される第１の応答情報を受信することであって、前記第１の応答情報は、前記二次ＡＰが協調伝送を実行することができないことを示すために使用される、受信することと、をさらに含む請求項９に記載の方法。
【請求項１１】
前記二次ＡＰが、前記一次ＡＰと協調伝送を実行しようとするときに、前記一次ＡＰによって、前記二次ＡＰによって送信される第２の応答情報を受信することであって、前記第２の応答情報は、前記二次ＡＰが協調伝送を実行することを期待することを示すために使用される、受信することをさらに含み、
前記第２の応答情報は前記干渉テスト情報と共に、または前記干渉テスト情報とは別に送信される、請求項９に記載の方法。
【請求項１２】
前記協調伝送要求は、第１の指示情報を搬送し、前記第１の指示情報は、前記干渉テスト情報が前記第２の応答情報と共に送信されるかどうかを示すために使用される、請求項１１に記載の方法。
【請求項１３】
前記決定情報は、協調確認フレーム内で搬送されるか、スケジュールされるステーションＳＴＡに送信される上りリンク伝送トリガフレーム内で搬送される、請求項９に記載の方法。
【請求項１４】
協調伝送制御方法であって、
二次アクセスポイント（ＡＰ）によって、一次ＡＰによって送信される協調伝送要求を受信することであって、前記協調伝送要求は折衝パラメータ情報を搬送する、受信することと、
前記二次ＡＰが、前記折衝パラメータ情報に基づいて、前記一次ＡＰと協調伝送を実行しようとするときに、前記二次ＡＰによって、前記二次ＡＰが協調伝送を実行することを期待することを示す第１の応答情報を前記一次ＡＰに送信することと、
前記二次ＡＰによって、前記一次ＡＰから送信される干渉テスト情報を受信することと、
前記二次ＡＰによって、前記干渉テスト情報の干渉テスト結果に基づいて、協調伝送を実行するかどうかを決定することと、を含む方法。
【請求項１５】
前記二次ＡＰが、前記折衝パラメータ情報に基づいて、前記一次ＡＰとの協調伝送を実行しないと決定するときに、前記二次ＡＰによって、事前設定された時間内に前記一次ＡＰにフィードバックを提供することをスキップすること、または前記二次ＡＰが協調伝送を実行できないことを示す第２の応答情報を前記一次ＡＰに送信すること、をさらに含む、請求項１４に記載の方法。
【請求項１６】
前記二次ＡＰによって、前記干渉テスト情報の干渉テスト結果に基づいて、協調伝送を実行するかどうかを決定することは、
干渉が所定の閾値以下である場合、前記二次ＡＰによって、スケジュールされる第２のステーションＳＴＡにトリガフレームを送信し、上りリンクデータ伝送を実行するために前記第２のＳＴＡをスケジュールすること、もしくは干渉が前記所定の閾値より大きい場合、前記二次ＡＰによって、前記トリガフレームを送信することをスキップすること、または
干渉が所定の閾値より小さい場合、前記二次ＡＰによって、スケジュールされる第２のＳＴＡにトリガフレームを送信し、上りリンクデータ伝送を実行するために前記第２のＳＴＡをスケジュールすること、もしくは干渉が前記所定の閾値以上である場合、前記二次ＡＰによって、前記トリガフレームを送信することをスキップすること、を含む、請求項１４に記載の方法。
【請求項１７】
前記干渉テスト情報は、前記一次ＡＰによって、スケジュールされる第１のＳＴＡに送信される下りリンクデータパケット内の対応するトレーニングフィールドに関する情報を含み、
前記干渉テスト情報は、前記一次ＡＰが前記第１のＳＴＡに下りリンクデータパケットを送信する前に、一次ＡＰによって送信される別個のデータパケット内の対応するフィールドに関する情報を含む、請求項１６に記載の方法。
【請求項１８】
前記干渉テスト情報が、前記一次ＡＰによって前記第１のＳＴＡに送信される前記下りリンクデータパケット内の前記対応するトレーニングフィールドに関する前記情報を含むときに、トリガフレームの伝送は、前記下りリンクデータパケットの伝送プロセスにおいて開始し、前記スケジュールされる第２のＳＴＡの上りリンクデータ伝送は、前記下りリンクデータパケット内のデータフィールドの伝送が終了する前に終了するか、もしくは前記下りリンクデータパケット内のデータフィールドの伝送と同時に終了する、または
前記干渉テスト情報が、前記一次ＡＰによって前記第１のＳＴＡに送信される前記別個のデータパケット内の前記対応するフィールドに関する前記情報を含むときに、前記一次ＡＰによって前記第１のＳＴＡに送信される前記下りリンクデータパケット内のデータフィールドの送信が終了する前に、前記トリガフレームの伝送が開始し、前記スケジュールされる第２のＳＴＡの上りリンクデータ伝送は、前記下りリンクデータパケット内の前記データフィールドの伝送が終了する前に終了するか、もしくは前記下りリンクデータパケット内の前記データフィールドの伝送と同時に終了する、請求項１７記載の方法。
【請求項１９】
前記折衝パラメータ情報は、前記一次ＡＰのアンテナの量および前記一次ＡＰに対応するセル内の空間フローの量のうちの少なくとも１つを含む、請求項１４〜１８のいずれか一項に記載の方法。
【請求項２０】
前記二次ＡＰによって、前記一次ＡＰによって送信される干渉テスト情報を受信することは、
前記二次ＡＰによって、前記一次ＡＰが前記二次ＡＰによって実行されるデータ受信への干渉を引き起こすことを防止するために使用される選択される受信等化行列を使用して、前記一次ＡＰによって送信される前記干渉テスト情報を受信すること、を含み、
前記空間フローの量が前記一次ＡＰの前記アンテナの量以下であり、前記二次ＡＰのアンテナの量が前記一次ＡＰの前記アンテナの量より多い場合、前記二次ＡＰは第１の標準に従って第１の受信等化行列Ｗ２を選択すること、または
前記空間フローの量が前記一次ＡＰの前記アンテナの量より少なく、前記二次ＡＰのアンテナの量が前記一次ＡＰの前記アンテナの量以下である場合、前記二次ＡＰは、第２の標準に従って、第２の受信等化行列Ｗ２′および前記一次ＡＰがデータを送信するために使用されるプレコーディング行列Ｑ１を選択し、前記二次ＡＰによって、前記一次ＡＰによって送信される干渉テスト情報を受信する前に、当該方法は、前記二次ＡＰによって、前記一次ＡＰがデータを送信するために使用されるプレコーディング行列Ｑ１を示すために前記一次ＡＰに第１の指示情報を送信することをさらに含む、請求項１９に記載の方法。
【請求項２１】
協調伝送制御方法であって、
一次アクセスポイント（ＡＰ）によって、二次ＡＰに協調伝送要求を送信することであって、前記協調伝送要求は折衝パラメータ情報を搬送する、送信することと、
前記二次ＡＰが、前記折衝パラメータ情報に基づいて、前記一次ＡＰと協調伝送を実行しようとするときに、前記一次ＡＰによって、前記二次ＡＰによって送信される、前記二次ＡＰが協調伝送を実行することを期待することを示す第１の応答情報を受信することと、
前記一次ＡＰによって、前記二次ＡＰに干渉テスト情報の送信することと、を含み、
前記干渉テスト情報は、前記二次ＡＰが協調伝送を実行するかどうかを決定するための干渉テストを実行するために使用される、方法。
【請求項２２】
前記二次ＡＰが、前記折衝パラメータ情報に基づいて、前記一次ＡＰとの協調伝送を実行することをスキップすることを決定するときに、前記一次ＡＰによって、事前設定された時間内に前記二次ＡＰからフィードバックを受信しないこと、または前記二次ＡＰによって送信される第２の応答情報を受信することであって、前記第２の応答情報は、前記二次ＡＰが協調伝送を実行することができないことを示すために使用される、請求項２１に記載の方法。
【請求項２３】
当該方法が、前記一次ＡＰによって、前記二次ＡＰによって送信される第１の指示情報を受信することであって、前記第１の指示情報は、前記一次ＡＰがデータを送信するため使用されるプレコーディング行列Ｑ１を示すために使用される、受信することと、をさらに含み
前記干渉テスト情報がＱ１を使用して送信される、請求項２１に記載の方法。
【請求項２４】
前記干渉テスト情報は、前記一次ＡＰによってスケジュールされるステーションＳＴＡに送信される下りリンクデータパケット内の対応するトレーニングフィールドに関する情報を含む、または
前記干渉テスト情報は、前記一次ＡＰがスケジュールされるステーションＳＴＡに下りリンクデータパケットを送信する前に、前記一次ＡＰによって送信される別個のデータパケット内の対応するフィールドに関する情報である、請求項２１〜２３のいずれか一項に記載の方法。
【請求項２５】
協調伝送制御装置であって、当該装置は、二次アクセスポイント（ＡＰ）側に適用され、
一次ＡＰによって送信される協調伝送要求を受信するように構成されている受信ユニットであって、前記協調伝送要求が折衝パラメータ情報を搬送する、受信ユニットと、
前記二次ＡＰが、前記折衝パラメータ情報に基づいて、前記一次ＡＰとの協調伝送を実行しようとするときに、前記一次ＡＰに干渉テスト情報を送信するように構成されている送信ユニットと、を含み、
前記受信ユニットは、前記干渉テスト情報に基づいて、前記一次ＡＰによって送信される、協調伝送を実行するかどうかを示す決定情報を受信するようにさらに構成されている、装置。
【請求項２６】
前記送信ユニットは、
前記二次ＡＰが、前記折衝パラメータ情報に基づいて、前記一次ＡＰと協調伝送を実行しようとしないときに、事前設定された時間内に前記一次ＡＰにフィードバックを提供することスキップすること、または前記二次ＡＰが協調伝送を実行できないことを示す第１の応答情報を前記一次ＡＰに送信することをするように構成されている、請求項２５に記載の装置。
【請求項２７】
前記送信ユニットは、
前記二次ＡＰが前記一次ＡＰと協調伝送を実行しようとするときに、前記二次ＡＰが協調伝送を実行することを期待することを示す第２の応答情報を前記一次ＡＰに送信するように構成されており、
前記第２の応答情報は前記干渉テスト情報と共に、または前記干渉テスト情報とは別に送信される、請求項２５に記載の装置。
【請求項２８】
前記協調伝送要求は、第１の指示情報を搬送し、前記第１の指示情報は、前記干渉テスト情報が前記第２の応答情報と共に送信されるかどうかを示すために使用される、請求項２７に記載の装置。
【請求項２９】
前記決定情報は、協調確認フレーム内で搬送されるか、スケジュールされるステーションＳＴＡに送信される上りリンク伝送トリガフレーム内で搬送される、請求項２５に記載の装置。
【請求項３０】
前記折衝パラメータ情報は、前記一次ＡＰのアンテナの量および前記一次ＡＰに対応するセル内の空間フローの量のうちの少なくとも１つを含む、請求項２５〜２９のいずれか一項に記載の装置。
【請求項３１】
前記送信ユニットは、
前記空間フローの量が一次ＡＰの前記アンテナの量以下であり、前記二次ＡＰのアンテナの量が一次ＡＰの前記アンテナの量より多い場合、第１のプレコーディング行列Ｑ２を使用して前記一次ＡＰに前記干渉テスト情報を送信することであって、Ｑ２は、前記一次ＡＰによって実行されるデータ受信への干渉を防止するために使用され、事前設定された第１の標準に従って前記二次ＡＰによって決定されるプレコーディング行列である、送信すること、または
前記空間フローの量が前記一次ＡＰの前記アンテナの量より少なく、前記二次ＡＰのアンテナの量が前記一次ＡＰのアンテナの量以下である場合、前記一次ＡＰがデータを受信するために使用される受信等化行列Ｗ１を示す第２の指示情報を前記一次ＡＰに送信し、第２のプレコーディング行列Ｑ２′を使用して前記干渉テスト情報を送信することであって、Ｑ２′は、前記一次ＡＰによって実行されるデータ受信への干渉を防止するために使用され、前記二次ＡＰがデータを送信するために使用され、事前設定された第２の標準に従って前記二次ＡＰによって決定されるプレコーディング行列であり、Ｗ１は、前記一次ＡＰがデータを受信するために使用される受信等化行列である、受信することをするようにさらに構成されている、請求項３０に記載の装置。
【請求項３２】
前記第１の標準は、Ｈ２１Ｑ２＝０であり、Ｈ２１は、前記一次ＡＰと前記二次ＡＰとの間のチャネル推定情報であり、
前記第２の標準は、Ｗ１Ｈ２１Ｑ２′＝０であり、Ｈ２１は、前記一次ＡＰと前記二次ＡＰとの間のチャネル推定情報である、請求項３１に記載の装置。
【請求項３３】
協調伝送制御装置であって、当該装置は、一次アクセスポイント（ＡＰ）側に適用され、
少なくとも１つの二次アクセスポイント（ＡＰ）に協調伝送要求を送信するように構成されている送信ユニットであって、前記協調伝送要求が折衝パラメータ情報を搬送する、送信ユニットと、
前記二次ＡＰが、前記折衝パラメータ情報に基づき、前記一次ＡＰと協調伝送を実行しようとするときに、前記二次ＡＰによって送信される干渉テスト情報を受信するように構成されている受信ユニットと、
前記干渉テスト情報に基づいた受信干渉テストを実行して、干渉が所定の閾値以上であるかどうかを決定するように構成されている処理ユニットと、を含み、
前記送信ユニットは、前記処理ユニットの決定結果に基づいて、前記二次ＡＰが協調伝送を実行するかどうかを示す決定情報を前記二次ＡＰに送信するようにさらに構成されている、装置。
【請求項３４】
前記受信ユニットは、
前記二次ＡＰが、前記折衝パラメータ情報に基づいて、前記一次ＡＰとの協調伝送を実行することをスキップすることを決定するときに、前記一次ＡＰによって、事前設定された時間内に前記二次ＡＰからのフィードバックを受信しないこと、または前記二次ＡＰによって送信される第１の応答情報を受信することをするように構成されており、前記第１の応答情報は、前記二次ＡＰが協調伝送を実行することができないことを示すために使用される、請求項３３に記載の装置。
【請求項３５】
前記受信ユニットは、
前記二次ＡＰが、前記一次ＡＰと協調伝送を実行しようとするときに、前記二次ＡＰによって送信される第２の応答情報を受信することであって、前記第２の応答情報は、前記二次ＡＰが協調伝送を実行することを期待することを示すために使用される、受信することをするように構成されており、
前記第２の応答情報は前記干渉テスト情報と共に、または前記干渉テスト情報とは別に送信される、請求項３３に記載の装置。
【請求項３６】
前記協調伝送要求は、第１の指示情報を搬送し、前記第１の指示情報は、前記干渉テスト情報が前記第２の応答情報と共に送信されるかどうかを示すために使用される、請求項３５に記載の装置。
【請求項３７】
前記決定情報は、協調確認フレーム内で搬送されるか、スケジュールされるステーションＳＴＡに送信される上りリンク伝送トリガフレーム内で搬送される、請求項３３に記載の装置。
【請求項３８】
協調伝送制御装置であって、当該装置は、二次アクセスポイント（ＡＰ）側に適用され、
一次ＡＰによって送信される協調伝送要求を受信するように構成されている受信ユニットであって、前記協調伝送要求は折衝パラメータ情報を搬送する、受信ユニットと、
前記二次ＡＰが、前記折衝パラメータ情報に基づいて、前記一次ＡＰと協調伝送を実行しようとするときに、前記二次ＡＰによって、前記二次ＡＰが協調伝送を実行することを期待することを示す第１の応答情報を前記一次ＡＰに送信するように構成されている送信ユニットであって、
前記受信ユニットは、前記一次ＡＰによって送信される干渉テスト情報を受信するようにさらに構成されている、送信ユニットと、
前記干渉テスト情報の干渉テスト結果に基づいて、協調伝送を実行するかどうかを決定するように構成されている処理ユニットと、を含む装置。
【請求項３９】
前記処理ユニットは、干渉が所定の閾値以下である場合、前記送信ユニットを使用して、スケジュールされるステーションＳＴＡにトリガフレームを送信し、上りリンクデータ伝送を実行するために前記ＳＴＡをスケジュールすること、もしくは干渉が前記所定の閾値より大きい場合、前記送信ユニットを使用して、前記トリガフレームを送信することをスキップすること、または、干渉が所定の閾値より小さい場合、前記送信ユニットを使用して、スケジュールされる第２のＳＴＡにトリガフレームを送信し、上りリンクデータ伝送を実行するために前記第２のＳＴＡをスケジュールすること、もしくは干渉が前記所定の閾値以上である場合、前記送信ユニットを使用して、前記トリガフレームを送信することをスキップするようにさらに構成されており、
前記送信ユニットは、前記処理ユニットの制御に従って前記トリガフレームを送信またはスキップするようにさらに構成されている、請求項３８に記載の装置。
【請求項４０】
前記折衝パラメータ情報は、前記一次ＡＰのアンテナの量および前記一次ＡＰに対応するセル内の空間フローの量のうちの少なくとも１つを含む、請求項３８または３９に記載の装置。
【請求項４１】
前記受信ユニットは、前記一次ＡＰが前記二次ＡＰによって実行されるデータ受信への干渉を引き起こすことを防止するために使用される選択される受信等化行列を使用して、前記一次ＡＰによって送信される前記干渉テスト情報を受信するようにさらに構成されており、
前記処理ユニットは、
前記空間フローの量が前記一次ＡＰの前記アンテナの量以下であり、前記二次ＡＰの前記アンテナの量が前記一次ＡＰの前記アンテナの量より多い場合、第１の標準に従って第１の受信等化行列Ｗ２を選択する、または
前記空間フローの量が前記一次ＡＰの前記アンテナの量より少なく、前記二次ＡＰの前記アンテナの量が前記一次ＡＰの前記アンテナの量以下である場合、事前設定された第２の標準に従って、第２の受信等化行列Ｗ２′および前記二次ＡＰによって実行されるデータ受信への干渉を引き起こすことを防止するために使用されるプレコーディング行列Ｑ１を決定し、
前記送信ユニットは、前記処理ユニットがＱ１を決定した後に、Ｑ１を示す第１の指示情報を前記一次ＡＰに送信するようにさらに構成される、請求項４０に記載の装置。
【請求項４２】
協調伝送制御装置であって、当該装置は、一次アクセスポイント（ＡＰ）側に適用され、
二次ＡＰに協調伝送要求を送信するように構成されている送信ユニットであって、前記協調伝送要求は折衝パラメータ情報を搬送する、送信ユニットと、
前記二次ＡＰが、前記折衝パラメータ情報に基づいて、前記一次ＡＰと協調伝送を実行しようとするときに、前記二次ＡＰによって送信される、前記二次ＡＰが協調伝送を実行することを期待することを示す第１の応答情報を受信するように構成されている受信ユニットと、を含み、
前記送信ユニットは、前記二次ＡＰに干渉テスト情報を送信するようにさらに構成されており、
前記干渉テスト情報は、前記二次ＡＰが協調伝送を実行するかどうかを決定するための干渉テストを実行するために使用される、装置。
【請求項４３】
前記受信ユニットは、前記二次ＡＰによって送信される第１の指示情報を受信するようにさらに構成されており、前記第１の指示情報は、前記一次ＡＰがデータを送信するため使用されるプレコーディング行列Ｑ１を示すために使用され、
前記送信ユニットは、Ｑ１を使用して干渉テスト情報を送信するようにさらに構成されている、請求項４２に記載の装置。
【請求項４４】
コンピュータプログラムを記憶するコンピュータ可読記憶媒体であって、前記コンピュータプログラムがプロセッサによって実行されるときに、請求項１〜２４のいずれか一項に記載の方法が実施される、コンピュータ可読記憶媒体。
【請求項４５】
プロセッサを含み、コンピュータプログラムを実行するときに、前記プロセッサは、請求項１〜２４のいずれか一項に記載の方法を実施する、協調伝送制御装置。
【請求項４６】
コンピュータプログラムがプロセッサによって実行するときに、請求項１〜２４のいずれか一項に記載の方法が実施される、コンピュータプログラム。
【国際調査報告】
2021511730.tif 000021
2021511730.tif 000022
2021511730.tif 000023
2021511730.tif 000024